(57)【要約】      （修正有）【課題】流動する液体を、プラズマ及び電気化学的効果を用いて連続的に改質する方法の提供。【解決手段】トラフ部材内を流動する液体３の液体表面２の上方に配置された電極１と、液体に連通するように配置された電極５との間に電源１０を接続することにより、電極１の先端９と液体表面との間にプラズマ４を生成させ、このプラズマの体積、強度、成分、活性、位置は電極先端９と液体表面間の距離ｘ、電極組成、電極形状、電源から印加される電圧形態、電力、プラズマ発生領域の雰囲気組成、温度、等によって調節可能であり、この調節可能なプラズマを用いるとともに、前記電極に基づく電気化学反応を併用することにより、液体の改質を連続的に行う方法。【選択図】図１ａ
2014097496.tif 000002
【特許請求の範囲】
【請求項１】
少なくとも１種の液体を改質するほぼ連続的な方法であって：
少なくとも１種の液体を、少なくとも１つのトラフ部材を通して流し；
少なくとも１種のプラズマを、前記少なくとも１種の液体の少なくとも一部と接触させ；そして
前記トラフ部材内部で少なくとも１つの電気化学反応を発生させる
ことを含む、少なくとも１種の液体を改質するほぼ連続的な方法。
【請求項２】
少なくとも１つのトラフ部材が、液体がその中を流れるのを可能にする導管を含む、請求項１に記載の方法。
【請求項３】
前記プラズマが、調節可能なプラズマを含む、請求項１に記載の方法。
【請求項４】
前記調節可能なプラズマが、前記少なくとも１種の液体から所定の間隔を置いて設けられた少なくとも１つの電極と、前記少なくとも１種の液体の一部との間に形成される、請求項３に記載の方法。
【請求項５】
前記少なくとも１種の電極が、少なくとも１種の調節可能なプラズマ中に存在する少なくとも１つの種の一部を該電極から提供する、請求項４に記載の方法。
【請求項６】
前記プラズマが、前記少なくとも１種の液体の表面の少なくとも一部と接触する、請求項１に記載の方法。
【請求項７】
前記少なくとも１つの電気化学反応が、前記１種の液体と接触してこれと反応する少なくとも１組の電極を含む、請求項１に記載の方法。
【請求項８】
前記少なくとも１つの電気化学反応が、前記少なくとも１種のプラズマと前記少なくとも１種の液体との前記接触に続いて生じる、請求項１に記載の方法。
【請求項９】
前記少なくとも１種のプラズマが、少なくとも１つのプラズマ形成金属電極と、前記少なくとも１種の液体の表面の少なくとも一部との間に形成されたプラズマを含む、請求項１に記載の方法。
【請求項１０】
前記少なくとも１つのプラズマ形成金属電極の少なくとも１つの成分が、前記プラズマ中に存在する、請求項９に記載の方法。
【請求項１１】
前記少なくとも１つの成分が、前記少なくとも１種の液体の少なくとも一部を含む、請求項１０に記載の方法。
【請求項１２】
前記少なくとも１つのプラズマ形成金属電極の前記少なくとも１つの成分が、前記少なくとも１種の液体中に存在してから、前記少なくとも１つの電気化学反応が生じる、請求項１１に記載の方法。
【請求項１３】
前記少なくとも１つの電気化学反応を発生させるために、少なくとも２つの電極が前記少なくとも１種の液体と接触する、請求項１２に記載の方法。
【請求項１４】
前記少なくとも１つの電気化学反応を発生させるために、前記少なくとも２つの電極の間に、電源が設けられている、請求項１３に記載の方法。
【請求項１５】
前記少なくとも２つの電極が、少なくとも１つの金属成分を含む、請求項１３に記載の方法。
【請求項１６】
前記少なくとも２つの電極が、前記少なくとも１種の液体中で金属系ナノ粒子を形成するのを助ける、請求項１４に記載の方法。
【請求項１７】
少なくとも１種の液体を改質するほぼ連続的な方法であって：
少なくとも１つのトラフ部材を通る少なくとも１種の液体の流動方向を生成し；
前記少なくとも１種の液体の表面から所定の間隔を置いて少なくとも１つの金属系プラズマ形成電極を用意し；
前記少なくとも１つの金属系プラズマ形成電極と、前記少なくとも１種の液体の前記表面との間に少なくとも１種のプラズマを形成し；
前記少なくとも１種の液体の少なくとも一部と接触する少なくとも１組の電極を用意し、前記少なくとも１組の電極は、前記液体が前記少なくとも１つの金属系プラズマ形成電極を流過した後で、前記少なくとも１種の液体と接触し；そして
前記少なくとも１組の電極を、前記少なくとも１種の液体の少なくとも一部と反応させる
ことを含む、少なくとも１種の液体を改質するほぼ連続的な方法。
【請求項１８】
液体をほぼ連続的に改質する装置であって：
少なくとも１つのトラフ部材と；
少なくとも１つのプラズマ形成金属系電極と；
少なくとも１つの電気化学反応を行うための少なくとも１組の金属系電極と；
前記少なくとも１つのプラズマ形成金属系電極に接続された少なくとも１つの第１電源と；
前記少なくとも１つの電気化学反応を行うための前記少なくとも１組の金属系電極に接続された少なくとも１つの第２電源と
を含む、液体をほぼ連続的に改質する装置。
【請求項１９】
さらに：
前記少なくとも１つのトラフ部材に液体を供給するための少なくとも１つの手段
を含む、請求項１８に記載の装置。
【請求項２０】
前記少なくとも１つのプラズマ形成金属系電極、及び前記少なくとも１組の金属系電極のうちの少なくとも１つから、前記液体中で、金属系ナノ粒子が生成される、請求項１８に記載の装置。
【請求項２１】
流動液体中で金属系ナノ粒子を連続的に形成する装置であって：
少なくとも１つの入口部分と少なくとも１つの出口部分とを含む少なくとも１つのトラフ部材と；
前記出口部分よりも前記入口部分の近くに配置されて少なくとも１つの第１電源に接続された、少なくとも１つのプラズマ形成金属系電極と；
前記入口部分よりも前記出口部分の近くに配置されて少なくとも１つの第２電源に接続された、少なくとも１組の金属系電極と
を含む、
流動液体中で金属系ナノ粒子を連続的に形成する装置。
【請求項２２】
前記液体が水を含む、請求項２１に記載の装置。
【請求項２３】
前記少なくとも１つのプラズマ形成金属系電極が、白金、チタン、亜鉛、銀、銅、金、並びにこれらの合金及び混合物から成る群から選択された少なくとも１種の材料を含む、請求項２１に記載の装置。
【請求項２４】
前記少なくとも１組の金属系電極が、白金、チタン、亜鉛、銀、銅、金、並びにこれらの合金及び混合物から成る群から選択された少なくとも１種の材料を含む、請求項２１に記載の装置。
【請求項２５】
前記少なくとも１つのプラズマ形成金属系電極、及び前記少なくとも１組の金属系電極は、大部分が異なる金属を含む、請求項２４に記載の装置。
【請求項２６】
前記少なくとも１つのプラズマ形成金属系電極、及び前記少なくとも１組の金属系電極は、実質的に同じ金属を含む、請求項２４に記載の装置。
【請求項２７】
少なくとも２つのプラズマ形成金属系電極が設けられている、請求項２１に記載の装置。
【請求項２８】
少なくとも２組の金属系電極が設けられている、請求項２１に記載の装置。
【請求項２９】
少なくとも２つのプラズマ形成金属系電極が、前記出口部分よりも前記入口部分の近くに配置されており、そして少なくとも２組の金属系電極が、前記入口部分よりも前記出口部分の近くに配置されている、請求項２１に記載の装置。
【請求項３０】
少なくとも２つの金属系電極が、前記出口部分よりも前記入口部分の近くに配置されており、そして前記流動液体が、前記少なくとも１組の金属系電極と接触する前に、前記少なくとも２つのプラズマ形成金属系電極と接触する、請求項２１に記載の装置。
【請求項３１】
前記少なくとも１つのトラフ部材が、直線形状、「Ｙ字形」、及び「Ψ字形」のうちの少なくとも１つを含む、請求項２１に記載の装置。
【請求項３２】
少なくとも１種の流動液体を連続的に改質する装置であって：
少なくとも１つの入口部分と少なくとも１つの出口部分とを含む少なくとも１つのトラフ部材と；
前記出口部分よりも前記入口部分の近くに配置された少なくとも１つのプラズマ形成電極と；
前記入口部分よりも前記出口部分の近くに配置された少なくとも１組の金属系電極と
を含み、前記流動液体が、前記少なくとも１組の金属系電極と接触する前に、前記少なくとも１つのプラズマ形成電極と接触する、
少なくとも１種の流動液体を連続的に改質する装置。
【請求項３３】
前記少なくとも１つのトラフ部材が、直線形状、「Ｙ字形」、及び「Ψ字形」のうちの少なくとも１つを含む、請求項３２に記載の装置。
【請求項３４】
さらに、前記少なくとも１つのプラズマ形成金属系電極の周りに設けられた少なくとも１つの雰囲気制御装置を含む、請求項３２に記載の装置。
【請求項３５】
さらに、前記少なくとも１つのプラズマ形成電極及び前記少なくとも１組の金属系電極から成る群から選択された少なくとも１つの部材の高さを調節するための少なくとも１つの制御装置を含む、請求項３２に記載の装置。
【請求項３６】
前記少なくとも１つの制御装置が、前記少なくとも１つの部材を横切るほぼ一定の電圧を維持することにより、前記高さを調節する、請求項３３に記載の装置。
【請求項３７】
複数組の金属系電極から上流側に、第１のプラズマ形成電極が配置されている、請求項３２に記載の装置。
【請求項３８】
複数組の金属系電極から上流側に、少なくとも２つのプラズマ形成電極が配置されている、請求項３２に記載の装置。
【請求項３９】
少なくとも１つの雰囲気制御装置が、前記第１のプラズマ形成電極を取り囲んでいる、請求項３７に記載の装置。
【請求項４０】
前記少なくとも１種の液体が水を含み、前記少なくとも１つのプラズマ形成電極が、白金、チタン、亜鉛、銀、銅、金、並びにこれらの合金及び混合物から成る群から選択された少なくとも１種の材料を含み、そして前記少なくとも１組の金属系電極が、白金、チタン、亜鉛、銀、銅、金、並びにこれらの合金及び混合物から成る群から選択された少なくとも１種の材料を含む、請求項３２に記載の装置。
【発明の詳細な説明】
【技術分野】
【０００１】
本発明は概して言えば、ナノ粒子、ミクロ粒子、及びナノ粒子／液体溶液を連続的に製造するための新規の方法及び新規の装置に関する。ナノ粒子（及び／又はミクロン・サイズの粒子）は、考えられ得る種々様々な組成、サイズ、及び形状を成す。粒子（例えばナノ粒子）は、例えば好ましくは少なくとも１種の調節可能なプラズマ（例えば少なくとも１つのＡＣ及び／又はＤＣ電源によって生成する）を利用して、液体（例えば水）中に存在（例えば生成）させられることになる。このプラズマは、液体の表面の少なくとも一部と連通する。後続の及び／又は実質的に同時に行われる少なくとも１種の調節可能な電気化学処理技術も好ましい。複数の調節可能なプラズマ及び／又は調節可能な電気化学処理技術が好ましい。連続法は、少なくとも１種の液体をトラフ部材内に流入させ、トラフ部材を貫流させ、そしてトラフ部材から流出させる。このような液体は、前記トラフ部材内で処理され、コンディショニングされ、且つ／又は影響を与えられる。その結果は、液体中に形成された成分を含む。これらの成分は、液体中に存在する、新規のサイズ、形状、組成、及び特性を有するミクロン・サイズの粒子及び／又はナノ粒子（例えば金属系ナノ粒子）を含む。
【背景技術】
【０００２】
Brian L. Cushing, Vladimire L. Kolesnichenko及びCharles J. O'Connor著, “Recent Advances in the Liquid-Phase Syntheses of Inorganic Nanoparticles”, Chemical Reviews, American Chemical Society, 2004年, 第104巻、第3893-3946頁（非特許文献１）（この対象内容を参考のため本明細書中に明示的に引用する）に示された技術を含めて、ナノ粒子の製造のために多くの技術が存在する。
【０００３】
さらに、Clemens Burda, Xiaobo Chen, Radha Narayanan及びMostafa A. El-Sayed著, 論文“Chemistry and Properties of Nanocrystals of Different Shapes”, Chemical Reviews, American Chemical Society, 2005年, 第105巻, 第1025-1102頁（非特許文献２）（この対象内容を参考のため本明細書中に明示的に引用する）は、付加的な処理技術を開示している。
【０００４】
論文“Shape Control of Silver Nanoparticles”がBenjamin Wiley, Yugang Sun, Brian Mayers及びYounan Xiaによって著され、Chemistry--A European Journalに発表されている（非特許文献３）。
【０００５】
さらに、“Methods of Controlling Nanoparticle Growth”と題する、2006年4月25日付けでMirkin他に発行された米国特許第７，０３３，４１５号明細書（特許文献１）；及び“Non-Alloying Core Shell Nanoparticles”と題する、2006年11月14日付けでMirkin他に発行された米国特許第７，１３５，０５５号明細書（特許文献２）、の双方はナノ粒子の成長のための付加的な技術を開示している。両対象内容を参考のため本明細書中に明示的に引用する。
【０００６】
さらに、“Nanoprisms and Method of Making Them”と題する、2006年11月14日付けでJin他に発行された米国特許第７，１３５，０５４号明細書（特許文献３）も参考のため本明細書中に明示的に引用する。
【０００７】
本発明は、公知の処理技術に存在する種々の欠陥／非効率を克服するために、また、種々の形状及びサイズのナノ粒子、及び／又は以前には達成できなかった新しいナノ粒子／液体材料を製造する新規の制御可能な方法を達成するために開発された。
【先行技術文献】
【特許文献】
【０００８】
【特許文献１】米国特許第７，０３３，４１５号明細書
【特許文献２】米国特許第７，１３５，０５５号明細書
【特許文献３】米国特許第７，１３５，０５４号明細書
【非特許文献】
【０００９】
【非特許文献１】Brian L. Cushing, Vladimire L. Kolesnichenko及びCharles J. O'Connor, “Recent Advances in the Liquid-Phase Syntheses of Inorganic Nanoparticles”, Chemical Reviews, American Chemical Society, 2004年, 第104巻、第3893-3946頁
【非特許文献２】Clemens Burda, Xiaobo Chen, Radha Narayanan及びMostafa A. El-Sayed, “Chemistry and Properties of Nanocrystals of Different Shapes”, Chemical Reviews, American Chemical Society, 2005年, 第105巻, 第1025-1102頁
【非特許文献３】Benjamin Wiley, Yugang Sun, Brian Mayers及びYounan Xia, “Shape Control of Silver Nanoparticles”, Chemistry--A European Journal
【発明の概要】
【課題を解決するための手段】
【００１０】
本発明は概して言えば、ミクロン・サイズ粒子、ナノ粒子、及びナノ粒子／液体溶液を含む、液体中の種々の成分を連続的に製造するための新規の方法及び新規の装置に関する。産出されたナノ粒子は、考えられ得る種々様々な組成、サイズ、及び形状を成すことができ、これらは、新規の興味深い種々様々な物理、触媒、生体触媒、及び／又は生物物理特性を呈する。この過程中に使用され、生成／改質される液体は、ミクロン・サイズ粒子及びナノ粒子を製造し、且つ／又は機能させる上で重要な役割を果たす。粒子（例えばナノ粒子）は、例えば好ましくは少なくとも１種の調節可能なプラズマ（例えば少なくとも１つのＡＣ及び／又はＤＣ電源によって生成する）を利用して、少なくとも１種の液体（例えば水）中に存在（例えば生成）させられることになる。この調節可能なプラズマは、液体の表面の少なくとも一部と連通する。調節可能なプラズマの形成には、種々の組成及び／又は独自の形態を有する金属系電極が好ましいが、しかし非金属系電極を利用することもできる。後続の及び／又は実質的に同時に行われる少なくとも１種の調節可能な電気化学処理技術を利用することも好ましい。電気化学処理技術に使用するためには、種々の組成及び／又は独自の形態を有する金属系電極が好ましい。調節可能なプラズマ及び／又は調節可能な電気化学処理技術によって好都合な影響を与えることができる変数のいくつかの例としては、電界、磁界、電磁界、電気化学特性、ｐＨなどが挙げられる。本発明の処理の利点の多くを達成し、また好ましい実施態様の教示を実施することから生じる新規の組成の多くを達成するために、複数の調節可能なプラズマ及び／又は調節可能な電気化学技術が好ましい。全過程は、多くの利益が付随する連続過程である。この過程において、少なくとも１種の液体、例えば水が少なくとも１つのトラフ部材内に流入し、トラフ部材を貫流し、そしてトラフ部材から流出し、そしてこのような液体は、前記少なくとも１種の調節可能なプラズマ及び／又は前記少なくとも１種の調節可能な電気化学技術によって処理され、コンディショニングされ、修正され、且つ／又は影響を与えられる。連続処理の結果は、液体中の新たな成分を含む。これらの成分は、液体中に懸濁された、新規のサイズ、形状、組成、及び／又は特性を有するミクロン・サイズの粒子及び／又はナノ粒子（例えば金属系ナノ粒子）を含み、このようなナノ粒子／液体混合物は、効率的且つ経済的に製造される。
【００１１】
「トラフ部材」という表現はテキスト全体を通して使用される。この表現は、ここに開示された方法と適合し得る限り、管、半管、材料又は物体中に存在する通路又は溝、導管、ダクト、チューブ、シュート、ホース及び／又は樋を含む多種多様の流体処理装置を意味するものと理解されるべきである。
【００１２】
付加的な処理技術、例えば或る結晶成長技術の適用が、2003年3月21日付けで出願され、2003年10月30日付けで国際公開第０３／０８９６９２号パンフレットとして公開された“Methods for Controlling Crystal Growth, Crystallization, Structures and Phases in Materials and Systems”と題する同時係属中の特許出願、及び2005年6月6日付けで出願され、2006年2月23日付けで米国特許出願公開第２００６／００３７１７７号明細書として公開された米国特許出願に開示されている（それぞれの発明者はBentley J. Blum, Juliana H. J. Brooks及びMark G. Mortenson)。両対象内容を参考のため本明細書中に明示的に引用する。これらの出願公開明細書は、例えば溶液から１種又は２種以上の特定の結晶又は結晶形状をどのように優先的に成長させるかを教示する。さらに、乾燥、濃縮、及び／又は凍結乾燥を利用することにより、懸濁液の少なくとも一部、又はほぼ全てを除去し、その結果、例えば脱水ナノ粒子を生じさせることもできる。
【００１３】
本発明の１実施態様の重要な特徴は、調節可能なプラズマの生成に関与する。この調節可能なプラズマは、液体表面の少なくとも一部の近く（例えば上方）に位置決めされた少なくとも１つの電極と、液体表面自体の少なくとも一部との間に配置されている。液体は、少なくとも１つの第２電極（又は複数の第２電極）と電気的に連通させられ、これにより液体表面は、調節可能なプラズマを形成するのを助ける電極として機能することになる。このような構造は、液体表面がこの構造では活性電極として関与することを除けば、誘電体バリア放電構造と類似のいくらかの特性を有している。
【００１４】
利用される各調節可能なプラズマは、少なくとも１つの導電性電極を液体中（例えば少なくとも部分的に）のどこかに配置することにより、液体表面の上方に配置された少なくとも１つの電極と、液体表面との間に配置することができる。少なくとも１つの電源（好ましい実施態様では、ボルト及びアンペアの少なくとも１つの源、例えば変圧器）が、液体表面の上方に配置された少なくとも１つの電極と、液体表面と接触する（例えば少なくとも部分的又はほぼ完全に液体中に配置される）少なくとも１つの電極との間に電気的に接続されている。電極は、任意の好適な組成及び好適な物理形態（例えばサイズ及び形状）を有していてよく、その結果、液体表面の上方に配置された電極と、液体表面自体の少なくとも一部との間に望ましいプラズマが形成される。
【００１５】
電極（プラズマを形成するための少なくとも１つの電極として機能する液体表面を含む）間の印加電力（例えばボルト数又はアンペア数）は、ＡＣ源及びＤＣ源の双方、及びこれらの変更形及び組み合わせを含む任意の好適な源（例えば変圧器からの電圧）によって発生させることができる。一般に、液体中に配置された（例えば液体表面の下方に少なくとも部分的に配置された）電極又は電極組み合わせは、液体又は溶液に電圧及び電流を提供することにより、プラズマの形成に関与するが、しかし、調節可能なプラズマは、実際に、液体表面の上方に配置された電極の少なくとも一部（例えばその先端又は点）と、液体表面自体の１つ又は２つ以上の部分又は区域との間に配置される。これに関しては、電極と液体表面との周り及び／又は間の気体又は蒸気が破壊電圧に達するか、又は維持されるときに、調節可能なプラズマを、上述の電極間（すなわち液体表面の少なくとも一部の上方に配置された電極と、液体表面自体の一部との間）に形成することができる。
【００１６】
本発明の１つの好ましい実施態様の場合、液体は水を含み、そして水面と水面の上方に位置する電極との間の気体（すなわち、調節可能なプラズマの形成に関与する気体又は雰囲気）は、空気を含む。空気は、種々異なる含水量及び所期湿度を含有するように制御することができ、その結果、ナノ粒子の種々異なる組成、サイズ、及び／又は形状を本発明に従って製造することができ（例えば、調節可能なプラズマ中及び／又は溶液中の或る成分の種々異なる量は、液体表面の上方に位置する空気中の含水量の関数であり得る）、又は種々異なる処理時間などをもたらすことができる。
【００１７】
乾燥空気に対する標準的な圧力及び温度における破壊電界は、約３ＭＶ／ｍ又は約３０ｋＶ／ｍである。こうして、例えば金属点の周りの局所的電界が約約３０ｋＶ／ｍを超えると、プラズマを乾燥空気中で発生させることができる。等式（１）は、破壊電界「Ｅc」と２電極間の距離「ｄ」（メートル）との経験的関係は：
【数１】
2014097496.tif 000003
を与える。もちろん、破壊電界「Ｅc」は、電極間に位置する気体の特性及び組成の関数として変化することになる。このことに関して、水が液体である場合の１つの好ましい実施態様の場合、顕著な水蒸気量が「電極」間（すなわち、液体表面の上方に配置された少なくとも１つの電極と、プラズマ形成の１つの電極として機能する液体表面自体との間）の空気中に固有に存在することが可能であり、またこのような水蒸気は、少なくとも、これらの間にプラズマを生成するために必要となる破壊電界に対して効果を与えるはずである。さらに、調節可能なプラズマと水面との相互作用により、生成されたプラズマ中及びプラズマの周りに局所的により高い濃度の水蒸気を存在させることもできる。生成されたプラズマ中及びプラズマの周りに存在する「湿分」の量は、本明細書中で後で詳しく論じる種々様々な技術によって制御又は調節することができる。同様に、任意の液体中に存在する或る構成要素が、液体表面と、液体表面に隣接して（例えば沿って）配置された電極との間に位置する調節可能なプラズマを形成する成分の少なくとも一部を形成することもできる。調節可能なプラズマ中の成分、並びにプラズマ自体の物理特性は、液体に対して、また処理技術のうちの或るものに対して劇的な影響を与えることができる（本明細書中で後で詳しく論じる）。
【００１８】
電極に、そして電極近くに生成された電界強度は、典型的には電極表面で最大となり、そして典型的にはこの表面からの距離が増大するのに伴って減少する。液体表面と、液体に隣接して（例えば上方に）配置された少なくとも１つの電極との間に、調節可能なプラズマを生成することを伴う事例では、液体表面の上方に配置された電極と、液体表面自体の少なくとも一部との間の気体の体積の一部が、調節可能なプラズマを生成するのに十分な破壊電界を含有することができる。生成されたこれらの電界は、例えば調節可能なプラズマの挙動、液体の挙動、液体中の成分の挙動などに影響を与えることができる。
【００１９】
これに関連して、図１ａは、例えば「Ｆ」の方向に流動する液体３の表面２の上方に距離「ｘ」を置いて配置された三角形の断面形状を有する点源電極１の１実施態様を示している。点源電極１と、液体３に連通する電極５（例えば電極５は少なくとも部分的に液体３の表面２の下方にある）との間に適切な電源１０が接続されていると、電極１の先端又は点９と液体３の表面２との間に、調節可能なプラズマ４を発生させることができる。なお、或る条件下では、電極５の先端９’は実際には、液体３のバルク表面２の物理的に僅かに上方に配置されていてよいが、しかし液体は、「テイラーコーン(Taylor cones)」として知られる現象を通して電極とまだ連通している。テイラーコーンについては、“Method and Apparatus for Ozone Generation and Treatment of Water”と題する、1995年12月26日付けでInculetに発行された米国特許第５，４７８，５３３号明細書において論じられている。この対象内容を参考のため本明細書中に明示的に引用する。これに関して、図１ｂは、テイラーコーン「Ｔ」が電極５と液体３の表面２（又は実際には有効表面２’）との間の電気的接続のために利用されることを除いて、図１ａに示されたものと同様の電極構造を示している。テイラーコーンの生成及び使用に関しては、本明細書中の別の個所で詳細に論じる。
【００２０】
図１ａに示された実施態様において生成された調節可能なプラズマ領域４は、典型的には、過程の少なくとも一部にわたって、円錐状構造に相当する形状を有することができ、本発明のいくつかの実施態様の場合、実質的に全過程にわたってこのような円錐状形状を維持することができる。調節可能なプラズマ４の体積、強度、成分（例えば組成）、活性、正確な位置は、数多くのファクタに応じて変化することになり、これらのファクタの一例としては、距離「ｘ」、電極１の物理的及び／又は化学的な組成、電極１の形状、電源１０（例えばＤＣ、ＡＣ、整流ＡＣ、ＤＣ及び／又は整流ＡＣ、ＲＦなどの印加極性）、電源によって印加される電力（例えば印加されるボルト数、印加されるアンペア数、電子速度など）、適用される電源によって生成される電界及び／又は磁界、周囲の電界、磁界、又は電磁界、音場の周波数及び／又は大きさ、電極１と液体３の表面２との間及び／又はその周りの、自然発生する又は供給された気体又は雰囲気の組成（例えば空気、窒素、ヘリウム、酸素、オゾン、還元性雰囲気など）、温度、圧力、体積、方向「Ｆ」における液体３の流量、スペクトル特性、液体３の組成、液体３の導電率、電極１及び５の近く及び周りの液体の断面積（例えば体積）、（例えば液体３が、調節可能なプラズマ４と相互作用することを許される時間量、及びこのような相互作用の強度）、液体３の表面２における又は表面２の近くの雰囲気流（例えば空気流）の存在（ファン又は雰囲気運動手段の提供）（本明細書中で後から詳しく論じる）が挙げられる。
【００２１】
図１ａの調節可能なプラズマ４の生成に関与する電極１の組成は、本発明の１つの好ましい実施態様の場合、金属系組成物（例えば白金、金、銀、亜鉛、銅、チタン、及び／又はこれらの合金又は混合物などのような金属）であるが、しかし電極１及び５は、本明細書中に開示された本発明の種々の特徴（例えば処理パラメータ）と適合性のある任意の好適な材料から形成されていてよい。これと関連して、例えば液体３（例えば水）の表面２の上方の空気中にプラズマ４を生成している間、典型的には、少なくとも若干のオゾン、並びに所定量の窒素酸化物及びその他の成分（本明細書中の別の個所で詳細に論じる）が産出される。これらの産出成分は制御することができ、結果として産出されたナノ粒子及び／又はナノ粒子／溶液の形成及び／又は性能にとって有用なことも有害なこともあり、本明細書中で後から詳しく論じる種々異なる技術によって制御されることが必要となる場合がある。さらに、各プラズマ４の発光スペクトルも、同様のファクタの関数である（本明細書中で後から詳しく論じる）。図１ａに示されているように、調節可能なプラズマ４は実際には、液体３の表面２と接触する。本発明のこの実施態様の場合、電極１に由来する材料（例えば金属）は、調節可能なプラズマ４の一部を含んでいてよく（例えば、従ってプラズマの発光スペクトルの一部であってよい）、そして、液体３（例えば水）上及び／又は液体３（例えば水）中に「スパッタリング」させられてよい。従って、電極１として金属が使用されるときには、調節可能なプラズマ４と関連する特定の一連の動作条件に応じて、元素金属、金属イオン、ルイス酸、ブレンステッド−ラウリ酸、金属酸化物、金属窒化物、金属水素化物、金属水和物、及び／又は金属炭化物などを液体３中に（例えば過程の少なくとも一部にわたって）見いだすことができる。このような成分は、一時的に存在してよく、或いは半永久的又は永久的であってもよい。さらに、例えば液体３中及び液体３の周りの電界、磁界、及び／又は電磁界の強さ、及び液体３の体積（本明細書中で後から詳しく論じる）、電極１及び５の物理的及び化学的な組成、（自然発生する又は供給された）雰囲気、液体組成に応じて、より多量又はより少量の電極材料（例えば金属又は金属の誘導体）を液体３中に見いだすことができる。或る状況では、液体３中又はプラズマ４中に見いだされる材料（例えば金属又は金属複合材料）又は成分（例えばルイス酸、ブレンステッド−ラウリ酸など）が極めて望ましい効果を有することがある。この場合には、このような材料は比較的多量であることが望ましい。これに対して他の事例では、液体３中に見いだされる或る材料（例えば副産物）が望ましくない影響を及ぼすおそれがあり、ひいては、このような材料を最小限にすることが液体ベースの最終生成物において望ましい場合がある。従って、電極の組成は、本明細書中に開示された実施態様に従って形成される材料において重要な役割を果たすことができる。本発明のこれらの成分間の相互作用については、本明細書中で後から詳しく論じる。
【００２２】
さらに、電極１及び５は、液体の種々の組成及び／又は構造、及び／又は本明細書中で後から詳しく論じる特定の効果を達成するために、同様の化学組成及び／又は機械構造を有するか、又は完全に異なる組成を有していてもよい。
【００２３】
電極１と５；又は１と１（本明細書中に後で示す）、又は５と５（本明細書中に後で示す）との間の距離は、本発明の１つの重要な特徴である。一般に、本発明に使用される電極の最も近い部分の間の最小距離「ｙ」の位置は、望ましくないアーク又は望まれないコロナ又はプラズマの形成が電極間（例えば電極１と電極５との間）に生じるのを防止するために、距離「ｘ」よりも大きくあるべきである。電極のデザイン、電極の位置、及び種々の電極間の電極相互作用に関する本発明の特徴について、本明細書中で後から詳しく論じる。
【００２４】
電源１０を通して印加される電力は、本発明の全ての方法条件下で、望ましい調節可能なプラズマ４を生成する任意の好適な電力であってよい。本発明の１つの好ましい態様において、昇圧器（本明細書中で後から詳しく論じる）からの交流が利用される。別の好ましい実施態様の場合、整流ＡＣ源が、正荷電電極１と液体３の負荷電表面２とを形成する。別の好ましい実施態様の場合、整流ＡＣ源が、負荷電電極１と液体３の正荷電表面２とを形成する。さらに、他の電源、例えばＲＦ電源を本発明ととも使用することもできる。一般には、電極構成部材１及び５の組み合わせ、電極１及び５の物理的なサイズ及び形状、電極製造法、電極１及び／又は５の質量、液体３の表面２とその上方の電極１の先端９との間の距離「ｘ」、電極先端９と表面２との間の気体の組成、液体３の流量及び／又は流動方向「Ｆ」、液体３の提供量、電源１０のタイプが全て、そのデザイン、ひいては液体３の表面２と電極先端９との間に制御された又は調節可能なプラズマ４を得るために必要となる電力要件（例えば破壊電界）に関与する。
【００２５】
図１ａに示された構造をさらに参照すると、電極ホルダ６ａ及び６ｂは、任意の好適な手段によって昇降させることができる（ひいては電極も昇降させることができる）。例えば電極ホルダ６ａ及び６ｂは、絶縁部材８（断面で示す）内を通って昇降させることができる。ここに示す機械的な実施態様は雄／雌ねじ山を含む。部分６ａ及び６ｂは、例えば付加的な電気絶縁部分７ａ及び７ｂによってカバーすることができる。電気絶縁部分７ａ及び７ｂは、任意の好適な材料（例えばプラスチック、ポリカーボネート、ポリ（メチルメタクリレート）、ポリスチレン、アクリル、ポリビニルクロリド（ＰＶＣ）、ナイロン、ゴム、繊維性材料であってよい。）これらの材料は、人が電極ホルダ６ａ及び６ｂを調整するとき（例えば電極の高さを調節しようとするとき）に発生するおそれのある望ましくない電流、電圧、アークなどを防止する。同様に、絶縁部材８は、望ましくない電気的事象（例えばアーク形成、溶融など）が発生するのを防止する任意の好適な材料、並びに、本発明を実施するのに構造的且つ環境的に適した任意の材料から形成することもできる。典型的な材料は、構造用プラスチック、例えばポリカーボネート、プレキシガラス（ポリ（メチルメタクリレート））、ポリスチレン、及びアクリルなどを含む。本発明とともに使用するための付加的な好適な材料については、本明細書中の別の個所で詳細に論じる。
【００２６】
図１ｃは、電極１，５を昇降させるための別の実施態様を示している。この実施態様の場合、各電極の電気絶縁部分７ａ及び７ｂが、摩擦機構１３ａ，１３ｂ及び１３ｃと、部分７ａ及び７ｂとの間に存在するプレス嵌め部によって所定の位置に保持される。摩擦機構１３ａ，１３ｂ及び１３ｃは、例えば十分な接触がその間に維持される限り、例えばばね鋼、可撓性ゴムなどから形成されていてもよい。
【００２７】
電極１，５を自動的に上昇及び／又は降下させる好ましい技術については、本明細書中で後から詳しく論じる。電源１０は、電極１及び５に任意の好都合な電気的形式で接続することができる。例えば、部分１１ａ，１１ｂ間、ひいては電極１，５間に電気的接続を達成することを主な目的として、電極ホルダ６ａ，６ｂ（及び／又は電気絶縁部分７ａ，７ｂ）の少なくとも一部の内部にワイヤ１１ａ及び１１ｂを配置することができる。
【００２８】
図２ａは、本発明の好ましい実施態様の別の概略図を示している。ここでは、本発明の制御装置２０が電極１及び５に接続されているので、制御装置２０は、液体３の表面２に対して電極１，５を遠隔位置から（例えば別の装置からの命令で）上昇及び／又は降下させることができる。本発明の制御装置２０については、本明細書中で後から詳しく論じる。本発明のこの１つの好ましい特徴において、電極１及び５は、例えば遠隔位置から降下させ制御することができ、また、ソフトウェア・プログラム（本明細書中で後から詳しく論じる）を含有する好適なコントローラ又はコンピュータ（図２ａには示されない）によって監視し制御することもできる。これに関して、図２ｂは、テイラーコーン「Ｔ」が電極５と液体３の表面２（又は実際には有効表面２’）との間の電気的接続のために利用されることを除いて、図２ａに示されたものと同様の電極構造を示している。従って、図１ａ，１ｂ及び１ｃに示された実施態様は、本発明の技術とともに使用するための手動制御式装置であると考えられるべきであり、これに対して、図２ａ及び２ｂに示された実施態様は、適宜の命令に応答して電極１及び５を遠隔位置から昇降させることができる自動的な装置又は集成体を含むと考えられるべきである。さらに、図２ａ及び図２ｂに示す本発明の好ましい実施態様は、表面２から離隔した電極１の先端９（及び電極５の先端９’）の距離「ｘ」をコンピュータで監視し、そしてコンピュータ制御することを採用することもできる（本明細書中で後から詳しく論じる）。従って、電極１及び５を上昇及び／又は降下させる適宜の命令は、個々の操作者及び／又は好適な制御装置、例えばコントローラ又はコンピュータ（図２ａには示されない）から出ることが可能である。
【００２９】
図３ａは、図２ａ及び２ｂに大部分が相当するが、図３ｂ、３ｃ及び３ｄは、本発明の或る好ましい実施態様とともに利用し得る種々様々な代わりの電極構造を示している。図３ｂは図３ａに示された電極集成体から、本質的に鏡像電極集成体を示している。具体的には、図３ｂに示されているように、液体３の流動方向に相当する方向「Ｆ」に関して、電極５は、流体３が長手方向「Ｆ」で流動するとこの流体３と連通する最初の電極であり、これに続いて、電極１に生成されたプラズマ４との接触が生じる。図３ｃは、流体３中に配置された２つの電極５ａ及び５ｂを示している。この特定の電極構造は、本発明の別の好ましい実施態様に相当する。具体的には、本明細書中で詳しく論じるように、図３ｃに示された電極構造は単独で、或いは、例えば図３ａ及び３ｂに示された電極構造との組み合わせで使用することができる。同様に、考えられ得る第４の電極構造は図３ｄで示されている。この図３ｄには、電極５が示されておらず、電極１ａ及び１ｂだけが示されている。この場合、電極先端９ａ及び９ｂと、液体３の表面２との間に、２つの調節可能なプラズマ４ａ及び４ｂが存在している。距離「ｘａ」及び「ｘｂ」は、ほぼ同じであってよく、或いは、それぞれの距離「ｘａ」及び「ｘｂ」が、電極９ａ／９ｂと液体３の表面２との間にプラズマ４を形成することができる最大距離を超えない限り、実質的に異なっていてよい。上記のように、図３ｄに示された電極構造は単独で、或いは、例えば図３ａ、３ｂ及び３ｃに示された電極構造のうちの１つ又は２つ以上との組み合わせで使用することができる。流体の流動方向「Ｆ」に関して、互いに組み合わされた特定の電極構造を利用することの望ましさについては、本明細書中で後から詳しく論じる。
【００３０】
同様に、図１ａに概ね相当する一連の手動制御式の電極構造が図４ａ、４ｂ、４ｃ及び４ｄに示されている。これらの全てが部分断面図に示されている。具体的には、図４ａは図１ａに相当する。さらに、図４ｂは電極構造において、図３ｂに示された電極構造に相当し、図４ｃは図３ｃに相当し、そして図４ｄは図３ｄに相当する。本質的には、図４ａ〜４ｄに示された手動電極構造は機能的に、結果として、図３ａ〜３ｄに示された遠隔調節可能な（コンピュータ又はコントローラ手段によって遠隔制御される）電極構造に対応して製造される材料と同様の材料を、本発明の或る特徴に従って製造することができる。電極構造の種々の組み合わせを利用することの望ましさについては、本明細書中で後から詳しく論じる。
【００３１】
図５ａ〜５ｅは、図１〜４（及びその他の図面、及び本明細書中で後から論じる実施態様）に示された電極１のための種々様々な望ましい電極構造の斜視図を示している。図５ａ〜５ｅに示された電極構造は、本発明の種々の実施態様において有用な種々異なる数多くの構造の代表である。電極１に対する適宜の電極選択の基準の一例としては、下記条件、すなわち、極めて明確な先端又は点９の必要性、組成、機械的制限、電極１を含む材料から所定の形状を形成する能力、便宜性、プラズマ４内に導入される成分、液体３に対する影響など、が挙げられる。これに関して、例えば図１〜４に示された電極１を含む小さな質量の材料は、本発明に従って調節可能なプラズマ４を生成すると（本明細書中で後から詳しく論じる）、動作温度まで上昇することがある。この温度では、電極１のサイズ及び／又は形状が不都合な影響を受けるおそれがある。これに関しては、例えば、電極１が比較的小さな質量を有しており（例えば電極１が銀から形成されておりその重量が約０．５グラム以下である）、そして極めて微細な点を含むならば、或る種の付加的な相互作用（例えば冷却手段、例えばファンなど）がない限り、微細な点（例えば直径が僅か数ミリメートルであり、数１００〜数１０００ボルトに曝露される細いワイヤ；又は三角形の金属片）は電極１として機能できなくなることが、或る一連の条件下ではあり得る。従って、電極１（例えば電極を含む材料）の組成は、例えば融点、感圧性、環境反応（例えば調節可能なプラズマ４の局所的環境は、電極の化学的、機械的及び／又は電磁的腐食を生じさせるおそれがある）などに起因して、電極の考えられ得る好適な物理的形状に影響を及ぼすことがある。
【００３２】
さらに、言うまでもなく、本発明の別の好ましい実施態様では、明確な鋭利な点が常に必要とされるわけではない。これに関連して、図５ｅに示された電極１は、丸みを帯びた点を含む。なお、部分的に丸みを帯びた又は円弧状の電極が、電極１として機能することもできる。なぜならば、本明細書中に示された本発明の実施態様（例えば図１〜４参照）において生成される調節可能なプラズマ４は、丸みを帯びた電極、又はより鋭利な又はより尖った構成要件を有する電極から生成することができるからである。本発明の技術の実施中、このような調節可能なプラズマは、図５ｅに示された電極１の種々の点に沿って位置決めするか又は配置することができる。これに関して、図６は種々様々な点「ａ〜ｇ」を示しており、これらの点は、電極１と液体３の表面２との間に発生するプラズマ４ａ〜４ｇの開始点９に相当する。従って、言うまでもなく、電極１に対応する種々のサイズ及び形状を、本発明の教示に従って利用することができる。さらに、ここで種々の図面に示された、それぞれ電極１及び５の先端９，９’は、比較的鋭利な点又は比較的丸みのある端部として示されることがある。これらの電極先端の具体的な特徴を文脈上より詳細に論じるのでない限り、図面に示す電極先端の実際の形状はさほど重要でないものとする。
【００３３】
図７ａは、トラフ部材３０内部に含有される、図２ａ（及び図３ａ）に示されているものに相当する電極構造を示す断面斜視図である。このトラフ部材３０は、図７ａの符号３１として示される後ろ側から内部に供給された液体３を有しており、流動方向「Ｆ」は、この頁から読者に向かって、また符号３２として示された断面区域に向かっている。トラフ部材３０はここでは１つの材料から成る一体部分として示されているが、しかし、１つにまとめられ、そして例えば材料を互いに付着させるための任意の許容し得る手段によって固定された（例えば接着、機械的付着など）複数の材料から形成することもできる。さらに、ここに示されたトラフ部材３０は長方形又は正方形の断面形状を有しているが、しかし、種々異なる断面形状を含んでいてもよい（本明細書中で後から詳しく論じる）。従って、流体３の流動方向は、この頁から読者に向かっており、そして液体３は電極１及び５のそれぞれを流過する。電極１及び５は、この実施態様の場合、トラフ部材３０内部の流体３の長手方向流動方向「Ｆ」に対して互いに実質的に一列に配置されている。これにより、液体３は、調節可能なプラズマ４との相互作用（例えばコンディショニング反応）を最初に被り、続いて、コンディショニングされた流体３は、電極５と相互作用することを許される。これらの電極／液体の相互作用及び電極の配置の具体的な望ましい特徴については、本明細書中の別の個所で詳細に論じる。
【００３４】
図７ｂは、図２ａ（及び図３ａ）に示された電極構造を示す断面斜視図であるが、これらの電極１及び５は、この頁上では、図２ａ及び３ａに示された電極１及び５に対して９０度だけ回転している。本発明のこの実施態様において、液体３は、電極１と液体３の表面２との間に発生する調節可能なプラズマ４と接触し、また、トラフ部材３０の長手方向の流動方向「Ｆ」（すなわち頁から出る方向）に沿ったほぼ同じ点で電極５と接触する。液体３の流動方向は図７ａのように、トラフ部材３０に沿って長手方向に、紙から読者に向かっている。この電極構造の種々の望ましい特徴については、本明細書中の別の個所で詳細に論じる。
【００３５】
図８ａは、図７ａに示されたものと同じ実施態様を示す断面斜視図である。この実施態様では、図７ａにおけるように、流体３は、電極１と液体３の表面２との間に生成された調節可能なプラズマ４と最初に相互作用する。その後、調節可能なプラズマ４によって変化（コンディショニング、改質、又は調製）させられた、影響されるか又はコンディショニングを施された流体３は、その後、電極５と連通し、ひいては、種々の電気化学反応が発生するのを可能にする。このような反応は、本明細書中の別の個所で詳細に論じる状態（例えば、流体３（及び流体３中の成分）の化学組成、物理又は結晶構造、励起状態など）によって影響を受ける。別の実施態様が図８ｂに示されている。この実施態様は一般的な配列において、図３ｂ及び４ｂに示された実施態様に本質的に相当する。この実施態様において、流体３は電極５と最初に連通し、そしてその後流体３は、電極１と液体３の表面２との間に生成された調節可能なプラズマ４と連通する。
【００３６】
図８ｃは、２つの電極５ａ及び５ｂ（図３ｃ及び４ｃに示された実施態様に相当）を示す断面斜視図である。流体３の長手方向の流動方向「Ｆ」は、第１電極５ａと接触し、そしてその後、流体の流動方向「Ｆ」において第２電極５ｂに接触する。
【００３７】
同様に、図８ｄは断面斜視図であり、そして図３ｄ及び４ｄに示された実施態様に相当する。この実施態様において、流体３は、第１電極１ａによって生成された第１の調節可能なプラズマ４ａと連通し、その後、第２電極１ｂと流体３の表面２との間に生成された第２の調節可能なプラズマ４ｂと連通する。
【００３８】
図９ａは断面斜視図を示しており、図７ｂに示された電極構造に相当する（及び図３ａ及び４ａに示された電極構造にも概ね相当するが、しかし図９ａの電極構造は９０度だけ回転している）。図９ａ〜９ｄに示された電極構造の全ては、図示の電極対は、図７ｂにおけるように、トラフ部材３０に沿ったほぼ同じ長手方向の点に配置されるように構成されている。
【００３９】
同様に、図９ｂも、図３ｂ及び４ｂに示された電極構造に概ね相当し、図８ｂに示された構造に対して９０度だけ回転させられている。
【００４０】
図９ｃも、図３ｃ及び４ｃに概ね相当する電極構造を示し、図８ｃに示された電極構造に対して９０度だけ回転させられている。
【００４１】
図９ｄも、図３ｄ及び４ｄに概ね相当する電極構造を示し、図８ｄに示された電極構造に対して９０度だけ回転させられている。
【００４２】
図７、８及び９に大まかに示された電極構造は全て、種々様々な構成要件の関数として種々異なる結果（流体３の種々異なるコンディショニング効果、流体３中の種々異なるｐＨ、種々異なるサイズ、形状、及び／又は流体３中に見いだされる粒状物質の量、流体／ナノ粒子の組み合わせの異なる機能、など）をもたらすことができる。これらの構成要件は、流体流動方向「Ｆ」に対する電極の配向及び位置、提供される電極対の数、及びトラフ部材３０内の相互の位置を含む。さらに、電極の組成、サイズ、具体的な形状、提供される異なるタイプの電極の数、印加されるボルト数、印加されるアンペア数、ＡＣ源、ＤＣ源、ＲＦ源、電極極性などは全て、液体３がこれらの電極１，５を流過するのに伴って、液体３（及び／又は液体３中に含有される成分）の特性、ひいてはこれから産出される材料（例えばナノ粒子溶液）の結果としての特性に影響を与えることができる。加えて、液体を含有するトラフ部材３０はいくつかの好ましい実施態様において、図７、８及び９に示された複数の電極組み合わせを含有している。これらの電極集成体は全て同じ構造であってよく、或いは、種々異なる電極構造の組み合わせであってもよい（本明細書中の別の個所で詳細に論じる）。さらに、電極構造は流体「Ｆ」と順次連通してよく、或いは同時に、又は並列に流体「Ｆ」と連通してもよい。種々異なる好ましい電極構造例について、ここから産出される種々異なるナノ粒子及びナノ粒子／溶液との関連において、後から付加的な図面に示し、本明細書中で後から詳しく論じる。
【００４３】
図１０ａは、図７、８及び９に示された、液体を含有するトラフ部材３０を示す断面図である。トラフ部材３０は、長方形又は正方形に相当する断面を有しており、電極（図１０ａには示されていない）をトラフ部材３０内に適当に位置決めすることができる。
【００４４】
同様に、液体含有トラフ部材３０のいくつかの付加的な代わりの実施態様が、図１０ｂ、１０ｃ、１０ｄ及び１０ｅに断面図で示されている。図１０ａ〜１０ｅのそれぞれに示された好ましい実施態様の距離「Ｓ」及び「Ｓ’」は、例えば約１インチ〜約３インチ（約２．５ｃｍ〜７．６ｃｍ）である。距離「Ｍ」は約２〜約４インチ（約５ｃｍ〜１０ｃｍ）である。距離「Ｒ」は約１／１６インチ〜１／２インチから約３インチまで（約１．６ｍｍ〜３ｍｍから約７６ｍｍまで）の範囲である。これらの実施態様の全て（また、別の実施態様を表す付加的な構造も本発明の範囲に含まれる）は、本発明の他の特徴との組み合わせで利用することができる。なお、液体含有トラフ部材３０のそれぞれの内部に含有される液体３の量は、深さ「ｄ」の関数であるだけでなく、実際の断面の関数でもある。手短に言うと、電極１及び５の中及び周りに存在する流体３の量は、液体３に対する調節可能なプラズマ４の１つ又は２つ以上の効果、並びに、電極５と液体３との電気化学相互作用に影響を与えることができる。これらの効果は、液体３に対する、調節可能なプラズマ４のコンディショニング効果（例えばプラズマの電界及び磁界の相互作用、プラズマの電磁線の相互作用、液体中の種々の化学種（例えばルイス酸、ブレンステッド−ラウリ酸）の生成、ｐＨの変化、など）を含むだけでなく、濃度、又は調節可能なプラズマ４と液体３との相互作用をも含む。同様に、液体３に対する電極５の多くの特徴の影響（例えば電気化学相互作用）は、少なくとも部分的には、電極５と並置された液体の量の関数でもある。さらに、電界及び磁界の強濃度も、プラズマ４と液体３との相互作用をもたらし、また、電極５と液体３との相互作用をもたらす。これらの重要な相互作用のいくつかの重要な特徴について、本明細書中で後から詳しく論じる。さらに、トラフ部材３０は、その長手方向の全長に沿って、２つ以上の断面形状を含んでいてもよい。トラフ部材３０の長手方向の全長に沿って複数の断面形状を組み入れる結果、例えば、本明細書中に開示された本発明の実施態様によって生成される場又は濃度又は反応効果を変化させることができる（本明細書中の別の個所で詳細に論じる）。さらに、トラフ部材３０は直線形状又は「Ｉ字形」でないこともあり、むしろ「Ｙ字形」、又は「Ψ字形」であってもよい。この場合「Ｙ」（又は「Ψ」の各部分は異なる（又は同様の）断面形状及び／又は一連の寸法を有している。
【００４５】
図１１ａは、入口部分又は入口端部３１と出口部分又は出口端部３２とを含む、図１０ｂに示されたトラフ部材３０のほぼ全体の１実施態様を示す斜視図である。本明細書中で他の図面において論じた流動方向「Ｆ」は、端部３１で又は端部３１の近くで入り（例えば、入口部分３１で又は入口部分３１の近くでトラフ部材３０内に流体を供給する適宜の手段を利用する）、そして端部３２を通ってトラフ部材３０を出る液体に相当する。図１１ｂは、トラフ部材３０に取り外し可能に取り付けられた３つの制御装置２０ａ，２０ｂ及び２０ｃを含有する、図１１ａのトラフ部材３０を示している。電極１及び／又は５を含有する制御装置２０ａ，２０ｂ及び２０ｃの相互作用及び動作に関しては、本明細書中で後から詳しく論じる。しかしながら、本発明の好ましい実施態様の場合、制御装置２０は、トラフ部材３０の上側部分に取り外し可能に取り付けることができるので、制御装置２０は、トラフ部材３０に沿った種々異なる位置に位置決めすることができ、これにより、或る特定の処理パラメータ、生成される成分、生成される成分の反応性、並びにこれから生成されるナノ粒子／流体に影響を与えることができる。
【００４６】
図１１ｃは、雰囲気制御装置カバー３５’を示す斜視図である。雰囲気制御装置又はカバー３５’には、複数の制御装置２０ａ，２０ｂ及び２０ｃが取り付けられている。制御装置２０ａ，２０ｂ及び２０ｃは、電極１及び／又は５に制御可能に取り付けられている。カバー３５’は、トラフ部材３０の長手方向の大部分（長手方向の５０％超）の内部及び／又は大部分に沿って雰囲気を制御する能力を提供するように意図されているので、任意の電極１と液体３の表面２との間に生成された任意の調節可能なプラズマ４は、電圧、電流、電流密度、極性など（本明細書中の別の個所で詳細に論じる）、並びに制御された雰囲気の関数であり得る（本明細書中の別の個所で詳細に論じる）。
【００４７】
図１１ｄは、トラフ部材３０を（その外部で）支持し、また制御装置２０（図１１ｄには示されていない）を（少なくとも部分的に）支持するための付加的な支持手段３４を含む、図１１ｃの装置を示している。例えば、この開示内容の範囲に含まれるトラフ部材３０、雰囲気制御装置（例えばカバー３５’）及び外部支持手段（例えば支持手段３４）に対して示される断面形状に関して、種々の詳細を変化させることができることは、読者には明らかである（本明細書中の別の個所で詳細に論じる）。
【００４８】
図１１ｅは、トラフ部材３０の別の構造を示している。具体的には、トラフ部材３０は斜視図で示されており、「Ｙ字形」である。具体的には、トラフ部材３０は上側部分３０ａ及び３０ｂと、下側部分３０ｏとを含む。同様に、入口３１ａ及び３１ｂが、出口３２とともに設けられている。部分３０ｄは、３０ａと３０ｂとが３０ｏに合体する点に相当する。
【００４９】
図１１ｆは、図１１ｅの部分３０ｄがここでは混合区分３０ｄ’として示されていることを除けば、図１１ｅに示されているのと同じ「Ｙ字形」トラフ部材を示している。これに関して、例えば部分３０ａ，３０ｂ及び／又は３０ｃのうちの１つ又は全てにおいて液体３中で製造又は産出される特定の成分は、点３０ｄ（又は３０ｄ’）で混ぜ合わされるのが望ましい場合がある。このような混合は、図１１ｅに示された交差点３０ｄで自然に発生してよく（すなわち特定の又は特別な区分３０ｄ’は必要でない）、或いは、部分３０ｄ’で、より特定的に制御されてもよい。言うまでもなく、部分３０ｄ’を任意の効果的な形状、例えば正方形、円形、長方形などに成形することもでき、トラフ部材３０の他の部分に対して同じ又は異なる深さを有することもできる。これに関して、区域３０ｄは混合ゾーン又は後続の反応ゾーンであってもよい。
【００５０】
図１１ｇ及び１１ｈは、「Ψ字形」トラフ部材３０を示している。具体的には、新しい部分３０ｃが加えられている。図１１ｇ及び１１ｈの他の構成要件は、図１１ｅ及び１１ｆに示された構成要件と同様である。
【００５１】
言うまでもなく、トラフ部材３０のためには種々異なる形状が存在し得る。これらの形状のいずれも望ましい結果をもたらすことができる。
【００５２】
図１２ａは、局所的雰囲気制御装置３５を示す斜視図である。この雰囲気制御装置３５は、電極セット１及び／又は５の周りの局所的雰囲気を制御する手段として機能するので、種々の局所的な気体を利用することにより、例えば電極１と液体３の表面２との間の調節可能なプラズマ４中の或る成分を制御し且つ／又はこれに影響を与え、また、電極５における及び／又は電極の周りの調節可能な電気化学反応に影響を与えることができる。雰囲気制御装置３５内に示された貫通孔３６及び３７は、装置３５の一部内を通って外部と連通するのを可能にするように設けられている。具体的には、孔又は入口３７は、任意の気体種が装置３５の内側に導入されるように入口接続部として設けられている。孔３６は、これを貫通して延びる電極１及び／又は５のための連通ポートとして設けられている。これらの電極は、例えば装置３５の上方に配置された制御装置２０に接続されている。入口３７を通って導入される気体は、局所的な外部雰囲気に対して正圧で提供すればよく、任意の好適な手段又は経路によって逃すことが許されてよい。気体を逃すことは、例えば、装置３５の部分３９ａ及び／又は３９ｂが例えば少なくとも部分的に液体３の表面２の下方に沈められたときに、このような部分３９ａ及び／又は３９ｂの周りで発泡させることを含む（本明細書中で後から詳しく論じる）。或いは、雰囲気制御装置３５内の他の場所に、第２の孔又は出口（図示せず）を設けることもできる。一般には、部分３９ａ及び３９ｂは、液体３の表面２を分割することができ、これにより、表面２は、電極セット１及び／又は５の周りに局所的な雰囲気を形成するためのシール部分として効果的に作用させられる。所望される気体の正圧が入口ポート３７を通って入るときに、小さな気泡を、例えば部分３９ａ及び／又は３９ｂを通過するように発生させることができる。或いは、気体は雰囲気制御装置３５内の好適な出口を通って出ることもできる。
【００５３】
図１２ｂは、支持ハウジング３４内部に含まれるトラフ部材３０の前景に設けられた第１の雰囲気制御装置３５ａを示す斜視図である。第２の雰囲気制御装置３５ｂが含まれ、この上に配置された制御装置２０が示されている。「Ｆ」は、トラフ部材３０を通る液体３の長手方向流動方向を示している。異なる電極セット１及び／又は５の周りの雰囲気が局所制御される（例えば実質的に同じ化学成分、例えば空気又は窒素から成る雰囲気、又は実質的に異なる化学成分、例えばヘリウム及び窒素から成る雰囲気）ことの望ましさについては、本明細書中で後から詳しく論じる。
【００５４】
図１３は、別の雰囲気制御装置３８を示す斜視図である。ここでは、トラフ部材３０全体と支持手段３４とが雰囲気制御装置３８内部に含まれている。この場合、例えば気体出口３７ａ（３７ａ’）と一緒に、気体入口３７（３７’）を設けることができる。雰囲気制御装置３８上に気体入口３７（３７’）及び気体出口３７ａ（３７ａ’）を正確に位置決めすることは、便宜上の事柄であり、装置内部に含有される雰囲気の組成に応じて行われる。これに関して、気体が空気よりも重い又は空気よりも軽い場合、入口及び出口の位置はこれに応じて調節することができる。これらのファクタの特徴について、本明細書中で後から詳しく論じる。
【００５５】
図１４は、本発明の好ましい実施態様のうちのいくつかの教示内容に従って利用される一般的な装置を示す概略図である。具体的には、この図１４は、液体３を含有するトラフ部材３０を示す側面概略図である。トラフ部材３０の上側に、複数の制御装置２０ａ〜２０ｄが載置されており、これらの制御装置はこの実施態様では、取り外し可能にトラフ部材３０に取り付けられている。制御装置２０ａ〜２０ｄはもちろん、本発明の種々の実施態様を実施するときに、永久的に所定の位置に固定されていてよい。制御装置２０（及び対応する電極１及び／又は５並びにこのような電極の構造）の正確な数、及び制御装置２０（及び対応する電極１及び／又は５）の位置決め又は配置は、本明細書中で後から詳しく論じる本発明の種々の好ましい実施態様の関数である。しかしながら、一般には、流入液体３（例えば水又は純水）は、液体搬送手段４０（例えば液体ポンプ、液体３をポンピングするための重力、液体ポンピング手段）、例えば液体水３をトラフ部材３０内にその第１端部３１でポンピングするための蠕動ポンプに提供される。正確にどのように液体３が導入されるかについては、本明細書中で後から詳しく論じる。液体搬送手段４０は、例えば重力送り手段又は静水圧手段、ポンピング手段、調節手段又は弁手段などを含む、液体３を動かすための任意の手段を含んでいてよい。但し、液体搬送手段４０は、既知量の液体３をトラフ部材３０内に信頼性高く且つ／又は制御可能に導入できなくてはならない。一旦、液体３がトラフ部材３０内に提供されると、トラフ部材３０内部で液体３を連続して動かす手段が必要とされることも必要とされないこともある。しかしながら、液体３を連続して動かす単純な手段は、トラフ部材３０が、これが載置された支持面に対して僅かな角度θ（例えば低粘度流体、例えば水の場合には、１度未満〜数度）を成して設置されることを含む。例えば、液体３の粘度が余りにも高くない限り（例えば水の粘度付近の任意の粘度は、一旦このような流体がトラフ部材３０内部に含有又は配置されたら、重力流によって制御することができる）、支持面に対して約６フィート（約１．８メートル）だけ間隔を置いて設けられた入口部分３１と出口部分３２との間に１インチ未満の鉛直方向高さの差を形成するだけで済む。これに関して、図１５ａ及び１５ｂは、水のような低粘度流体を含む種々の粘度を処理することができるトラフ部材３０に対する、２つのそれぞれ許容し得る角度θ1及びθ2を示している。より大きい角度θは、粘度が水よりも高い液体３を処理する結果として、また、液体３がより高速でトラフ３０を通過する必要があるときなどに、必要となることがある。さらに、液体３の粘度が重力単独では不十分なほど増大するときには、静水圧ヘッド圧又は静水圧を具体的に用いるように他の現象を利用して、望ましい流体流を達成することもできる。さらに、トラフ部材３０に沿って液体３を動かすための付加的な手段を、トラフ部材３０内部に設けることもできる。流体を動かすためのこのような手段は、機械手段、例えばパドル、ファン、プロペラ、オーガーなど、音響手段、例えばトランスデューサ、熱手段、例えばヒータ（付加的な処理上の利益を有することがで��る）などを含み、これらは、本発明と一緒に使用するのに望ましい。
【００５６】
図１４はまた、トラフ部材３０の端部３２に設けられた貯蔵タンク又は貯蔵器４１を示している。このような貯蔵器４１は、例えばトラフ部材３０内部に産出された液体３と不都合に相互作用することのない１種又は２種以上の材料から成る任意の許容し得る容器及び／又はポンピング手段であってよい。許容し得る材料の一例としては、プラスチック、例えば高密度ポリエチレン（ＨＤＰＥ）、ガラス、金属（例えば特定の等級のステンレス鋼）などが挙げられる。さらに、この実施態様では貯蔵タンク４１が示されているが、タンク４１は、トラフ部材３０内で処理された流体３を分配するか又は直接にボトリング又はパッケージングするための手段を含むものとして理解されるべきである。
【００５７】
図１６ａ，１６ｂ及び１６ｃは、本発明の１つの好ましい実施態様の斜視図を示している。これらの図１６ａ，１６ｂ及び１６ｃにおいて、８つの別個の制御装置２０ａ〜ｈがより詳細に示されている。このような制御装置２０は、例えば図８ａ，８ｂ，８ｃ及び８ｄに示された電極構造のうちの１つ又は２つ以上を利用することができる。制御装置２０（及び対応する電極１及び／又は５）の正確な位置決め及び作業については、本明細書中の別の個所で詳細に論じる。図１６ｂは、２つの空気分配装置又は空気処理装置（例えばファン３４２ａ及び３４２ｂ）を使用することを含む。同様に、図１６ｃは、２つの別の空気分配装置又は空気処理装置３４２ｃ及び３４２ｄを使用することを含む。
【００５８】
図１７は、本発明による装置の別の実施態様を示す別の斜視図である。ここでは６つの制御装置２０ａ〜２０ｆが、図１６ａ，１６ｂ及び１６ｃに示された８つの制御装置２０ａ〜２０ｈに対してほぼ９０度だけ回転している。制御装置２０及び連携する電極１及び／又は５の正確な配置及び作業については、本明細書中の別の個所で詳細に論じる。
【００５９】
図１８は、図１６ａに示された装置を示す斜視図であるが、しかしこの装置はここでは、雰囲気制御装置３８によってほぼ完全に密閉されたものとして示されている。このような装置３８は、トラフ部材３９の周りの雰囲気を制御する手段であり、或いは、外部の望ましくない物質を、トラフ部材３０内に入らないように、またトラフ部材３０と不都合に相互作用しないように隔絶するために使用することができる。さらに、トラフ部材３０の出口３２は、出口パイプ４２を通って貯蔵器４１と連通しているものとして示されている。さらに、貯蔵タンク４１に設けられた出口４３も示されている。このような出口管４３は、液体３を貯蔵し、パッケージングし、且つ／又は処理するための任意の他の好適な手段に向けることができる（本明細書中で詳細に論じる）。
【００６０】
図１９ａ，１９ｂ，１９ｃ及び１９ｄは、本発明に従って使用することができる、付加的な電極構造の実施態様を示す付加的な断面斜視図である。
【００６１】
具体的には、図１９ａは、トラフ部材３０の長手方向に沿って互いにほぼ平行に、トラフ部材３０を通る液体３の流動方向「Ｆ」に対してほぼ垂直（すなわち６０°〜９０°）に配置された２組の電極５（すなわち全部で４つの電極５ａ，５ｂ，５ｃ及び５ｄ）を示している。これとは異なり、図１９ｂは、トラフ部材３０の長手方向に沿って互いに隣接して配置された２組の電極５（すなわち電極５ａ，５ｂ，５ｃ及び５ｄ）を示している。
【００６２】
これとは異なり、図１９ｃは、流体流動方向「Ｆ」に対してほぼ垂直に配置された１組の電極５（５ａ，５ｂ）と、流体流動方向「Ｆ」に対してほぼ平行に配置された別の１組の電極５（５ｃ，５ｄ）とを示している。図１９ｄは、図１９ｃに示された電極構造の鏡像を示している。図１９ａ，１９ｂ，１９ｃ及び１９ｄのそれぞれは電極５だけを示しているが、図１９ａ〜１９ｄのそれぞれに示された電極５のいくつか又は全ての代わりに電極１を使用し得ること、及び／又は、（例えば図８ａ〜８ｄ及び図９ａ〜９ｄに開示された電極構造と同様に）電極１を混ぜ合わせ得ることは明らかである。これらの選択的な電極構造、及びこれらの付随する利点については、本明細書中で詳細に論じる。
【００６３】
図２０ａ〜２０ｐは、図１９ａに示された実施態様にだけ対応する電極１及び５の全ての構造に対して考えられ得る使用可能な種々様々な電極構造の実施態様を示す種々の断面斜視図である。具体的には、例えば電極１又は５の数、並びに、このような電極１及び５の特定の相対位置が図２０ａ〜２０ｐにおいて変化する。もちろん、図２０ａ〜２０ｐに示されたこれらの電極１及び５は、図１９ｂ，１９ｃ及び１９ｄに示された別の電極構造のそれぞれに従って構成することもできる（すなわち図１９ｂ，１９ｃ及び１９ｄのそれぞれに相当する１６の付加的な図面）が、しかし簡潔にするために、付加的な図面はここには含まれていない。これらの電極集成体の特定の利点、及びその他については、本明細書中の別の個所で詳細に論じる。
【００６４】
図２０ａ〜２０ｐに示された電極構造のそれぞれは、特定の運転条件に応じて、本発明のメカニズム、装置、及び方法から種々異なる生成物を生じさせることができる。これらの種々の構造及びこれらの利点については、本明細書中の別の個所で詳細に論じる。
【００６５】
図２１ａ，２１ｂ，２１ｃ及び２１ｄは、本発明の付加的な実施態様を示す断面斜視図である。これら図２１ａ〜２１ｄに示された電極配列は、それぞれ図１９ａ，１９ｂ，１９ｃ及び１９ｄに示された電極配列と配列が類似している。しかし、これらの図２１ａ〜２１ｄには、膜集成体又はバリア集成体５０も含まれている。本発明のこれらの実施態様の場合、異なる電極セットで又はその近くで形成された異なる生成物を分離するための手段として膜５０が設けられているので、膜５０の一方の側で電極セット１及び／又は５によって形成された生成物のいくつか又は全てを少なくとも部分的に単離又は分離することができ、或いは、膜５０の他方の側で電極セット１及び／又は５で又はその近くで形成された特定の生成物からほぼ完全に単離することもできる。この膜手段５０は、機械的バリア、物理的バリア、機械物理的バリア、化学的バリア、電気的バリアなどとして作用してよい。従って、第１の電極セット１及び／又は５から形成された特定の生成物は、第２の電極セット１及び／又は５から形成された特定の生成物から少なくとも部分的に、或いはほぼ完全に単離することができる。同様に、直列に配置された付加的な電極セットを同様に設けることもできる。換言すれば、各電極セット１及び５で又はその近くで異なる膜５０を利用することができ、そしてここから産出された特定の生成物を制御して、ここから長手方向で見て下流側の付加的な電極セット１及び／又は５に選択的に供給することができる。このような膜５０は、液体３及び／又はトラフ部材３０内で産出された液体３中に存在するナノ粒子又はイオン又は成分から成る種々異なる組成物をもたらすことができる（本明細書中で詳細に論じる）。例えば、液体３中の異なる形成済組成物を互いに単離することができる。
【００６６】
図２２ａは、図９ｃに示された電極集成体５ａ，５ｂに相当する電極集成体を示す斜視断面図である。この電極集成体は、化学的、物理的、化学物理的及び／又は機械的分離のための膜５０を利用することもできる。これに関して、図２２ｂは、電極５ａ，５ｂ間に配置された膜５０を示す。言うまでもなく、電極５ａ，５ｂは、例えば図９ａ〜９ｃに示された複数の構造のうちのいずれかを成す電極１と交換することもできる。図２２ｂの場合、膜集成体５０は、電極５ａで形成された生成物のうちのいくつか又は全てを、電極５ｂで形成された生成物のうちのいくつか又は全てから部分的に又はほぼ完全に単離する能力を有している。従って、電極５ａ及び５ｂのいずれかで形成された様々な種は、液体３がトラフ部材３０の長手方向の長さに沿って被る長手方向流動方向「Ｆ」において、付加的な電極集成体セット５ａ，５ｂ及び／又は電極セット５及び電極セット１の組み合わせと順次反応できるように制御することができる。従って、膜５０の適宜選択することにより、どの電極（又は後続又は下流側の電極セット）に位置するどの生成物も制御、操作、及び／又は調節することができる。電極５ａ及び５ｂの極性が対向する好ましい実施態様の場合、種々異なる生成物が、電極５ｂに対して電極５ａに形成され得る。
【００６７】
図２２ｃは、電極５ａ及び５ｂのための完全に異なる別の電極構造の本発明の別の異なる実施態様を、断面概略図で示している。この事例では、電極５ａ（又はもちろん電極１ａ）が膜５０の上方に配置されており、電極５ｂが膜５０の下方に配置されている（例えば液体３中にほぼ完全に沈んでいる）。これに関して、電極５ｂは複数の電極を含むことができ、或いは、トラフ部材３０の長手方向の少なくともいくらかの長さ又は全長に沿って延びる単一の電極であってもよい。この実施態様において、膜５０の上方の電極５に生成された特定の種は、膜５０の下方に生成された特定の種とは異なることが可能であり、このような種は、トラフ部材３０の長手方向の長さに沿って異なる形で反応することができる。これに関して、膜５０は、トラフ部材３０の全長にわたって延びる必要はなく、このような長さの一部だけにわたって存在していてよく、そしてその後、順次の電極集成体１及び／又は５は、そこから産出された生成物と反応することができる。明示的に述べられたこれらの実施態様を凌ぐ種々様々な付加的な実施態様が、明示的に開示された実施態様の思想の範囲に含まれることは読者には明らかである。
【００６８】
図２２ｄは、本発明の別の選択的な実施態様を示しており、ここでは、図２２ｃに示された電極５ａの構造（及びもちろん電極１）が、トラフ部材３０の長さに沿って少なくとも一部にわたって延びる膜５０の一部の上方に配置されており、そして、第２の電極（又は複数の電極）５ｂ（図２２ｃの電極５ｂと類似する）が、トラフ部材３０の底部に沿って長手方向長さの少なくとも一部にわたって延びている。複数の電極５ａを利用するこの実施態様では、付加的な動作柔軟性を達成することができる。例えば、電圧及び電流を少なくとも２つの電極５ａ内に分割することにより、複数の電極５ａにおける反応は、同様のサイズ、形状及び／又は組成の単一の電極５ａで発生する反応とは異なる可能性がある。もちろん、この複数電極構造は、本明細書中に開示された実施態様の多くに利用することができるが、しかし簡潔にするために明示的に論じてはいない。しかしながら一般には、複数の電極１及び／又は５（すなわち単一の電極１及び／又は５ではなく）は、本発明に従って産出された生成物に大きい柔軟性を加えることができる。これらの利点のうちの特定のものの詳細については、本明細書中の別の個所で論じる。
【００６９】
図２３ａは、本発明の別の実施態様を示す断面斜視図であり、この図は、図１９ａに示された電極セット５に概ね相当する電極セット５を示している。但し、図２３ａの実施態様の相違は、図１９ａに示された２組の電極５ａ，５ｂ，５ｃ及び５ｄに加えて第３組の電極５ｅ，５ｆが設けられていることである。もちろん、電極セット５ａ，５ｂ，５ｃ，５ｄ，５ｅ及び５ｆを９０度だけ回転させて、図１９ｂに示された２組の電極に概ね相当するようにすることもできる。これらの電極セット構造の付加的な実施態様を示す付加的な図面は、簡潔にするためにここには含まれていない。
【００７０】
図２３ｂは、本発明の別の実施態様を示しており、この実施態様も多くの付加的な実施態様に並べ替えられる。３組の電極５ａ，５ｂ，５ｃ，５ｄ，５ｅ及び５ｆの間に、膜集成体５０ａ及び５０ｂが挿入されている。電極構造と、電極数と、分離を達成するために使用される正確な膜手段５０との組み合わせには、多くの実施態様が含まれることはもちろん明らかである。これらのうちのそれぞれは、本発明の教示を受けると、種々異なる生成物を産出することができる。これらの実施態様の生成物及び動作については、本明細書中の別の個所で詳細に論じる。
【００７１】
図２４ａ〜２４ｅ；２５ａ〜２５ｅ；及び２６ａ〜２６ｅは、本明細書中に開示された種々の実施態様に従って利用することができる種々様々な膜手段５０の構成及び／又は位置を示す断面図である。これらの実施態様のそれぞれにおいて、膜手段５０は、１つ又は２つ以上の電極集成体１／５で形成された１種又は２種以上の生成物を分離する手段を提供する。
【図面の簡単な説明】
【００７２】
【図１ａ】本発明による手動電極集成体を示す概略断面図である。
【図１ｂ】本発明による手動電極集成体を示す概略断面図である。
【図１ｃ】本発明による手動電極集成体を示す概略断面図である。
【図２ａ】本発明による自動電極集成体を示す概略断面図である。
【図２ｂ】本発明による自動電極集成体を示す概略断面図である。
【図３ａ】自動装置によって制御される電極１及び５の４つの選択的な電極構造を示す図である。
【図３ｂ】自動装置によって制御される電極１及び５の４つの選択的な電極構造を示す図である。
【図３ｃ】自動装置によって制御される電極１及び５の４つの選択的な電極構造を示す図である。
【図３ｄ】自動装置によって制御される電極１及び５の４つの選択的な電極構造を示す図である。
【図４ａ】手動で制御される電極１及び５の４つの選択的な電極構造を示す図である。
【図４ｂ】手動で制御される電極１及び５の４つの選択的な電極構造を示す図である。
【図４ｃ】手動で制御される電極１及び５の４つの選択的な電極構造を示す図である。
【図４ｄ】手動で制御される電極１及び５の４つの選択的な電極構造を示す図である。
【図５ａ】電極１のための構造の５つの異なる実施態様を示す図である。
【図５ｂ】電極１のための構造の５つの異なる実施態様を示す図である。
【図５ｃ】電極１のための構造の５つの異なる実施態様を示す図である。
【図５ｄ】電極１のための構造の５つの異なる実施態様を示す図である。
【図５ｅ】電極１のための構造の５つの異なる実施態様を示す図である。
【図６】図６は、電極１の１つの具体的な構造を利用して産出されたプラズマを示す断面概略図である。
【図７ａ】利用される２つの電極集成体を示す断面透視図である。
【図７ｂ】利用される２つの電極集成体を示す断面透視図である。
【図８ａ】それぞれ図３ａ〜３ｄに示された電極集成体に相当する４つの異なる電極集成体を示す概略透視図である。
【図８ｂ】それぞれ図３ａ〜３ｄに示された電極集成体に相当する４つの異なる電極集成体を示す概略透視図である。
【図８ｃ】それぞれ図３ａ〜３ｄに示された電極集成体に相当する４つの異なる電極集成体を示す概略透視図である。
【図８ｄ】それぞれ図３ａ〜３ｄに示された電極集成体に相当する４つの異なる電極集成体を示す概略透視図である。
【図９ａ】それぞれ図４ａ〜４ｄに示された電極集成体に相当する４つの異なる電極集成体を示す概略透視図である。
【図９ｂ】それぞれ図４ａ〜４ｄに示された電極集成体に相当する４つの異なる電極集成体を示す概略透視図である。
【図９ｃ】それぞれ図４ａ〜４ｄに示された電極集成体に相当する４つの異なる電極集成体を示す概略透視図である。
【図９ｄ】それぞれ図４ａ〜４ｄに示された電極集成体に相当する４つの異なる電極集成体を示す概略透視図である。
【図１０ａ】種々のトラフ部材３０を示す断面図である。
【図１０ｂ】種々のトラフ部材３０を示す断面図である。
【図１０ｃ】種々のトラフ部材３０を示す断面図である。
【図１０ｄ】種々のトラフ部材３０を示す断面図である。
【図１０ｅ】種々のトラフ部材３０を示す断面図である。
【図１１ａ】種々のトラフ部材及び雰囲気制御・支持装置を示す斜視図である。
【図１１ｂ】種々のトラフ部材及び雰囲気制御・支持装置を示す斜視図である。
【図１１ｃ】種々のトラフ部材及び雰囲気制御・支持装置を示す斜視図である。
【図１１ｄ】種々のトラフ部材及び雰囲気制御・支持装置を示す斜視図である。
【図１１ｅ】種々のトラフ部材及び雰囲気制御・支持装置を示す斜視図である。
【図１１ｆ】種々のトラフ部材及び雰囲気制御・支持装置を示す斜視図である。
【図１１ｇ】種々のトラフ部材及び雰囲気制御・支持装置を示す斜視図である。
【図１１ｈ】種々のトラフ部材及び雰囲気制御・支持装置を示す斜視図である。
【図１２ａ】電極セット１及び／又は５の周りの雰囲気を局所的に制御するための種々の雰囲気制御装置を示す図である。
【図１２ｂ】電極セット１及び／又は５の周りの雰囲気を局所的に制御するための種々の雰囲気制御装置を示す図である。
【図１３】トラフ部材３０全体の周りの雰囲気を制御するための雰囲気制御装置を示す図である。
【図１４】液体３が貫流するトラフ部材３０上に配置された１組の制御装置２０を示す概略断面図である。
【図１５ａ】トラフ部材３０の種々の角度θ1及びθ2を示す概略断面図である。
【図１５ｂ】トラフ部材３０の種々の角度θ1及びθ2を示す概略断面図である。
【図１６ａ】トラフ部材３０の上側に配置された、電極集成体１及び／又は５を含む種々の制御装置２０を示す斜視図である。
【図１６ｂ】トラフ部材３０の上側に配置された、電極集成体１及び／又は５を含む種々の制御装置２０を示す斜視図である。
【図１６ｃ】トラフ部材３０の上側に配置された、電極集成体１及び／又は５を含む種々の制御装置２０を示す斜視図である。
【図１７】トラフ部材３０の上側に配置された、電極集成体１及び／又は５を含む種々の制御装置２０を示す斜視図である。
【図１８】トラフ部材３０の上側に配置された、電極集成体１及び／又は５を含む種々の制御装置２０であって、装置全体の周りの環境を制御する密閉容器３８と、さらに保持タンク４１とを含む制御装置２０を示す透視図である。
【図１９ａ】トラフ部材３０内部に含有された複数の電極セットを示す斜視概略図である。
【図１９ｂ】トラフ部材３０内部に含有された複数の電極セットを示す斜視概略図である。
【図１９ｃ】トラフ部材３０内部に含有された複数の電極セットを示す斜視概略図である。
【図１９ｄ】トラフ部材３０内部に含有された複数の電極セットを示す斜視概略図である。
【図２０ａ】複数の電極セット１／５を１６の考えられ得る異なる組み合わせで示す斜視図である。
【図２０ｂ】複数の電極セット１／５を１６の考えられ得る異なる組み合わせで示す斜視図である。
【図２０ｃ】複数の電極セット１／５を１６の考えられ得る異なる組み合わせで示す斜視図である。
【図２０ｄ】複数の電極セット１／５を１６の考えられ得る異なる組み合わせで示す斜視図である。
【図２０ｅ】複数の電極セット１／５を１６の考えられ得る異なる組み合わせで示す斜視図である。
【図２０ｆ】複数の電極セット１／５を１６の考えられ得る異なる組み合わせで示す斜視図である。
【図２０ｇ】複数の電極セット１／５を１６の考えられ得る異なる組み合わせで示す斜視図である。
【図２０ｈ】複数の電極セット１／５を１６の考えられ得る異なる組み合わせで示す斜視図である。
【図２０ｉ】複数の電極セット１／５を１６の考えられ得る異なる組み合わせで示す斜視図である。
【図２０ｊ】複数の電極セット１／５を１６の考えられ得る異なる組み合わせで示す斜視図である。
【図２０ｋ】複数の電極セット１／５を１６の考えられ得る異なる組み合わせで示す斜視図である。
【図２０ｌ】複数の電極セット１／５を１６の考えられ得る異なる組み合わせで示す斜視図である。
【図２０ｍ】複数の電極セット１／５を１６の考えられ得る異なる組み合わせで示す斜視図である。
【図２０ｎ】複数の電極セット１／５を１６の考えられ得る異なる組み合わせで示す斜視図である。
【図２０ｏ】複数の電極セット１／５を１６の考えられ得る異なる組み合わせで示す斜視図である。
【図２０ｐ】複数の電極セット１／５を１６の考えられ得る異なる組み合わせで示す斜視図である。
【図２１ａ】膜５０によって分離された、考えられ得る電極構造を示す４つの斜視概略図である。
【図２１ｂ】膜５０によって分離された、考えられ得る電極構造を示す４つの斜視概略図である。
【図２１ｃ】膜５０によって分離された、考えられ得る電極構造を示す４つの斜視概略図である。
【図２１ｄ】膜５０によって分離された、考えられ得る電極構造を示す４つの斜視概略図である。
【図２２ａ】膜５０によって分離された、４つの異なる電極組み合わせを示す斜視概略図である。
【図２２ｂ】膜５０によって分離された、４つの異なる電極組み合わせを示す斜視概略図である。
【図２２ｃ】膜５０によって分離された、４つの異なる電極組み合わせを示す斜視概略図である。
【図２２ｄ】膜５０によって分離された、４つの異なる電極組み合わせを示す斜視概略図である。
【図２３ａ】３組の電極を示す斜視概略図である。
【図２３ｂ】２つの膜５０ａ及び５０ｂによって分離された３組の電極を示す斜視概略図である。
【図２４ａ】種々の断面のトラフ部材３０内に配置された種々の膜５０を示す図である。
【図２４ｂ】種々の断面のトラフ部材３０内に配置された種々の膜５０を示す図である。
【図２４ｃ】種々の断面のトラフ部材３０内に配置された種々の膜５０を示す図である。
【図２４ｄ】種々の断面のトラフ部材３０内に配置された種々の膜５０を示す図である。
【図２４ｅ】種々の断面のトラフ部材３０内に配置された種々の膜５０を示す図である。
【図２５ａ】種々の断面のトラフ部材３０内に配置された種々の膜５０を示す図である。
【図２５ｂ】種々の断面のトラフ部材３０内に配置された種々の膜５０を示す図である。
【図２５ｃ】種々の断面のトラフ部材３０内に配置された種々の膜５０を示す図である。
【図２５ｄ】種々の断面のトラフ部材３０内に配置された種々の膜５０を示す図である。
【図２５ｅ】種々の断面のトラフ部材３０内に配置された種々の膜５０を示す図である。
【図２６ａ】種々の断面のトラフ部材３０内に配置された種々の膜５０を示す図である。
【図２６ｂ】種々の断面のトラフ部材３０内に配置された種々の膜５０を示す図である。
【図２６ｃ】種々の断面のトラフ部材３０内に配置された種々の膜５０を示す図である。
【図２６ｄ】種々の断面のトラフ部材３０内に配置された種々の膜５０を示す図である。
【図２６ｅ】種々の断面のトラフ部材３０内に配置された種々の膜５０を示す図である。
【図２７】制御装置２０を示す斜視図である。
【図２８ａ】制御装置２０を示す斜視図である。
【図２８ｂ】制御装置２０を示す斜視図である。
【図２８ｃ】電極ホルダを示す斜視図である。
【図２８ｄ】局所的雰囲気制御装置を有する、そして有さない、種々の制御装置２０を示す種々様々な斜視図である。
【図２８ｅ】局所的雰囲気制御装置を有する、そして有さない、種々の制御装置２０を示す種々様々な斜視図である。
【図２８ｆ】局所的雰囲気制御装置を有する、そして有さない、種々の制御装置２０を示す種々様々な斜視図である。
【図２８ｇ】局所的雰囲気制御装置を有する、そして有さない、種々の制御装置２０を示す種々様々な斜視図である。
【図２８ｈ】局所的雰囲気制御装置を有する、そして有さない、種々の制御装置２０を示す種々様々な斜視図である。
【図２８ｉ】局所的雰囲気制御装置を有する、そして有さない、種々の制御装置２０を示す種々様々な斜視図である。
【図２８ｊ】局所的雰囲気制御装置を有する、そして有さない、種々の制御装置２０を示す種々様々な斜視図である。
【図２８ｋ】局所的雰囲気制御装置を有する、そして有さない、種々の制御装置２０を示す種々様々な斜視図である。
【図２８ｌ】局所的雰囲気制御装置を有する、そして有さない、種々の制御装置２０を示す種々様々な斜視図である。
【図２９】耐火部材２９とヒートシンク２８とを含む熱管理装置を示す斜視図である。
【図３０】制御装置２０を示す斜視図である。
【図３１】制御装置２０を示す斜視図である。
【図３２ａ】本発明の異なる実施態様とともに使用するためのＡＣ変圧器の電気配線を示す配線図である。
【図３２ｂ】本発明の異なる実施態様とともに使用するためのＡＣ変圧器の電気配線を示す配線図である。
【図３２ｃ】本発明の異なる実施態様とともに使用するためのＡＣ変圧器の電気配線を示す配線図である。
【図３３ａ】変圧器を示す概略図である。
【図３３ｂ】同相及び異相の２つの正弦波を示す概略図である。
【図３３ｃ】同相及び異相の２つの正弦波を示す概略図である。
【図３４ａ】８組の電極と一緒に使用するための８つの電気配線図を示す概略図である。
【図３４ｂ】８組の電極と一緒に使用するための８つの電気配線図を示す概略図である。
【図３４ｃ】８組の電極と一緒に使用するための８つの電気配線図を示す概略図である。
【図３５】変圧器の二次コイルの出力からの電圧を監視するために利用される電気配線図を示す概略図である。
【図３６ａ】Velleman K 8056回路リレーボードと連携する配線図を示す概略図である。
【図３６ｂ】Velleman K 8056回路リレーボードと連携する配線図を示す概略図である。
【図３６ｃ】Velleman K 8056回路リレーボードと連携する配線図を示す概略図である。
【図３７ａ】銀系ナノ粒子及びナノ粒子溶液を製造するために例１に使用される８つの電極セットの１６個の異なる電極に印加される種々のターゲット電圧及び実平均電圧を示す棒グラフである。
【図３７ｂ】例１に使用される１６個の異なる電極に対して時間の関数として印加される実電圧を示す図である。
【図３７ｃ】例１に使用される１６個の異なる電極に対して時間の関数として印加される実電圧を示す図である。
【図３７ｄ】例１に使用される１６個の異なる電極に対して時間の関数として印加される実電圧を示す図である。
【図３７ｅ】例１に使用される１６個の異なる電極に対して時間の関数として印加される実電圧を示す図である。
【図３７ｆ】例１に使用される１６個の異なる電極に対して時間の関数として印加される実電圧を示す図である。
【図３７ｇ】例１に使用される１６個の異なる電極に対して時間の関数として印加される実電圧を示す図である。
【図３７ｈ】例１に使用される１６個の異なる電極に対して時間の関数として印加される実電圧を示す図である。
【図３７ｉ】例１に使用される１６個の異なる電極に対して時間の関数として印加される実電圧を示す図である。
【図３８ａ】銀系ナノ粒子及びナノ粒子溶液を製造するために例２に使用される８つの電極セットの１６個の異なる電極に印加される種々のターゲット電圧及び実平均電圧を示す棒グラフである。
【図３８ｂ】例２に使用される１６個の異なる電極に対して時間の関数として印加される実電圧を示す図である。
【図３８ｃ】例２に使用される１６個の異なる電極に対して時間の関数として印加される実電圧を示す図である。
【図３８ｄ】例２に使用される１６個の異なる電極に対して時間の関数として印加される実電圧を示す図である。
【図３８ｅ】例２に使用される１６個の異なる電極に対して時間の関数として印加される実電圧を示す図である。
【図３８ｆ】例２に使用される１６個の異なる電極に対して時間の関数として印加される実電圧を示す図である。
【図３８ｇ】例２に使用される１６個の異なる電極に対して時間の関数として印加される実電圧を示す図である。
【図３８ｈ】例２に使用される１６個の異なる電極に対して時間の関数として印加される実電圧を示す図である。
【図３８ｉ】例２に使用される１６個の異なる電極に対して時間の関数として印加される実電圧を示す図である。
【図３９ａ】銀系ナノ粒子及びナノ粒子溶液を製造するために例３に使用される８つの電極セットの１６個の異なる電極に印加される種々のターゲット電圧及び実平均電圧を示す棒グラフである。
【図３９ｂ】例３に使用される１６個の異なる電極に対して時間の関数として印加される実電圧を示す図である。
【図３９ｃ】例３に使用される１６個の異なる電極に対して時間の関数として印加される実電圧を示す図である。
【図３９ｄ】例３に使用される１６個の異なる電極に対して時間の関数として印加される実電圧を示す図である。
【図３９ｅ】例３に使用される１６個の異なる電極に対して時間の関数として印加される実電圧を示す図である。
【図３９ｆ】例３に使用される１６個の異なる電極に対して時間の関数として印加される実電圧を示す図である。
【図３９ｇ】例３に使用される１６個の異なる電極に対して時間の関数として印加される実電圧を示す図である。
【図３９ｈ】例３に使用される１６個の異なる電極に対して時間の関数として印加される実電圧を示す図である。
【図３９ｉ】例３に使用される１６個の異なる電極に対して時間の関数として印加される実電圧を示す図である。
【図４０ａ】亜鉛系ナノ粒子及びナノ粒子溶液を製造するために例４に使用される８つの電極セットの１６個の異なる電極に印加される種々のターゲット電圧及び実平均電圧を示す棒グラフである。
【図４０ｂ】例４に使用される１６個の異なる電極に対して時間の関数として印加される実電圧を示す図である。
【図４０ｃ】例４に使用される１６個の異なる電極に対して時間の関数として印加される実電圧を示す図である。
【図４０ｄ】例４に使用される１６個の異なる電極に対して時間の関数として印加される実電圧を示す図である。
【図４０ｅ】例４に使用される１６個の異なる電極に対して時間の関数として印加される実電圧を示す図である。
【図４０ｆ】例４に使用される１６個の異なる電極に対して時間の関数として印加される実電圧を示す図である。
【図４０ｇ】例４に使用される１６個の異なる電極に対して時間の関数として印加される実電圧を示す図である。
【図４０ｈ】例４に使用される１６個の異なる電極に対して時間の関数として印加される実電圧を示す図である。
【図４０ｉ】例４に使用される１６個の異なる電極に対して時間の関数として印加される実電圧を示す図である。
【図４１ａ】銅系ナノ粒子及びナノ粒子溶液を製造するために例５に使用される８つの電極セットの１６個の異なる電極に印加される種々のターゲット電圧及び実平均電圧を示す棒グラフである。
【図４１ｂ】例５に使用される１６個の異なる電極に対して時間の関数として印加される実電圧を示す図である。
【図４１ｃ】例５に使用される１６個の異なる電極に対して時間の関数として印加される実電圧を示す図である。
【図４１ｄ】例５に使用される１６個の異なる電極に対して時間の関数として印加される実電圧を示す図である。
【図４１ｅ】例５に使用される１６個の異なる電極に対して時間の関数として印加される実電圧を示す図である。
【図４１ｆ】例５に使用される１６個の異なる電極に対して時間の関数として印加される実電圧を示す図である。
【図４１ｇ】例５に使用される１６個の異なる電極に対して時間の関数として印加される実電圧を示す図である。
【図４１ｈ】例５に使用される１６個の異なる電極に対して時間の関数として印加される実電圧を示す図である。
【図４１ｉ】例５に使用される１６個の異なる電極に対して時間の関数として印加される実電圧を示す図である。
【図４２ａ】例１〜５の各例において形成された材料のＳＥＭ−ＥＤＳプロットである。
【図４２ｂ】例１〜５の各例において形成された材料のＳＥＭ−ＥＤＳプロットである。
【図４２ｃ】例１〜５の各例において形成された材料のＳＥＭ−ＥＤＳプロットである。
【図４２ｄ】例１〜５の各例において形成された材料のＳＥＭ−ＥＤＳプロットである。
【図４２ｅ】例１〜５の各例において形成された材料のＳＥＭ−ＥＤＳプロットである。
【図４２ｆ】例１〜５の原材料を利用して形成された（すなわち表８及び表９に従って形成された）１０種の異なるＧＲ１〜ＧＲ１０に相当する。
【図４２ｇ】例１〜５の原材料を利用して形成された（すなわち表８及び表９に従って形成された）１０種の異なるＧＲ１〜ＧＲ１０に相当する。
【図４２ｈ】例１〜５の原材料を利用して形成された（すなわち表８及び表９に従って形成された）１０種の異なるＧＲ１〜ＧＲ１０に相当する。
【図４２ｉ】例１〜５の原材料を利用して形成された（すなわち表８及び表９に従って形成された）１０種の異なるＧＲ１〜ＧＲ１０に相当する。
【図４２ｊ】例１〜５の原材料を利用して形成された（すなわち表８及び表９に従って形成された）１０種の異なるＧＲ１〜ＧＲ１０に相当する。
【図４２ｋ】例１〜５の原材料を利用して形成された（すなわち表８及び表９に従って形成された）１０種の異なるＧＲ１〜ＧＲ１０に相当する。
【図４２ｌ】例１〜５の原材料を利用して形成された（すなわち表８及び表９に従って形成された）１０種の異なるＧＲ１〜ＧＲ１０に相当する。
【図４２ｍ】例１〜５の原材料を利用して形成された（すなわち表８及び表９に従って形成された）１０種の異なるＧＲ１〜ＧＲ１０に相当する。
【図４２ｎ】例１〜５の原材料を利用して形成された（すなわち表８及び表９に従って形成された）１０種の異なるＧＲ１〜ＧＲ１０に相当する。
【図４２ｏ】例１〜５の原材料を利用して形成された（すなわち表８及び表９に従って形成された）１０種の異なるＧＲ１〜ＧＲ１０に相当する。
【図４３ａ−１】（i）‐（ii）は、例１〜５の原材料に相当する各図面で４つの異なる倍率で示されたＳＥＭ顕微鏡写真である。
【図４３ａ−２】（iii）‐（iv）は、例１〜５の原材料に相当する各図面で４つの異なる倍率で示されたＳＥＭ顕微鏡写真である。
【図４３ｂ−１】（i）‐（ii）は、例１〜５の原材料に相当する各図面で４つの異なる倍率で示されたＳＥＭ顕微鏡写真である。
【図４３ｂ−２】（iii）‐（iv）は、例１〜５の原材料に相当する各図面で４つの異なる倍率で示されたＳＥＭ顕微鏡写真である。
【図４３ｃ−１】（i）‐（ii）は、例１〜５の原材料に相当する各図面で４つの異なる倍率で示されたＳＥＭ顕微鏡写真である。
【図４３ｃ−２】（iii）‐（iv）は、例１〜５の原材料に相当する各図面で４つの異なる倍率で示されたＳＥＭ顕微鏡写真である。
【図４３ｄ−１】（i）‐（ii）は、例１〜５の原材料に相当する各図面で４つの異なる倍率で示されたＳＥＭ顕微鏡写真である。
【図４３ｄ−２】（iii）‐（iv）は、例１〜５の原材料に相当する各図面で４つの異なる倍率で示されたＳＥＭ顕微鏡写真である。
【図４３ｅ−１】（i）‐（ii）は、例１〜５の原材料に相当する各図面で４つの異なる倍率で示されたＳＥＭ顕微鏡写真である。
【図４３ｅ−２】（iii）‐（iv）は、例１〜５の原材料に相当する各図面で４つの異なる倍率で示されたＳＥＭ顕微鏡写真である。
【図４３ｆ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｆ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｇ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｇ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｈ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｈ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｉ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｉ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｊ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｊ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｋ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｋ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｌ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｌ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｍ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｍ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｎ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｎ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｏ−１】（i）‐（ii）は、表８及び表９で開示された溶液ＧＲ１〜ＧＲ１０に相当する各図面で４つの異なる倍率で示されたＳＥＭ顕微鏡写真である。
【図４３ｏ−２】（iii）‐（iv）は、表８及び表９で開示された溶液ＧＲ１〜ＧＲ１０に相当する各図面で４つの異なる倍率で示されたＳＥＭ顕微鏡写真である。
【図４３ｐ】(i）‐（iii)は、ＡＴ０３１を製造するために用いられた生産パラメータに対応して形成された銀成分を３つの異なる倍率で撮影したＴＥＭ顕微鏡写真を開示している。
【図４３ｑ】(i）‐（vｉ)は、ＡＴ０６０を製造するために用いられた生産パラメータに対応して形成された銀成分を３つの異なる倍率で撮影した６つの異なるＴＥＭ顕微鏡写真を開示している。
【図４３ｒ】（i）‐（ii）は、ＢＴ００６を製造するために用いられた生産パラメータに従って形成された亜鉛成分を２つの異なる倍率で撮影した２つの異なるＴＥＭ顕微鏡写真を開示している。
【図４３ｓ】(i）‐（v)は、溶液ＧＲ５の３つの異なる倍率で撮影した５つの異なるＴＥＭ顕微鏡写真を開示している。
【図４３ｔ−１】(i）‐（vi）は、溶液ＧＲ８の３つの異なる倍率で撮影した１０個の異なるＴＥＭ顕微鏡写真を開示している。
【図４３ｔ−２】(vii）‐（x)は、溶液ＧＲ８の３つの異なる倍率で撮影した１０個の異なるＴＥＭ顕微鏡写真を開示している。
【図４４ａ】例１〜５に従って製造された原材料の５つのＵＶ−Ｖｉｓスペクトルを示す図である。
【図４４ｂ】例１〜５に従って原材料と一緒に製造された、表８及び表９に示された１０種の異なる溶液ＧＲ１〜ＧＲ１０のＵＶ−Ｖｉｓスペクトルを示す図である。
【図４４ｃ】例１〜５に従って原材料と一緒に製造された、表８及び表９に示された１０種の異なる溶液ＧＲ１〜ＧＲ１０のＵＶ−Ｖｉｓスペクトルを示す図である。
【図４４ｄ】例１〜５に従って原材料と一緒に製造された、表８及び表９に示された１０種の異なる溶液ＧＲ１〜ＧＲ１０のＵＶ−Ｖｉｓスペクトルを示す図である。
【図４４ｅ】例１〜５に従って原材料と一緒に製造された、表８及び表９に示された１０種の異なる溶液ＧＲ１〜ＧＲ１０のＵＶ−Ｖｉｓスペクトルを示す図である。
【図４５】表８及び表９に示された１０種の溶液ＧＲ１〜ＧＲ１０のそれぞれのラマンスペクトルを示す図である。
【図４６】例１〜５の原材料、及び、表８及び表９に示された溶液ＧＲ１〜ＧＲ１０に対するE. coliの生物学的バイオスクリーンの結果を示す図である。
【図４７】E. coliに対してＧＲ３を利用してバイオスクリーン装置で得られた生物学的最小阻止濃度（「ＭＩＣ」）を示す図であり、最適密度が時間の関数としてプロットされている。
【図４８】E. coliに対してＧＲ８を利用してバイオスクリーン装置で得られた生物学的最小阻止濃度（「ＭＩＣ」）を示す図であり、最適密度が時間の関数としてプロットされている。
【図４９】例２から製造された原材料と、例４において製造された種々の変動量の原材料とを組み合わせたものを利用して、バイオスクリーン装置から得られた生物学的結果を示す図であり、最適密度が時間の関数としてプロットされている。
【図５０ａ】種々の量の処理済水が添加された、バイオスクリーン装置で得られた例２において製造された原材料の生物学的結果を示す図であり、最適密度が時間の関数としてプロットされている。
【図５０ｂ】種々の量の処理済水が添加された、バイオスクリーン装置で得られた例２において製造された原材料の生物学的結果を示す図であり、最適密度が時間の関数としてプロットされている。
【図５０ｃ】、種々の量の処理済水が添加された、バイオスクリーン装置で得られた例２において製造された原材料の生物学的結果を示す図であり、最適密度が時間の関数としてプロットされている。
【図５０ｄ】、種々の量の処理済水が添加された、バイオスクリーン装置で得られた例２において製造された原材料の生物学的結果を示す図であり、最適密度が時間の関数としてプロットされている。
【図５１ａ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５１ｂ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５１ｃ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５１ｄ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５１ｅ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５１ｆ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５１ｇ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５１ｈ】ミニブタ腎線維芽細胞及びマウス肝上皮細胞の両方に対する溶液ＧＲ３，ＧＲ５，ＧＲ８及びＧＲ９に関する種々の細胞成長及び細胞毒性の曲線を示す図であり、対照（１００％）細胞に対する蛍光量が、増大するナノ粒子量に対してプロットされている。
【図５２ａ】マウス肝上皮細胞に対するＧＲ３，ＧＲ５及びＧＲ８の細胞毒性（ＬＤ50）結果（曲線）を示す図であり、対照（１００％）細胞に対する蛍光量が、増大するナノ粒子量に対してプロットされている。
【図５２ｂ】マウス肝上皮細胞に対するＧＲ３，ＧＲ５及びＧＲ８の細胞毒性（ＬＤ50）結果（曲線）を示す図であり、対照（１００％）細胞に対する蛍光量が、増大するナノ粒子量に対してプロットされている。
【図５２ｃ】マウス肝上皮細胞に対するＧＲ３，ＧＲ５及びＧＲ８の細胞毒性（ＬＤ50）結果（曲線）を示す図であり、対照（１００％）細胞に対する蛍光量が、増大するナノ粒子量に対してプロットされている。
【図５２ｄ】マウス肝上皮細胞に対するＧＲ３，ＧＲ５及びＧＲ８の細胞毒性（ＬＤ50）結果（曲線）を示す図であり、対照（１００％）細胞に対する蛍光量が、増大するナノ粒子量に対してプロットされている。
【図５２ｅ】マウス肝上皮細胞に対するＧＲ３，ＧＲ５及びＧＲ８の細胞毒性（ＬＤ50）結果（曲線）を示す図であり、対照（１００％）細胞に対する蛍光量が、増大するナノ粒子量に対してプロットされている。
【図５２ｆ】マウス肝上皮細胞に対するＧＲ３，ＧＲ５及びＧＲ８の細胞毒性（ＬＤ50）結果（曲線）を示す図であり、対照（１００％）細胞に対する蛍光量が、増大するナノ粒子量に対してプロットされている。
【図５３ａ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５３ｂ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５３ｃ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５３ｄ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５３ｅ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５３ｆ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５３ｇ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５３ｈ】ミニブタ腎線維芽細胞に対するＧＲ３，ＧＲ５，ＧＲ８及びＧＲ９に関するＬＤ50結果（曲線）を示す図であり、対照（１００％）細胞に対する蛍光量が、増大するナノ粒子量に対してプロットされている。
【図５４】表８において形成された溶液ＧＲ５の性能に関するバイオスクリーン装置からの生物学的結果を示し、凍結乾燥して水で戻したＧＲ５と比較した図であり、最適密度が時間の関数としてプロットされている。
【図５５ａ】銀系ナノ粒子及びナノ粒子溶液を製造するために例６に使用される種々異なる電極に印加される種々のターゲット電圧及び実平均電圧を示す棒グラフである。
【図５５ｂ】銀系ナノ粒子及びナノ粒子溶液を製造するために例６に使用される種々異なる電極に印加される種々のターゲット電圧及び実平均電圧を示す棒グラフである。
【図５５ｃ】銀系ナノ粒子及びナノ粒子溶液を製造するために例６に使用される種々異なる電極に印加される種々のターゲット電圧及び実平均電圧を示す棒グラフである。
【図５６ａ】銀系ナノ粒子及びナノ粒子溶液を製造するために例７に使用される種々異なる電極に印加される種々のターゲット電圧及び実平均電圧を示す棒グラフである。
【図５６ｂ】銀系ナノ粒子及びナノ粒子溶液を製造するために例７に使用される種々異なる電極に印加される種々のターゲット電圧及び実平均電圧を示す棒グラフである。
【図５６ｃ】銀系ナノ粒子及びナノ粒子溶液を製造するために例７に使用される種々異なる電極に印加される種々のターゲット電圧及び実平均電圧を示す棒グラフである。
【図５６ｄ】銀系ナノ粒子及びナノ粒子溶液を製造するために例７に使用される種々異なる電極に印加される種々のターゲット電圧及び実平均電圧を示す棒グラフである。
【図５６ｅ】銀系ナノ粒子及びナノ粒子溶液を製造するために例７に使用される種々異なる電極に印加される種々のターゲット電圧及び実平均電圧を示す棒グラフである。
【図５６ｆ】銀系ナノ粒子及びナノ粒子溶液を製造するために例７に使用される種々異なる電極に印加される種々のターゲット電圧及び実平均電圧を示す棒グラフである。
【図５６ｇ】銀系ナノ粒子及びナノ粒子溶液を製造するために例７に使用される種々異なる電極に印加される種々のターゲット電圧及び実平均電圧を示す棒グラフである。
【図５６ｈ】銀系ナノ粒子及びナノ粒子溶液を製造するために例７に使用される種々異なる電極に印加される種々のターゲット電圧及び実平均電圧を示す棒グラフである。
【図５７ａ】例７に対する動的光散乱測定を示す図である。
【図５７ｂ】例７に対する動的光散乱測定を示す図である。
【図５８ａ】例７に従って製造された乾燥試料を示すＳＥＭ顕微鏡写真である。
【図５８ｂ】例７に従って製造された乾燥試料を示すＳＥＭ顕微鏡写真である。
【図５８ｃ】例７に従って製造された乾燥試料を示すＳＥＭ顕微鏡写真である。
【図５８ｄ】例７に従って製造された乾燥試料を示すＳＥＭ顕微鏡写真である。
【図５８ｅ】例７に従って製造された乾燥試料を示すＳＥＭ顕微鏡写真である。
【図５８ｆ】例７に従って製造された乾燥試料を示すＳＥＭ顕微鏡写真である。
【図５８ｇ】例７に従って製造された乾燥試料を示すＳＥＭ顕微鏡写真である。
【図５９ａ】例７に従って製造された液体試料から求められたＵＶ−Ｖｉｓスペクトルである。
【図５９ｂ】例７に従って製造された液体試料から求められたＵＶ−Ｖｉｓスペクトルである。
【図５９ｃ】例７に従って製造された液体試料から求められたＵＶ−Ｖｉｓスペクトルである。
【図６０】例７に従って製造された試料に対する生物学的バイオスクリーンの結果を示す図である。
【図６１ａ】銀系ナノ粒子及びナノ粒子溶液を製造するために例８に使用される種々異なる電極に印加される種々のターゲット電圧及び実平均電圧を示す棒グラフである。
【図６１ｂ】銀系ナノ粒子及びナノ粒子溶液を製造するために例８に使用される種々異なる電極に印加される種々のターゲット電圧及び実平均電圧を示す棒グラフである。
【図６１ｃ】銀系ナノ粒子及びナノ粒子溶液を製造するために例８に使用される種々異なる電極に印加される種々のターゲット電圧及び実平均電圧を示す棒グラフである。
【図６２ａ】例８に対する動的光散乱測定を示す図である。
【図６２ｂ】例８に対する動的光散乱測定を示す図である。
【図６２ｃ】例８に対する動的光散乱測定を示す図である。
【図６３】例８に対する生物学的バイオスクリーンの結果を示す図である。
【図６４ａ】、銀系ナノ粒子及びナノ粒子溶液を製造するために例９に使用される種々異なる電極に印加される種々のターゲット電圧及び実平均電圧を示す棒グラフである。
【図６４ｂ】銀系ナノ粒子及びナノ粒子溶液を製造するために例９に使用される種々異なる電極に印加される種々のターゲット電圧及び実平均電圧を示す棒グラフである。
【図６４ｃ】銀系ナノ粒子及びナノ粒子溶液を製造するために例９に使用される種々異なる電極に印加される種々のターゲット電圧及び実平均電圧を示す棒グラフである。
【図６４ｄ】銀系ナノ粒子及びナノ粒子溶液を製造するために例９に使用される種々異なる電極に印加される種々のターゲット電圧及び実平均電圧を示す棒グラフである。
【図６４ｅ】銀系ナノ粒子及びナノ粒子溶液を製造するために例９に使用される種々異なる電極に印加される種々のターゲット電圧及び実平均電圧を示す棒グラフである。
【図６５ａ】例９で使用されるスペクトル収集装置を示す斜視図である。
【図６５ｂ】例９で使用されるスペクトル収集装置を示す斜視図である。
【図６６ａ】例９から収集されたスペクトルを示す図である。
【図６６ｂ】例９から収集されたスペクトルを示す図である。
【図６６ｃ】例９から収集されたスペクトルを示す図である。
【図６６ｄ】例９から収集されたスペクトルを示す図である。
【図６６ｅ】例９から収集されたスペクトルを示す図である。
【図６７ａ】当業者に知られている代表的スペクトルを示す図である。
【図６７ｂ】当業者に知られている代表的スペクトルを示す図である。
【図６７ｃ】当業者に知られている代表的スペクトルを示す図である。
【図６７ｄ】当業者に知られている代表的スペクトルを示す図である。
【図６７ｅ】当業者に知られている代表的スペクトルを示す図である。
【図６７ｆ】当業者に知られている代表的スペクトルを示す図である。
【図６８】例９に対する生物学的バイオスクリーンの結果を示す図である。
【図６９】銀系ナノ粒子及びナノ粒子溶液を製造するために例１０に使用される種々異なる電極に印加される種々のターゲット電圧及び実平均電圧を示す棒グラフである。
【図７０ａ】例１０から収集されたスペクトルを示す図である。
【図７０ｂ】例１０から収集されたスペクトルを示す図である。
【図７０ｃ】例１０から収集されたスペクトルを示す図である。
【図７１ａ】例１０から収集されたスペクトルを示す図である。
【図７１ｂ】例１０から収集されたスペクトルを示す図である。
【図７１ｃ】例１０から収集されたスペクトルを示す図である。
【図７２ａ】マウス肝上皮細胞に対する例１１で使用される溶液の種々の細胞毒性曲線を示す図であり、対照（１００％）細胞に対する蛍光量が、増大するナノ粒子量に対してプロットされている。
【図７２ｂ】マウス肝上皮細胞に対する例１１で使用される溶液の種々の細胞毒性曲線を示す図であり、対照（１００％）細胞に対する蛍光量が、増大するナノ粒子量に対してプロットされている。
【図７２ｃ】マウス肝上皮細胞に対する例１１で使用される溶液の種々の細胞毒性曲線を示す図であり、対照（１００％）細胞に対する蛍光量が、増大するナノ粒子量に対してプロットされている。
【図７３ａ】マウス肝上皮細胞に対する例１１で使用される溶液の種々の細胞毒性曲線を示す図であり、対照（１００％）細胞に対する蛍光量が、増大するナノ粒子量に対してプロットされている。
【図７３ｂ】マウス肝上皮細胞に対する例１１で使用される溶液の種々の細胞毒性曲線を示す図であり、対照（１００％）細胞に対する蛍光量が、増大するナノ粒子量に対してプロットされている。
【図７４ａ】マウス肝上皮細胞に対する例１１で使用される溶液の種々の細胞毒性曲線を示す図であり、対照（１００％）細胞に対する蛍光量が、増大するナノ粒子量に対してプロットされている。
【図７４ｂ】マウス肝上皮細胞に対する例１１で使用される溶液の種々の細胞毒性曲線を示す図であり、対照（１００％）細胞に対する蛍光量が、増大するナノ粒子量に対してプロットされている。
【図７５】銀系ナノ粒子及びナノ粒子溶液を製造するために例１１に使用される種々異なる電極に印加される種々のターゲット電圧及び実平均電圧を示す棒グラフである。
【図７６ａ】マウス肝上皮細胞に対する例１１で使用される溶液の種々の細胞毒性曲線を示す図であり、対照（１００％）細胞に対する蛍光量が、増大するナノ粒子量に対してプロットされている。
【図７６ｂ】マウス肝上皮細胞に対する例１１で使用される溶液の種々の細胞毒性曲線を示す図であり、対照（１００％）細胞に対する蛍光量が、増大するナノ粒子量に対してプロットされている。
【図７７ａ】例１１に対する生物学的バイオスクリーンの結果を示す図である。
【図７７ｂ】例１１に対する生物学的バイオスクリーンの結果を示す図である。
【図７８ａ】例１２に対する生物学的バイオスクリーンの結果を示す図である。
【図７８ｂ】例１２に対する生物学的バイオスクリーンの結果を示す図である。
【図７９ａ】例１２に対する生物学的バイオスクリーンの結果を示す図である。
【図７９ｂ】例１２に対する生物学的バイオスクリーンの結果を示す図である。
【図７９ｃ】例１２に対する生物学的バイオスクリーンの結果を示す図である。
【図８０ａ】例１２に対する動的光散乱測定を示す図である。
【図８０ｂ】例１２に対する動的光散乱測定を示す図である。
【図８０ｃ】例１２に対する動的光散乱測定を示す図である。
【図８０ｄ】例１２に対する動的光散乱測定を示す図である。
【図８０ｅ】例１２に対する動的光散乱測定を示す図である。
【図８０ｆ】例１２に対する動的光散乱測定を示す図である。
【図８１ａ】例１２に対する動的光散乱測定を示す図である。
【図８１ｂ】例１２に対する動的光散乱測定を示す図である。
【図８１ｃ】例１２に対する動的光散乱測定を示す図である。
【図８１ｄ】例１２に対する動的光散乱測定を示す図である。
【図８１ｅ】例１２に対する動的光散乱測定を示す図である。
【発明を実施するための形態】
【００７３】
本明細書中に開示された実施態様は、ナノ粒子、及びナノ粒子／液体溶液を含む、液体中の種々の成分を連続的に製造するための新規の方法及び新規の装置に関する。種々の液体中に産出されたナノ粒子は、考えられ得る種々様々な組成、サイズ、及び形状、集合体、複合体及び／又は表面形態を成すことができ、これらは、新規の興味深い種々様々な物理、触媒、生体触媒、及び／又は生物物理特性を呈する。この過程中に使用され、且つ／又は生成／改質される液体は、ナノ粒子及び／又はナノ粒子／液体溶液を製造し、且つ／又は機能させる上で重要な役割を果たす。使用される雰囲気は、ナノ粒子及び／又はナノ粒子／液体溶液を製造し、且つ／又は機能させる上で重要な役割を果たす。ナノ粒子は、例えば好ましくは少なくとも１種の調節可能なプラズマ（例えば１種又は２種以上の雰囲気中で形成される）を利用して、少なくとも１種の液体（例えば水）中に存在（例えば生成）させられることになる。この調節可能なプラズマは、液体の表面の少なくとも一部と連通する。プラズマを生成するために使用される電源は、ナノ粒子及び／又はナノ粒子／液体溶液を製造し、且つ／又は機能させる上で重要な役割を果たす。例えば、ボルト数、アンペア数、極性など、全てが、産出された生成物の処理及び／又は最終特性に影響を与えることが可能である。調節可能なプラズマの形成には、種々の組成及び／又は独自の形態を有する金属系電極が好ましいが、しかし非金属系電極を利用することもできる。後続の及び／又は実質的に同時に行われる少なくとも１種の調節可能な電気化学処理技術を利用することも好ましい。調節可能な電気化学処理技術に使用するためには、種々の組成及び／又は独自の形態を有する金属系電極が好ましい。
【００７４】
調節可能なプラズマ電極及び調節可能な電気化学的な電極
本発明の１実施態様の重要な特徴は、調節可能なプラズマの生成に関与する。この調節可能なプラズマは、液体表面の少なくとも一部の上方に位置決めされた少なくとも１つの電極（又は複数の電極）と、液体表面自体の少なくとも一部との間に配置されている。液体の表面は、少なくとも１つの第２電極（又は複数の第２電極）と電気的に連通している。このような構造は、液体表面がこの構造では活性電極として関与することを除けば、誘電体バリア放電構造と類似のいくらかの特性を有している。
【００７５】
図１ａは、例えば「Ｆ」の方向に流動する液体３の表面２の上方に距離「ｘ」を置いて配置された三角形の断面形状を有する電極１の１実施態様の部分断面図を示している。図示の電極１は二等辺三角形であるが、しかし直角三角形又は正三角形として成形されていてもよい。点源電極１と、液体３に連通する電極５（例えば電極５は少なくとも部分的に液体３の表面２（例えばバルク表面又は有効表面）の下方にある）との間に適切な電源１０が接続されていると、電極１の先端又は点９と液体３の表面２との間に、調節可能なプラズマ４が発生する。なお、或る条件下では、電極５の先端９’は実際には、液体３のバルク表面２の物理的に僅かに上方に配置されていてよいが、しかし液体は、「テイラーコーン(Taylor cones)」として知られる現象を通して電極とまだ連通しており、これにより有効表面２’を形成する。テイラーコーンについては、“Method and Apparatus for Ozone Generation and Treatment of Water”と題する、1995年12月26日付けでInculetに発行された米国特許第５，４７８，５３３号明細書において論じられている。この対象内容を参考のため本明細書中に明示的に引用する。これに関して、図１ｂは、テイラーコーン「Ｔ」が電極５と液体３の表面２（２’）との間の電気的接続を達成するように有効表面２’を形成するために利用されることを除いて、図１ａに示されたものと同様の電極構造を示している。テイラーコーンは、Inculetの特許では「印加された場」によって形成されるものとして参照されている。具体的には、テイラーコーンは、1960年初めにSir Geoffrey Taylorによって最初に分析された。Taylorは、十分な強度を有する電界の印加により、水滴が円錐形状を成すようになると報告している。なお、テイラーコーンは、電界の関数である一方で、流体の導電率の関数でもある。従って、導電率が変化するのに伴って、テイラーコーンの形状及び／又は強度も変化することができる。従って、種々の強度のテイラーコーンは、電極５の周りに発生する電界の関数として、本発明の電極５の先端９’の近くで観察することができるだけでなく、液体３中の成分（例えば調節可能なプラズマ４によって提供された導電性成分）及びその他の関数でもある。さらに、電界の変化はまた、印加された電流量に対して比例する。テイラーコーンの生成及び使用に関しては、本明細書中の別の個所で詳細に論じる。
【００７６】
図１ａに示された実施態様において生成された調節可能なプラズマ領域４は、典型的には、過程の少なくとも一部にわたって、円錐状構造に相当する形状を有することができ、本発明のいくつかの実施態様の場合、実質的に全過程にわたってこのような円錐状形状を維持することができる。他の実施態様の場合、調節可能なプラズマ領域４の形状は、むしろ稲妻状に成形されてよい。調節可能なプラズマ４の体積、強度、成分（例えば組成）、活性、正確な位置などは、数多くのファクタに応じて変化することになり、これらのファクタの一例としては、距離「ｘ」、電極１の物理的及び／又は化学的な組成、電極１の形状、電極１から上流側に配置された他の電極１に対する電極１の位置、電源１０（例えばＤＣ、ＡＣ、整流ＡＣ、ＤＣ及び／又は整流ＡＣ、ＲＦなどの極性）、電源によって印加される電力（例えば印加されるボルト数、印加されるアンペア数など）、プラズマ４で又はその近くで生成される電界及び／又は磁界、電極１と液体３の表面２との間及び／又はその周りの、自然発生する又は供給された気体又は雰囲気の組成、温度、圧力、方向「Ｆ」における液体３の流量、液体３の組成、液体３の導電率、電極１及び５の近く及び周りの液体の断面積（例えば体積）（例えば液体３が、調節可能なプラズマ４と相互作用することを許される時間量、及びこのような相互作用の強度）、液体３の表面２の又はその近くの雰囲気流（例えば空気流）の存在（冷却ファン又は雰囲気運動手段の提供）が挙げられる。具体的には、例えば、調節可能なプラズマ４のために利用できる最大距離「ｘ」は、このような距離「ｘ」が例えば等式１に示された破壊電界「Ｅc」に相当するような距離、換言すれば、電極１の先端９と液体３の表面２との間に形成された気体又は雰囲気の破壊が達成される距離である。距離「ｘ」が電気破壊「Ｅc」を達成するのに必要な最大距離を超えると、付加的な技術又は相互作用が用いられなければ、プラズマ４は観察されない。しかし、距離「ｘ」が調節可能なプラズマ４を形成するのに必要となる最大距離以下であればいつでも、プラズマ４を物理的且つ／又は化学的に調節することができる。このような変化は、液体３の表面２におけるプラズマ４の直径、プラズマ４の強度（例えば明るさ及び／又は強度及び／又は反応性）、プラズマ４によって生成され液体３の表面２に向かって吹く電気風の強度などを含むことになる。
【００７７】
電極１の組成物は、調節可能なプラズマ４を形成する上で重要な役割を果たすこともできる。例えば、本明細書中に開示された実施態様の電極１として使用するためには、種々の周知の材料が好適である。これらの材料は、白金、金、銀、亜鉛、銅、チタン、及び／又はこれらの合金又は混合物などのような金属を含む。しかし、電極１（及び５）は、金属を含んでよい任意の好適な材料（例えば適切な酸化物、炭化物、窒化物、炭素、ケイ素、及びこれらの混合物又は複合材料を含む）から形成することもできる。さらに、本発明と一緒に使用するためには、種々の金属の合金も望ましい。具体的には、合金は、調節可能なプラズマ４中の、種々異なる量の化学成分、強度及び／又は反応性を提供し、例えばプラズマ４中又はプラズマ４の周りの種々異なる特性、及び／又は液体中３の種々異なる成分をもたらすことできる。例えば、プラズマ４から種々異なるスペクトルを発光させることができ、またプラズマ４から種々異なる場を放出することもできる。このように、種々異なるナノ粒子及び／又はナノ粒子／溶液及び／又は所望の成分、或いは所望の最終生成物を達成するのに必要な液体３中に存在する中間体を形成する上で、プラズマ４を関与させることができる。さらに、調節可能なプラズマ４を形成する役割を果たすのは電極１，５の化学組成及び形状ファクタだけでなく、電極１，５が製造された様式も、電極１，５の性能に影響を与えることができる。これに関して、電極を形成するために利用される鍛造、伸線、及び／又は鋳造技術を含む正確な成形技術は、熱力学的及び／又は動力学的な事柄を含む、電極１，５の化学及び／又は物理活性に影響を与えることができる。
【００７８】
例えば液体３（例えば水）の表面２の上方の空気中に、調節可能なプラズマ４を生成すると、通常は、少なくともいくらかのオゾン、並びに、所定量の種々様々な窒素系化合物及びその他の成分が産出される。種々様々な材料例を調節可能なプラズマ４中に産出することができ、これらの材料は、電極１と液体３の表面２との間の雰囲気を含む数多くのファクタに依存する種々様々な材料を含む。プラズマ４及び／又は液体３（液体が水を含む場合）中に存在し得る多様な種を理解するのを助けるために、Wilhelmus Frederik Laurens Maria Hoeben著, “Pulsed corona-induced degradation of organic material in water”と題する論文, 2000年6月15日を参照されたい（この対象内容を参考のため本明細書中に明示的に引用する）。前述の論文における研究は、主として、水中に存在する望ましくない材料をコロナ誘発型分解させることに関連している。このようなコロナは、パルスＤＣコロナと呼ばれる。しかしこの論文で言及されている化学種の多くは、特に調節可能なプラズマ４の生成を支援する雰囲気が湿った空気を含み、そして液体３が水を含むときには、本明細書中に開示された実施態様の調節可能なプラズマ４中にも存在し得る。これに関しては、多くの基、イオン、及びメタ安定性元素が、電極１と表面２との間に存在する任意の気相分子又は原子の解離及び／又はイオン化に起因して、調節可能なプラズマ４中に存在し得る。空気の湿度が存在し、このような湿った空気が、調節可能なプラズマ４を「供給する」雰囲気の少なくとも主成分である場合、酸化性種、例えばヒドロキシル基、オゾン、原子酸素、一重項酸素、及びヒドロペレオキシル基が形成され得る。さらに、ＮＯx及びＮ2Ｏのような窒素酸化物も形成され得る。このように、液体３が水を含み、そして調節可能なプラズマ４に原材料を供給するか、又は提供するのを助ける雰囲気が湿った空気を含むときには、調節可能なプラズマ４中に存在すると予想できる反応物質のいくつかを表１に挙げる。
【００７９】
【表１】
2014097496.tif 000004
【００８０】
J. Lelievre, N. Dubreuil及びJ.-L. Brisset著 “Electrolysis Processes in D.C. Corona Discharges in Humid Air”と題する論文, 1995年4月, J. Phys. III France 5, 第447-457頁（この対象内容を参考のため本明細書中に明示的に引用する）は、ＤＣコロナ放電に最初に焦点を当て、活性電極の極性に従って、アニオン、例えば亜硝酸塩及び硝酸塩、炭酸塩及び酸素アニオンが負の放電時の顕著なイオンとなるのに対して、プロトン、酸素、及びＮＯxカチオンが、正の放電時に形成される主要カチオン性種となることに注目した。亜硝酸塩及び／又は硝酸塩の濃度は、電流強度とともに変化し得る。この論文の表Ｉ（すなわち本明細書中では表２として再現した）には、生成されたＤＣプラズマ中に存在することができる多様な種及び標準的な電極電位も開示された。従って、このような種は、調節可能なプラズマ４を生成するために利用される具体的な動作条件に応じて、本発明の調節可能なプラズマ４内に存在するものとして予測することになる。
【００８１】
【表２】
2014097496.tif 000005
【００８２】
XinPei Lu, Frank Leipold及びMounir Laroussi著, “Optical and electrical diagnostics of a non-equilibrium air plasma”と題する2003年10月15日付けの論文, Journal of Physics D: Applied Physics, 第2662-2666頁（この対象内容を参考のため本明細書中に明示的に引用する）は、エアギャップによって分離された並列の電極対にＡＣ（６０Ｈｚ）高電圧（＜２０ｋＶ）を印加することに焦点を当てた。電極のうちの一方が金属ディスクであるのに対して、他方の電極は水の表面である。実施された分光測定は、プラズマからの発光がＯＨ（Ａ−Ｘ、Ｎ2（Ｃ−Ｂ）及びＮ2+（Ｂ−Ｘ）転移によって支配されていることを示した。この論文の図４ａのスペクトルは、図６７ａとして再現されている。
【００８３】
Z. Machala他による“Emission spectroscopy of atmospheric pressure plasmas for bio-medical and environmental applications”と題する論文, 2007年刊, Journal of Molecular Spectroscopyは、大気圧プラズマの付加的な発光スペクトルを開示している。この論文の図３及び４のスペクトルは、図６７ｂ及び６７ｃとして再現されている。
【００８４】
M. Laroussi及びX. Luによる“Room-temperature atmospheric pressure plasma plume for biomedical applications”と題する論文、2005年刊、Applied Physics Lettersは、ＯＨ、Ｎ2、Ｎ2+、Ｈｅ及びＯの発光スペクトルを開示する。この論文の図４のスペクトルは、図６７ｄ，６７ｅ及び６７ｆとして再現されている。
【００８５】
Petr Lukes他の論文“Generation of ozone by pulsed corona discharge over water surface in hybrid gas-liquid electrical discharge reactor”, J. Phys. D: Appl. Phys. 38 (2005) 409-416（この対象内容を参考のため本明細書中に明示的に引用する）によって開示されているように、水表面上でパルスコロナ放電を行うことにより、オゾンが発生する。Lukes他は、平面高電圧電極（網状ガラス状炭素製）と、水表面との間の気相内で発生するパルス正コロナ放電によってオゾンを形成することを開示している。この水中には、接地ステンレス鋼「点」として機械成形された電極が沈められており、この電極は、別個の電源によって給電される。種々の望ましい種が、液体中に形成されるものとして開示されており、これらの種のうちのいくつかは、本明細書中に開示された実施態様の具体的な動作条件に応じて、存在すると予測することもできる。
【００８６】
さらに、“Method for Disinfecting a Dense Fluid Medium in a Dense Medium Plasma Reactor”と題する、2004年6月15日付けでDenes他に発行された米国特許第６，７４９，７５９号明細書（対象内容を参考のため本明細書中に明示的に引用する）には、高密度媒質プラズマ反応器内の高密度流体媒質を消毒する方法が開示されている。Denes他は、種々の目的で、飲用水を汚染除去して消毒することを開示している。Denes他は、種々の大気圧プラズマ環境、並びに気相放電、パルス高電圧放電などを開示している。Denes他は、高密度流体媒質中に沈められた第１の導電性材料を含む第１電極と、やはり高密度流体媒質中に沈められた第２導電性材料を含む第２電極とを使用する。Denes他はこの場合、第１電極と第２電極との間に電位を印加することにより、高密度流体媒質中に反応性種を産出するように電極間に放電ゾーンを生成する。
【００８７】
上述の成分の全ては、もしも存在するならば、結果として産出されたナノ粒子及び／又はナノ粒子／溶液にとって有用又は有害なこのような種に応じて、少なくとも部分的に（又はほぼ完全に）管理、制御、調節、最大化、最小化、排除することなどが可能であり、そして次いで、種々異なる技術によって制御される必要がある場合がある（本明細書中で後から詳しく論じる）。図１ａに示されているように、調節可能なプラズマ４は、液体３の実際の表面２と接触する。本発明のこの実施態様の場合、電極１に由来する材料（例えば金属）は、調節可能なプラズマ４の一部を含んでいてよく、そして、液体（例えば水）上及び／又は液体（例えば水）中に「スパッタリング」させられてよい。従って、電極１として金属が使用されるときには、調節可能なプラズマ４と関連する特定の一連の動作条件（並びに他の動作条件）に応じて、元素金属、金属イオン、ルイス酸、ブレンステッド−ラウリ酸、金属酸化物、金属窒化物、金属水素化物、金属水和物、金属炭化物、及び／又はこれらの混合物などを液体中に（例えば過程の少なくとも一部にわたって）見いだすことができる。
【００８８】
さらに、例えば液体３中及び液体３の周りの電界、磁界、及び／又は電磁界の強さ、極性、など、並びに存在する液体３の体積（例えば、本明細書中で後から詳しく論じる、トラフ部材３０の断面のサイズ及び形状及び／又は液体３の流量の関数）、電極１及び５の物理的及び化学的な構造、（自然発生する又は供給された）雰囲気、液体３の組成に応じて、より多量又はより少量の電極材料（例えば金属又は金属の誘導体）を液体３中に見いだすことができる。付加的な重要な情報が、2003年3月21日付けで出願され、2003年10月30日付けで国際公開第０３／０８９６９２号パンフレットとして公開された“Methods for Controlling Crystal Growth, Crystallization, Structures and Phases in Materials and Systems”と題する同時係属中の特許出願、及び2005年6月6日付けで出願され、2006年2月23日付けで米国特許出願公開第２００６／００３７１７７号明細書として公開された米国特許出願に開示されている（それぞれの発明者はBentley J. Blum, Juliana H. J. Brooks及びMark G. Mortenson)。両対象内容を参考のため本明細書中に明示的に引用する。これらの出願公開明細書は（とりわけ）、例えば電界、磁界、電磁エネルギーなどの影響が、種々の固体、液体、気体及び／又はプラズマの形態で種々の構造を形成及び／又は制御する上で極めて重要であることが判ったことを開示している。開示されたこのような影響は、本明細書中に開示された実施態様においても当てはまる。さらに、電位が印加された（そして電流が貫流された）電極内の又はその周りのｐＨを極端に変化させることにより、反応生成物及び／又は反応速度が制御されることが観察された。このように、複雑な一連の反応が各電極１，５及び電極集成体又は電極セット（例えば１，５；１，１；５，５；など）において発生しやすい。
【００８９】
或る状況では、（例えば液体の処理後）液体３中に見いだされる材料（例えば金属、金属イオン、又は金属複合材料）又は成分（例えばルイス酸、ブレンステッド−ラウリ酸など）、及び／又は無機物が、極めて望ましい効果を有することがある。この場合には、このような材料は比較的多量であることが望ましい。これに対して他の事例では、液体中に見いだされる或る材料（例えば望ましくない副産物）が望ましくない影響を及ぼすおそれがあり、ひいては、このような材料を最小限にすること最終生成物において望ましい場合がある。さらに、液体３自体の構造／組成は、本発明の処理条件によって有益又は不都合な影響を及ぼされることがある。従って、電極の組成は、本明細書中に開示された実施態様に従って形成される最終的な材料（例えばナノ粒子及び／又はナノ粒子／溶液）において重要な役割を果たすことができる。本明細書中で上述したように、電極１（及び５）で発生する反応と関与する雰囲気は、重要な役割を果たす。しかし、電極組成物も、電極１及び５自体が、少なくとも部分的に、形成された中間体及び／又は最終生成物の一部となり得る点で重要な役割を果たす。或いは、電極は最終生成物において相当の役割を果たすこともある。換言すれば、電極の組成は、本発明の最終生成物中に大部分を見いだすことができ、又は本明細書中に開示された実施態様に従って産出された生成物の僅かな化学的部分だけを含むこともある。これに関して、電極１，５が本明細書中に開示された種々の実施態様の方法条件に従って或る程度反応性であることが判ったときには、電極に由来するイオン及び／又は物理的粒子（例えば単結晶又は多結晶の金属系粒子）が最終生成物の部分に成り得ることを予想することができる。このようなイオン及び／又は物理的成分は最終生成物中の粒子の支配的部分として存在してよく、或いは、過程の一部にわたってのみ存在してよく、或いは、最終生成物中に存在するコア−シェル配列のコアの一部であってもよい。さらに、コア−シェル配列は、完全なシェルを含む必要はない。例えば部分的なシェル及び／又は形成済ナノ粒子上の表面不規則性及び／又は具体的な望ましい表面形状は、意図された用途におけるこのようなナノ粒子の最終的な性能に対して多大な影響を与えることが可能である。当業者に明らかなように、化学組成物、反応性雰囲気、電力強度などを僅かに調節すると、種々異なる化合物（半永久的及び一時的）のナノ粒子（及びナノ粒子成分）、並びに種々異なるナノ粒子／溶液（（例えば水）自体の構造を改質することを含む液体３）を形成することができる。
【００９０】
さらに、液体中のイオン、化合物、及び／又は物理的粒子、及び／又は液体自体の構造、及び／又は結果としての最終生成物を得るために、電極１及び５は、同様の化学組成又は完全に異なる化学組成から成り、且つ／又は、同様の又は完全に異なる形成法によって形成することができる。例えば、本明細書中に示された電極対が同じ又はほぼ同様の組成を有することが望ましい場合があり、或いは、本明細書中の種々の実施態様に示された電極対が異なる化学組成を有することが望ましい場合もある。種々異なる化学組成の結果、もちろん、種々のプラズマ及び／又は本明細書中に開示された電気化学的な実施態様において生じ得る反応のために種々異なる成分が存在することになる場合もある。さらに、単一電極１又は５（又は電極対）は、少なくとも２種の異なる金属から形成することができるので、それぞれの金属の成分は、開示された実施態様の方法条件下で、相互に作用することができ、またプラズマ４及び／又は液体３、場などの中の、例えばプラズマ４及び液体３中に存在する他の成分と相互作用することもできる。
【００９１】
電極１と５；又は１と１（例えば図３ｄ、４ｄ、８ｄ及び９ｄ）、又は５と５（例えば図３ｃ、４ｃ、８ｃ及び９ｃ）との間の距離は、本発明の１つの重要な特徴である。一般に、本発明に使用される電極の最も近い部分の間の最小距離「ｙ」の位置は、望ましくないアーク又は望まれないコロナ又はプラズマの形成が電極間（例えば電極１と電極５との間）に生じるのを防止するために、距離「ｘ」よりも大きくあるべきである。種々の電極のデザイン、電極の位置、及び電極相互作用について、本明細書中の例の項において詳しく論じる。
【００９２】
電源１０を通して印加される電力は、本発明の全ての方法条件下で、望ましい調節可能なプラズマ４、及び望ましい調節可能な電気化学反応を生成する任意の好適な電力であってよい。本発明の１つの好ましい態様において、昇圧器（「電源」の項及び「例」の項で論じる）からの交流が利用される。本発明の他の好ましい実施態様の場合、交流電源の極性をダイオードブリッジによって変更することにより、正電極１と負電極５とを形成し、また正電極５と負電極１とを形成する。一般には、電極構成部材１及び５の組み合わせ、電極１及び５の物理的なサイズ及び形状、電極製造法、電極１及び／又は５の質量、液体３の表面２とその上方の電極１の先端９との間の距離「ｘ」、電極先端９と表面２との間の気体の組成、液体３の流量及び／又は流動方向「Ｆ」、液体３の組成、液体３の導電率、ボルト数、アンペア数、電極の極性などが全てそのデザインに関与し、ひいては電力要件（例えば破壊電界又は等式１の「Ｅc」）が、液体３の表面２と電極先端９との間に制御された又は調節可能なプラズマ４を形成する際に影響を与える。
【００９３】
図１ａ及び１ｂに示された構造をさらに参照すると、電極ホルダ６ａ及び６ｂは、絶縁部材８（断面で示す）内を通って昇降させることができる（ひいては電極も昇降させることができる）。ここに示す機械的な実施態様は雄／雌ねじ山を含む。しかし電極ホルダ６ａ及び６ｂは、電極ホルダ６ａ及び６ｂが信頼性高く上昇及び／又は下降させられるのを可能にする任意の好適な手段として構成することができる。このような手段は、絶縁部材８と電極ホルダ６ａ及び６ｂとの間のプレス嵌め部、切欠き、機械的懸吊手段、可動円環などを含む。換言すれば、電極ホルダ６ａ及び６ｂの高さを信頼性高く固定する任意の手段は、本明細書中に開示された実施態様の境界内に含まれるものとして考えられるべきである。
【００９４】
例えば、図１ｃは、電極１，５を昇降させるための別の実施態様を示している。この実施態様の場合、各電極の電気絶縁部分７ａ及び７ｂが、摩擦機構１３ａ，１３ｂ及び１３ｃと、部分７ａ及び７ｂとの間に存在するプレス嵌め部によって所定の位置に保持される。摩擦機構１３ａ，１３ｂ及び１３ｃは、例えば十分な接触がその後に維持される限り、例えばばね鋼、可撓性ゴムなどから形成されていてもよい。
【００９５】
部分６ａ及び６ｂは、例えば付加的な電気絶縁部分７ａ及び７ｂによってカバーすることができる。電気絶縁部分７ａ及び７ｂは、任意の好適な電気絶縁材料（例えばプラスチック、ゴム、繊維性材料など）であってよい。これらの材料は、人が電極ホルダ６ａ及び６ｂを調整するとき（例えば電極の高さを調節しようとするとき）に発生するおそれのある望ましくない電流、電圧、アークなどを防止する。さらに、電気絶縁部分７ａ及び７ｂを電極ホルダ６ａ及び６ｂの単にカバーとして形成するのではなく、このような電気絶縁部分７ａ及び７ｂを、電気絶縁材料からほぼ完全に形成することができる。これに関しては、それぞれ電気絶縁部分７ａ／７ｂと電極ホルダ６ａ／６ｂとの間に、長手方向の界面が存在していてよい（電極ホルダ６ａ／６ｂを、電気絶縁部分７ａ／７ｂとは完全に異なる材料から形成し、電気絶縁部分７ａ／７ｂに機械的又は化学的に（例えば接着により）付着させてよい）。
【００９６】
同様に、絶縁部材８は、望ましくない電気的事象（例えばアーク形成、溶融など）が発生するのを防止する任意の好適な材料、並びに、本発明を実施するのに構造的且つ環境的に適した任意の材料から形成することもできる。典型的な材料は、構造用プラスチック、例えばポリカーボネート、プレキシガラス（ポリ（メチルメタクリレート））、ポリスチレン、及びアクリルなどを含む。構造用プラスチックなどの具体的な選択基準の一例としては、この過程の電気的条件、温度条件、及び環境条件を被っている間、形状及び／又は剛性を維持する能力が挙げられる。好ましい材料は、アクリル、プレキシガラス、及び周知の化学的、電気的、電気的な抵抗並びに比較的高い機械的剛性を有するその他のポリマー材料を含む。これに関して、部材８の望ましい厚さは、約１／１６インチ〜３／４インチ（１．６ｍｍ〜１９．１ｍｍ）のオーダーである。
【００９７】
電源１０は、電極１及び５に任意の好都合な電気的形式で接続することができる。例えば、部分１１ａ，１１ｂ間、ひいては電極１，５間に電気的接続を達成することを主な目的として、電極ホルダ６ａ，６ｂの少なくとも一部の内部にワイヤ１１ａ及び１１ｂを配置することができる。好ましい電気的接続の具体的な詳細については、本明細書中の別の個所で論じる。
【００９８】
図２ａは、本発明の好ましい実施態様の別の概略図を示している。ここでは、本発明の制御装置２０が電極１及び５に接続されているので、制御装置２０は、液体３の表面２に対して電極１，５を遠隔位置から（例えば別の装置からの命令で）上昇及び／又は降下させることができる。本発明の制御装置２０については、本明細書中で後から詳しく論じる。本発明のこの１つの好ましい実施態様において、電極１及び５は、例えば遠隔位置から降下させ制御することができ、また、ソフトウェア・プログラム（本明細書中で後から詳しく論じる）を含有する好適なコントローラ又はコンピュータ（図２ａには示されない）によって監視し制御することもできる。これに関して、図２ｂは、テイラーコーン「Ｔ」が電極５と液体３の表面２（又は実際には有効表面２’）との間の電気的接続のために利用されることを除いて、図２ａに示されたものと同様の電極構造を示している。従って、図１ａ，１ｂ及び１ｃに示された実施態様は、本発明の技術とともに使用するための手動制御式装置であると考えられるべきであり、これに対して、図２ａ及び２ｂに示された実施態様は、適宜の命令に応答して電極１及び５を遠隔位置から昇降させることができる自動的な装置又は集成体を含むと考えられるべきである。さらに、図２ａ及び図２ｂに示す本発明の好ましい実施態様は、表面２から離隔した電極１の先端９（及び電極５の先端９’）の距離「ｘ」をコンピュータで監視し、そしてコンピュータ制御することを採用することもできる（本明細書中で後から詳しく論じる）。従って、電極１及び５を上昇及び／又は降下させる適宜の命令は、個々の操作者及び／又は好適な制御装置、例えばコントローラ又はコンピュータ（図２ａには示されない）から出ることが可能である。
【００９９】
図３ａは、図２ａ及び２ｂに大部分が相当するが、図３ｂ、３ｃ及び３ｄは、本発明の或る好ましい実施態様とともに利用し得る種々様々な代わりの電極構造を示している。図３ｂは図３ａに示された電極集成体から、本質的に鏡像電極集成体を示している。具体的には、図３ｂに示されているように、液体３の流動方向に相当する方向「Ｆ」に関して、電極５は、流体３が長手方向「Ｆ」で流動するとこの流体３と連通する最初の電極であり、電極１はこれに続いて、電極５によって既に改質された流体３と接触する。図３ｃは、流体３中に配置された２つの電極５ａ及び５ｂを示している。この特定の電極構造は、本発明の別の好ましい実施態様に相当する。具体的には、図３ａ〜３ｄに示された電極構造のいずれかを互いに組み合わせて使用することができる。例えば、図３ａに示された電極構造（すなわち電極セット）は、方向「Ｆ」に流れる液体３が遭遇する最初の電極セット又は電極構造であり得る。その後、液体３は、第２の電極セット又は電極構造３ａに遭遇することもでき、或いは、液体３は、第２の電極セット又は電極構造３ｂに遭遇することもでき、或いは、方向「Ｆ」に流れる液体３は、図３ｃに示されたもののような第２の電極セットに遭遇することもでき、或いは、方向「Ｆ」に流れる液体３は、図３ｄに示されたものと同様の第２の電極セットに遭遇することもできる。或いは、方向「Ｆ」に流れる液体３が遭遇する最初の電極構造又は電極セットが図３ａに示された電極構造である場合、第２の電極セット又は電極構造は図３ｃに示されたものに類似していてもよく、そしてその後、方向「Ｆ」に流れる液体３が遭遇する第３の電極セット又は電極構造は、図３ａ〜３ｄに示された電極構造のいずれかであってもよい。或いは、方向「Ｆ」に流れる液体３が遭遇し得る最初の電極構造又は電極セットは図３ｄに示された電極構造であってよく、その後、方向「Ｆ」に流れる液体３が遭遇し得る第２の電極セット又は電極構造は図３ｃに示された電極構造であってもよく、そしてその後、図３ａ〜３ｄに示された電極セット又は電極構造のいずれかが、第３の電極セットの構造を含んでいてもよい。さらに、方向「Ｆ」に流れる液体３が遭遇し得る最初の電極構造は、図３ａに示された電極構造であってもよく、そして第２の電極構造は図３ａに示された電極構造であってもよく、そしてその後、図３ｃに示されたものに類似した複数の電極構造が使用されてもよい。別の実施態様の場合、電極構造の全てが、図３ａに示されたものに類似していてよい。これに関しては、種々様々な電極構造（利用される電極セットの数を含む）が可能であり、そのそれぞれの電極態様は、液体３中の著しく異なる成分（例えばナノ粒子又はナノ粒子／溶液混合物）をもたらすか、又は僅かだけ異なる成分（例えばナノ粒子又はナノ粒子／溶液混合物）をもたらし、これらの全ては異なる特性を呈することができる（例えば異なる化学特性、異なる反応特性、異なる触媒特性など）。電極セットの所期数及び所期電極構造、及びより具体的には望ましい電極セット配列を決めるために、本明細書中で論じた全て、例えば電極組成、プラズマ組成（及び雰囲気の組成）及び強度、電源、電極極性、ボルト数、アンペア数、液体流量、液体組成、液体導電率、断面（及び処理される流体の体積）、各電極集成体内の電極のそれぞれの中及びその周りに形成される磁界、電磁界、及び／又は電界、場増強手段が含まれているか否か、付加的な所期処理工程（例えば電磁線処理）、中間生成物中及び最終生成物中の所期量の特定の成分、などを含む多くのファクタを考慮する必要がある。電極集成体の組み合わせの例は、本明細書中で後から「例」の項に記載されている。しかしながら言うまでもなく、本発明の実施態様は多くの電極組み合わせ及び多数の電極セットを可能にする。これらのうちのいずれも、種々異なる特定の化学的、触媒的、生物学的及び／又は物理的用途のための極めて望ましいナノ粒子／溶液をもたらすことができる。
【０１００】
図３ａ，３ｂ及び３ｄに示された調節可能なプラズマ４に関しては、距離「ｘ」（又は図３ｄの「ｘａ」及び「ｘｂ」）は、調節可能なプラズマ４の或る特徴を制御する１つの手段である。これに関しては、距離「ｘ」以外、図３ａ，３ｂ及び３ｄにおける他のものが変えられない場合、異なる強度の調節可能なプラズマ４のを達成することができる。換言すれば、プラズマ４（例えば強度）を調節する１つの調節手段は、電極１の先端９と流体３の表面２との間の距離「ｘ」を調節することである。このような距離は、最大距離「ｘ」まで変化させることができる。最大距離「ｘ」において、ボルト数及びアンペア数の組み合わせが、等式１に従って先端９と表面２との間の雰囲気を破壊させるのにもはや十分ではなくなる。従って、好ましい最大距離「ｘ」は、雰囲気の「Ｅc」破壊が発生し始める範囲に丁度僅かに含まれるか又は僅かに下回る。或いは、最小距離「ｘ」は、本明細書中で前述した現象とは異なり、調節可能なプラズマ４が形成され、テイラーコーンが形成される距離である。これに関しては、距離「ｘ」が液体３が電極１の先端９にウィッキング又は接触する傾向があるほど小さくなると、視覚的に吸収可能なプラズマは形成されなくなる。従って、最小距離及び最大距離「ｘ」は、システムに印加される電力の量、雰囲気の組成、液体の組成（例えば導電率）などを含む本明細書中の別の個所で詳細に論じるファクタの全ての関数である。さらに、プラズマ４の強度変化の結果、特定の種が他の処理条件に対して活性になることもある。その結果、異なるスペクトル放出、並びに、プラズマ４内の種々のスペクトル線の振幅の変化をもたらすことがある。種々の電極構造及び電極組成の或る好ましい距離「ｘ」については、本明細書中で後から詳しく論じる「例」の項で論じる。
【０１０１】
さらに、図３ｄに関しては、距離「ｘａ」及び「ｘｂ」は、ほぼ同じであってよく、或いは実質的に異なっていてもよい。これに関して、本発明の１つの好ましい実施態様の場合、方向「Ｆ」に流れる液体３に関して、調節可能なプラズマ４ａが調節可能なプラズマ４ｂとは異なる特性を有することが望ましい。これに関しては、プラズマ４ａ及び４ｂの組成が互いに異なるように、異なる雰囲気を提供することが可能であり、また、高さ「ｘａ」及び「ｘｂ」が互いに異なるようにすることも可能である。高さを異なるようにする場合、プラズマ４ａ及び４ｂのそれぞれと連携する強度又は電力が異なっていてよい（例えば異なる電圧を達成することができる）。これに関しては、電極１ａ及び１ｂは電気的に接続されているので、システム内の総電力量はほぼ一定のままであり、一方の電極１ａ又は１ｂにこうして提供される電力量は、他方の電極１ａ又は１ｂ内の電力を減少させて、増大することになる。従って、これは、プラズマ４ａ及び４ｂにおける成分及び／又は強度及び／又はスペクトル・ピークの有無を制御し、ひいては方向「Ｆ」に流れる液体３との相互作用を調節するための別の本発明の実施態様である。
【０１０２】
同様に、一連の手動制御式の電極構造が図４ａ、４ｂ、４ｃ及び４ｄに、部分断面図として示されている。具体的には、図４ａは図１ａに実質的に相当する。さらに、図４ｂは電極構造において、図３ｂに示された電極構造に相当し、図４ｃは図３ｃに相当し、そして図４ｄは図３ｄに相当する。本質的には、図４ａ〜４ｄに示された手動電極構造は機能的に、結果として、図３ａ〜３ｄに示された遠隔調節可能な（例えば遠隔制御される）電極構造に対応して製造される材料及び組成物と同様の材料を、本発明の或る特徴に従って製造することができる。但し、電極構造を手動で調節するために、１人又は２人以上の操作者が必要となる。さらに、或る実施態様では、手動制御式及び遠隔制御式の電極及び／又は電極セットの組み合わせが望ましい場合がある。
【０１０３】
図５ａ〜５ｅは、図面に示した電極１の種々の電極構造を示す斜視図である。図５ａ〜５ｅに示された電極構造は、本発明の種々の実施態様において有用な種々異なる数多くの構造の代表である。電極１に対する適宜の電極選択の基準の一例としては、下記条件、すなわち、極めて明確な先端又は点９の必要性、電極１の組成、電極１を含む組成物を種々の形状に形成するときに被る機械的制限、成形のために利用される鍛造技術、伸線、及び／又は鋳造法と関連する成形能力、便宜性など、が挙げられる。これに関して、例えば図１〜４に示された電極１を含む小さな質量の材料は、本発明に従って調節可能なプラズマ４を生成すると、動作温度まで上昇することがある。この温度では、電極１のサイズ及び／又は形状が不都合な影響を受けるおそれがある。「小さな質量」という言い回しを用いるときには、これは、電極１に使用される材料量を相対的に記述したものとして理解されるべきである。この材料の量は、組成、形成手段、トラフ部材３０内で被る方法条件の関数として変化する。例えば、電極１が銀を含み、そして図５ａに示された電極と同様に成形されている場合、本明細書中の「例」の項に示される或る好ましい実施態様では、その質量は約０．５グラム〜８グラムとなり、好ましい質量は約１グラム〜３グラムであり；これに対して、電極１が銅を含み、そして図５ａに示された電極と同様に成形されている場合、本明細書中の「例」の項に示される或る好ましい実施態様では、その質量は約０．５グラム〜６グラムとなり、好ましい質量は約１グラム〜３グラムであり；これに対して、電極１が亜鉛を含み、そして図５ａに示された電極と同様に成形されている場合、本明細書中の「例」の項に示される或る好ましい実施態様では、その質量は約０．５グラム〜４グラムとなり、好ましい質量は約１グラム〜３グラムであり；これに対して、電極１が金を含み、そして図５ｅに示された電極と同様に成形されている場合、本明細書中の「例」の項に示される或る好ましい実施態様では、その質量は約１．５グラム〜２０グラムとなり、好ましい質量は約５グラム〜１０グラムである。これに関しては、例えば、電極１が比較的小さな質量を有する場合、小質量電極１を利用することには、特定の電力制限が付随する。これに関して、多量の電力が比較的小さな質量に印加され、このような電力の結果として調節可能なプラズマ４が形成される場合、多量の熱エネルギーを小質量電極１内に集中させることができる。小質量電極１が極めて高い融点を有する場合、このような電極は、本発明において電極１として機能することができる。しかし電極１が、比較的低い融点を有する組成物から形成されている場合（例えば銀、又はアルミニウムなど）、本発明のいくつかの（しかし全てではない）実施態様において、小質量電極１に転移される熱エネルギーは、小質量電極１の融解、亀裂、又は分解を含む１つ又は２つ以上の望ましくない作用を引き起こすおそれがある。従って、低融点金属を利用する１つの選択肢は、より大きい質量のこのような金属を使用して、熱エネルギーをこのような大きい質量全体を通して散逸できるようにすることである。或いは、低融点の小質量電極１が望まれる場合には、或る種類の冷却手段が必要となることがある。このような冷却手段は例えば、吹き付けにより、周囲の又は加えられた雰囲気が電極１を通過するようにするシンプルなファン、適宜のその他のこのような手段を含む。しかし、小質量電極１と並置された冷却ファンを設けることに関する１つの潜在的な望ましくない特徴は、調節可能なプラズマ４の形成に関与する雰囲気が不都合な影響を及ぼされるおそれがあることである。例えば、先端９と液体３の表面２との周り又は間の雰囲気流が活発になる場合、プラズマは、望ましくなく運動又は旋回することが見いだされる場合がある。従って、電極１の組成（例えば電極を構成する材料）は、例えば融点、感圧性、環境反応（例えば調節可能なプラズマ４の局所的環境は、電極の化学的、機械的及び／又は電磁的腐食を生じさせるおそれがある）などに起因して、電極の考えられ得る好適な物理的形状に影響を及ぼすことがある。
【０１０４】
さらに、言うまでもなく、本発明の別の好ましい実施態様では、先端９の明確な鋭利な点が常に必要とされるわけではない。これに関連して、図５ｅ（斜視図）に示された電極１は、丸みを帯びた点を含む。なお、部分的に丸みを帯びた又は円弧状の電極が、電極１として機能することもできる。なぜならば多くの場合、調節可能なプラズマ４は、図５ｅに示された電極１の種々の点に沿って位置決め又は配置することができるからである。これに関して、図６は種々様々な点「ａ〜ｇ」を示しており、これらの点は、電極１と液体３の表面２との間に発生するプラズマ４ａ〜４ｇの開始点９に相当する。例えば、本発明の或る好ましい実施態様を実施する上で、調節可能なプラズマ４の正確な位置は、時間の関数として変化することになる。具体的には、最初のプラズマ４ｄが電極１の先端９上の点ｄに形成されてよい。その後、先端９上のプラズマ接点の正確な位置は、例えば他の点４ａ〜４ｇのいずれかに変わってよい。なお、図６に示された概略図は、電極１上の先端９が、電極１の先端９上の開始点又は接点としての種々の正確な点ａ〜ｇを可能にすることを指摘するために、本発明の実施態様における実際の配列に比べて大幅に拡大されている。本質的には、調節可能なプラズマ４の場所は、時間の関数として位置が変化することができ、また、電極１と液体３の表面２との間に位置する雰囲気の電気破壊（本明細書中の等式１に従う）によって支配することができる。さらに、プラズマ４ａ〜４ｇが円錐形状として表されているが、言うまでもなく、図５ａ〜５ｅに示された、電極１のいずれかと接続されて形成されたプラズマ４は、方法条件の一部又はほぼ全てにわたって、円錐以外の形状を含んでもよい。例えば稲妻又は白熱円筒として最もよく記述される形状が存在してもよい。さらに、このようなプラズマ４（例えば可視スペクトル内）によって放射された色は、赤みを帯びた色、青みを帯びた色、黄色、橙色、紫色、白色など多様であってよく、これらの色は、存在する雰囲気、ボルト数、アンペア数、電極組成、液体組成などの関数である。
【０１０５】
従って、言うまでもなく、電極１に対応する種々のサイズ及び形状を、本発明の教示に従って利用することができる。さらに、ここで種々の図面に示された、電極１の先端９は、比較的鋭利な点又は比較的丸みのある端部として示されることがある。これらの電極先端の具体的な特徴を文脈上より詳細に論じるのでない限り、図面に示す電極先端の実際の形状はさほど重要でないものとする。
【０１０６】
図７ａは、トラフ部材３０内部に含有される、図２ａ（及び図３ａ）に示されているものに相当する電極構造を示す断面斜視図である。このトラフ部材３０は、図７ａの後ろ側３１から内部に供給された液体３を有しており、流動方向「Ｆ」は、この頁から読者に向かって、また符号３２として示された断面区域に向かっている。トラフ部材３０はここでは１つの材料から成る一体部分として示されているが、しかし、１つにまとめられ、そして例えば材料を互いに付着させるための任意の許容し得る手段によって固定された（例えば接着、機械的付着など）複数の材料から形成することもできる。さらに、ここに示されたトラフ部材３０は長方形又は正方形の断面形状を有しているが、しかし、種々異なる断面形状を含んでいてもよい。さらに、トラフ部材３０は必ずしも、単一の断面形状から成る必要はなく、本明細書中の別の好ましい実施態様では、複数の異なる断面形状を含む。第１の好ましい実施態様の場合、断面形状は、トラフ部材３０の長手方向寸法全体にわたって概ね同じであるが、断面形状のサイズ寸法は、異なるプラズマ及び／又は電気化学反応と調和して変化する。さらに、２つよりも多い断面形状を一体的なトラフ部材３０内に利用することもできる。異なる断面形状の利点の一例としては、異なる電力、電界、磁界、電磁相互作用、電気化学効果、異なる部分における異なる化学反応などが挙げられる。これらの利点は、同じ一体的トラフ部材３０の異なる長手方向部分において達成することができる。さらに、異なる断面形状のうちのいくつかは、例えば局所的又は全体的に提供される異なる雰囲気との関連において利用することができるので、電極５で発生する調節可能なプラズマ４のうちの少なくとも１つ及び／又は電気化学反応のうちの少なくとも１つが、存在し得る異なる雰囲気及び／又は成分の雰囲気濃度の関数となる。さらに、加えられた及び／又は生成された流体の量または強度は、例えば断面形状によって、また、例えば、そこで発生する１種又は２種以上の反応を増強又は減衰するために種々の電極セット又は電極構造に、又はこの近くに、又はこれに隣接して、又はこれに並置して種々の場濃縮手段を設けることにより、増強することができる。従って、トラフ部材３０の断面形状は、液体３と電極との相互作用、並びに調節可能なプラズマ４と液体３との相互作用の両方に影響を与えることができる。
【０１０７】
さらに、言うまでもなく、トラフ部材は単に直線形状又は「Ｉ字形」である必要はなく、むしろ「Ｙ字形」、又は「Ψ字形」であってもよい。これらの各部分は類似又は非類似の断面を有していてよい。「Ｙ字形」又は「Ψ字形」のトラフ部材３０を形成する１つの理由は、２つの異なる一連の処理条件が「Ｙ字形」トラフ部材３０の２つの上側部分内に存在し得ることである。さらに第３の一連の処理条件が、「Ｙ字形」トラフ部材３０の下側部分内に存在し得る。こうして異なる組成及び／又は異なる反応物質から成る２種の異なる流体３を一緒にして、「Ｙ字形」トラフ部材３０の下側部分に運び、そして一緒に処理することにより、多種多様な最終生成物を形成することもできる。
【０１０８】
図１１ｅは、トラフ部材３０の別の構造を示している。具体的には、トラフ部材３０は斜視図で示されており、「Ｙ字形」である。具体的には、トラフ部材３０は上側部分３０ａ及び３０ｂと、下側部分３０ｏとを含む。同様に、入口３１ａ及び３１ｂが、出口３２とともに設けられている。部分３０ｄは、３０ａと３０ｂとが３０ｏに合体する点に相当する。
【０１０９】
図１１ｆは、図１１ｅの部分３０ｄがここでは混合区分３０ｄ’として示されていることを除けば、図１１ｅに示されているのと同じ「Ｙ字形」トラフ部材を示している。これに関して、例えば部分３０ａ，３０ｂ及び／又は３０ｃのうちの１つ又は全てにおいて液体３中で製造又は産出される特定の成分は、点３０ｄ（又は３０ｄ’）で混ぜ合わされるのが望ましい場合がある。このような混合は、図１１ｅに示された交差点３０ｄで自然に発生してよく（すなわち特定の又は特別な区分３０ｄ’は必要でない）、或いは、部分３０ｄ’で、より特定的に制御されてもよい。言うまでもなく、部分３０ｄ’を任意の効果的な形状、例えば正方形、円形、長方形などに成形することもでき、トラフ部材３０の他の部分に対して同じ又は異なる深さを有することもできる。これに関して、区域３０ｄは混合ゾーン又は後続の反応ゾーンであってもよい。
【０１１０】
図１１ｇ及び１１ｈは、「Ψ字形」トラフ部材３０を示している。具体的には、新しい部分３０ｃが加えられている。図１１ｇ及び１１ｈの他の構成要件は、図１１ｅ及び１１ｆに示された構成要件と同様である。
【０１１１】
言うまでもなく、トラフ部材３０のためには種々異なる形状が存在し得る。これらの形状のいずれも望ましい結果をもたらすことができる。
【０１１２】
再び図７ａを参照すると、流体３の流動方向は、この頁から読者に向かっており、そして液体３は電極１及び５のそれぞれを順次流過する。電極１及び５は、この実施態様の場合、トラフ部材３０内部の流体３の長手方向流動方向「Ｆ」に対して互いに実質的に一列に配置されている（例えばこれらの配列関係は互いに、そしてトラフ部材３０の長手方向寸法に対して平行である）。これにより、液体３は、調節可能なプラズマ４と液体３との相互作用（例えばコンディショニング反応）を最初に被り、続いて、コンディショニングされた流体３は、電極５と相互作用することができる。本明細書中で前述したように、種々多様な成分が、調節可能なプラズマ４中に存在すると予測することができ、また、このような成分又は構成要素の少なくとも一部（例えば化学的、物理的、及び／又は流体成分）が、液体３の少なくとも一部と相互作用し、そして液体３を変化させる。従って、このような構成要素又は成分又は別の液体構造が液体３中に存在させられた後、後続の反応（例えば電気化学反応）が電極５で発生することができる。このように、本明細書中の種々の実施態様の開示内容から明らかなように、調節可能なプラズマ４中の成分又は構成要素のタイプ、量、活性は、本発明の好ましい実施態様の実施と関連する種々様々な条件の関数である。このような成分（一時的なものであれ半永久的なものであれ）は、一旦存在したら、且つ／又は液体３を少なくとも部分的に改質したら、液体３が方向「Ｆ」にトラフ部材を貫流するのに伴って、トラフ部材３０の長手方向に沿って後続の反応に好ましい影響をを与えることができる。これらのタイプの反応を調節し（例えば電極集成体及びこれと関連する反応）、そして付加的な同様の又は異なる電極セット又は電極集成体（例えば図３ａ〜３ｄに示されているもの）を順次設けることにより、種々多様な化合物、ナノ粒子、及びナノ粒子／溶液を得ることができる。例えば、液体３中の成分が、トラフ部材３０の長手方向長さに沿って種々の電極セット（例えば５，５）を通過してこれらと相互作用するのに伴って、ナノ粒子は、液体３中で成長させられ得る（例えば見掛け又は実際の成長）（「例」の項で詳細に論じる）。例えば電極セット５，５に観察されるこのような成長は、液体３が電極セット１，５及び／又は１，１及び／又は５，１と前に接触したときに大幅に促進されるように見える。本発明により産出された液体３の具体的な最終用途に応じて、液体３中の特定のナノ粒子、いくつかの成分などは極めて望ましいと考えることが可能であり、これに対して他の成分は望ましくないと考えることが可能である。しかし、電極デザインの多用途性、電極セットの数、電極セットの構造、流体組成、各電極集成体又は電極セット内の各電極における処理条件、トラフ部材３０の長手方向に沿った種々異なる電極集成体又は電極セットの配列、トラフ部材３０の形状、トラフ部材３０の断面のサイズ及び形状に起因して、全てのこのような条件は、本明細書中に開示された過程の少なくとも一部の間、液体３中に存在する望ましい又は望ましくない成分又は構成要素（一時的又は半永久的）及び／又は液体自体の異なる構造を多くする又は少なくすることに関与することができる。
【０１１３】
図７ｂは、図２ａ（及び図３ａ）に示された電極構造を示す断面斜視図であるが、これらの電極１及び５は、この頁上では、図２ａ及び３ａに示された電極１及び５に対して９０度だけ回転している。本発明のこの実施態様において、液体３は、電極１と液体３の表面２との間に発生する調節可能なプラズマ４と接触し、また、トラフ部材３０の長手方向の流動方向「Ｆ」（すなわち頁から出る方向）に沿ったほぼ同じ点で電極５と接触する。液体３の流動方向は図７ａのように、トラフ部材３０に沿って長手方向に、紙から読者に向かっている。従って、本明細書中ですぐ上で論じたように、図７ｂに示された電極集成体を、本明細書中で上述した、また後から論じる電極集成体又は電極セットのうちの１つ又は２つ以上と一緒に利用できることが明らかになる。例えば、図７ｂに示された集成体のための１つの用途は、調節可能なプラズマ４中に生成された成分（又は液体３中の結果として生じた生成物）が液体３の表面２との接点から下流に流れるときに、種々の後続の処理工程が生じ得ることである。例えば、電極１と電極５との間の距離「ｙ」（例えば図７ｂに示されているような）は、特定の最小距離並びに特定の最大距離に制限される。最小距離「ｙ」は、距離が、電極１及び５間の最も近い点の間に提供された雰囲気の電気破壊「Ｅc」を僅かに超えるような距離である。これに対して最大距離「ｙ」は、流体の少なくともいくらかの導電率が、電源１０から電極１及び５のそれぞれの中へ入り、そして電極を通り、そして液体３を通る電気的接続を可能にする最大限の距離に相当する。最大距離「ｙ」は、例えば液体３中の成分（例えば液体３の導電率）の関数として変化することになる。従って、調節可能なプラズマ４を含む高いエネルギーを供給されたこれらの成分のうちのいくらかは、著しく反応性であることが可能であり、そして液体３中に化合物（反応性又はその他の）を生成することができ、そしてこのような成分の存在によって、後続の処理工程を促進することができ、或いは、著しく反応性のこのような構成要素又は成分は、例えば時間の関数として低反応性となることが可能である。さらに、例えば例７ｂに示されている電極セットから下流側の付加的な電極セットと関連する位置及び／又は処理条件によって、特定の望ましい又は望ましくない反応を最小化又は最大化することもできる。
【０１１４】
図８ａは、図７ａに示されたものと同じ実施態様を示す断面斜視図である。この実施態様では、図７ａの実施態様におけるように、流体３は、電極１と液体３の表面２との間に生成された調節可能なプラズマ４と最初に相互作用する。その後、調節可能なプラズマ４によって変化（コンディショニング、改質、又は調製）させられた、影響されるか又はコンディショニングを施された流体３は、その後、電極５と連通し、ひいては、種々の電気化学反応が発生するのを可能にする。このような反応は流体３（及び流体３中の成分）の状態（例えば化学組成、物理又は結晶構造、励起状態など）によって影響を受ける。別の実施態様が図８ｂに示されている。この実施態様は概ね、図３ｂ及び４ｂに示された実施態様に本質的に相当する。この実施態様において、流体３は電極５と最初に連通し、そしてその後流体３は、電極１と液体３の表面２との間に生成された調節可能なプラズマ４と連通する。
【０１１５】
図８ｃは、２つの電極５ａ及び５ｂ（図３ｃ及び４ｃに示された実施態様に相当）を示す断面斜視図である。流体３の長手方向の流動方向「Ｆ」は、第１電極５ａと接触し、そしてその後、流体の流動方向「Ｆ」において第２電極５ｂに接触する。
【０１１６】
同様に、図８ｄは断面斜視図であり、そして図３ｄ及び４ｄに示された実施態様に相当する。この実施態様において、流体３は、第１電極１ａによって生成された第１の調節可能なプラズマ４ａと連通し、その後、第２電極１ｂと流体３の表面２との間に生成された第２の調節可能なプラズマ４ｂと連通する。
【０１１７】
従って、図８ａ〜８ｄに示された種々の電極構造又は電極セットを単独で、又は種々異なる構造の相互の組み合わせで使用できることが開示された実施態様から明らかである。数多くのファクタが、種々の望ましい結果を達成するためにどの電極構造を使用することが最良であるかという選択を導く。同様に、このような電極構造の数及びこのような電極構造の相互の位置も全て、液体３中の結果として生じる成分、これらの成分から結果として生じるナノ粒子及び／又はナノ粒子／液体溶液に影響を与える。電極構造の依存関係のいくつかの具体例は、本明細書中の「例」の項に含まれている。しかしながら、種々異なる生成物及び望ましい設備が、本明細書中に存在する教示内容（明示的及び内在的の両方）に従って実現可能である。これらの異なる設備は結果として、種々異なる生成物をもたらすことができる（本明細書中の「例」の項でさらに論じる）。
【０１１８】
図９ａは断面斜視図を示しており、図７ｂに示された電極構造に相当する（及び図３ａ及び４ａに示された電極構造にも概ね相当するが、しかし図９ａの電極構造は９０度だけ回転している）。図９ａ〜９ｄに示された電極構造の全ては、図示の電極対は、図７ｂにおけるように、トラフ部材３０に沿ったほぼ同じ長手方向の点に配置されるように構成されている。
【０１１９】
同様に、図９ｂも、図３ｂ及び４ｂに示された電極構造に概ね相当し、図８ｂに示された構造に対して９０度だけ回転させられている。
【０１２０】
図９ｃも、図３ｃ及び４ｃに概ね相当する電極構造を示し、図８ｃに示された電極構造に対して９０度だけ回転させられている。
【０１２１】
図９ｄも、図３ｄ及び４ｄに概ね相当する電極構造を示し、図８ｄに示された電極構造に対して９０度だけ回転させられている。
【０１２２】
本明細書中で論じるように、図７、８及び９に大まかに示された電極構造又は電極セットは全て、流体流動方向「Ｆ」に対するこれらの配向及び位置、及びトラフ部材３０内の相互の位置の関数として種々異なる結果（例えば、異なるサイズ、形状、量、化合物、成分、液体中に存在するナノ粒子の機能、異なる液体構造、種々異なるｐＨなど）をもたらすことができる。さらに、電極の数、組成、サイズ、具体的な形状、印加されるボルト数、印加されるアンペア数、形成される場、各電極セット内の電極間の距離、電極セット間の距離などは全て、液体３がこれらの電極を流過するのに伴って、液体３の特性、ひいてはこれから産出される材料（例えば流体３中の成分、ナノ粒子及び／又はナノ粒子／溶液）の結果としての特性に影響を与えることができる。加えて、液体を含有するトラフ部材３０はいくつかの好ましい実施態様において、図７、８及び９に示された複数の電極組み合わせを含有している。これらの電極集成体は全て同じ構造であってよく、或いは、種々異なる電極構造の組み合わせであってもよい。さらに、電極構造は流体「Ｆ」と順次連通してよく、或いは同時に、又は並列に流体「Ｆ」と連通してもよい。種々異なる電極構造例について、液体３中で産出される種々異なる成分、ここから産出されるナノ粒子及び／又はナノ粒子／溶液との関連において、後から付加的な図面に示し、本明細書中（「例」の項）で後から詳しく論じる。
【０１２３】
図１０ａは、図７、８及び９に示された、液体を含有するトラフ部材３０を示す断面図である。トラフ部材３０は、長方形又は正方形に相当する断面を有しており、電極（図１０ａには示されていない）をトラフ部材３０内に適当に位置決めすることができる。
【０１２４】
同様に、液体含有トラフ部材３０のいくつかの付加的な代わりの断面実施態様が、図１０ｂ、１０ｃ、１０ｄ及び１０ｅで示されている。図１０ａ〜１０ｅのそれぞれに示された好ましい実施態様の距離「Ｓ」及び「Ｓ’」は、例えば約１インチ〜約３インチ（約２．５ｃｍ〜７．６ｃｍ）である。距離「Ｍ」は約２〜約４インチ（約５ｃｍ〜１０ｃｍ）である。距離「Ｒ」は約１／１６インチ〜１／２インチから約３インチまで（約１．６ｍｍ〜１３ｍｍから約７６ｍｍまで）の範囲である。これらの実施態様の全て（また、別の実施態様を表す付加的な構造も本発明の範囲に含まれる）は、本発明の他の特徴との組み合わせで利用することができる。なお、液体含有トラフ部材３０のそれぞれの内部に含有される液体３の量は、深さ「ｄ」の関数であるだけでなく、実際の断面の関数でもある。手短に言うと、電極１及び５の中及び周りに存在する流体３の量又は体積は、液体３に対する調節可能なプラズマ４の１つ又は２つ以上の効果（例えば流体又は場濃縮効果を含む濃縮効果）、並びに、電極５と液体３との化学又は電気化学相互作用に影響を与えることができる。これらの効果は、液体３に対する、調節可能なプラズマ４のコンディショニング効果（例えばプラズマの電界及び磁界の相互作用、プラズマの電磁線の相互作用、液体中の種々の化学種（例えばルイス酸、ブレンステッド−ラウリ酸など）の生成、ｐＨの変化、など）を含むだけでなく、調節可能なプラズマ４の濃縮、又は調節可能なプラズマ４と液体３との相互作用、及び電極５と液体３との電気化学相互作用をも含む。各電極集成体１及び／又は５の長手方向部分の周りに存在する液体の実体積に起因して、種々異なる効果が可能である。換言すれば、トラフ部材３０の長手方向に沿った所与の長さにわたって、種々異なる量または体積の液体３が、断面形状の関数として存在することになる。具体例として、図１０ａ及び１０ｃを参照されたい。図１０ａの場合、図示の長方形の形状は、図１０ｃに示された上側部分とほぼ同じ距離だけ離れた上側部分を有している。しかし、同じ所与の長手方向（頁の中へ向かう方向）に沿った流体の量は、図１０ａ及び１０ｃのそれぞれにおいて著しく異なることになる。
【０１２５】
同様に、液体３に対する電極５の多くの特徴の影響（例えば電気化学相互作用）もまた、本明細書中のすぐ上で論じたように、電極５と並置された流体の量の関数でもある。
【０１２６】
さらに、電界及び磁界の濃縮は、プラズマ４と液体３との相互作用に著しく影響を与えることもでき、電極５と液体３との相互作用に影響を与えることもできる。例えば、特定の理論又は説明によって縛られたくないが、液体３が水を含む場合には、種々の電界、磁界、及び／又は電磁界の影響が生じ得る。具体的には、水は、電界によって少なくとも部分的に整列することができる周知の双極性分子である。電界によって水分子を部分的に整列させることにより、例えば以前から存在する水素結合及び結合角度が、電界曝露前とは異なる角度を成して配向されることになり、又は異なる振動活性が生じ、又はこのような結合が実際に破断され得る。水構造のこのような変化は、異なる（より高い）反応性を有する水をもたらすことができる。さらに、電界及び磁界の存在は、水及び／又は水中に存在するナノ粒子の秩序化又は構造化に対して反対の効果を有し得る。非構造化水又は、例えば著しく構造化された水と比べて水素結合が比較的少ない小さな構造化水は、結果としてより反応性（例えば化学的により反応性）の環境をもたらすことが可能である。このことは、例えば増大した粘度、低減された拡散性、及びより小さな水分子活性に起因して反応を遅くすることができる開いた又は高次水素結合網状構造とは対照的である。従って、水素結合及び水素結合強度を明らかに低減し（例えば電界）且つ／又は振動活性を高めるファクタは、反応性及び種々の反応の動力学的特性を促進することができる。
【０１２７】
さらに、電磁線も、水に対して直接及び間接の影響を与えることができ、個々の電界又は磁界ではなく電磁線自体（例えばプラズマ４から発せられた放射線）が、“Methods for Controlling Crystal Growth, Crystallization, Structures and Phases in Materials and Systems”と題する、参考のため本明細書中に引用した前述の特許出願公開明細書に開示されたような効果を有することも可能である。異なるプラズマ４と関連する異なるスペクトルに関しては、本明細書中の「例」の項で論じる。
【０１２８】
さらに、電流を本明細書中に開示された電極１及び／又は５に通すことにより、例えば電極５上に存在する電圧は、水分子に対して配向効果（すなわち一時的、半永久的又はそれよりも長い期間）を有することができる。水中の他の成分（すなわち荷電種）の存在はこのような配向効果を増強することがある。このような配向効果は、例えば水素結合破断、及び局所的な密度変化（すなわち減少）を引き起こすことがある。さらに、電界は、水素結合網状構造を変化（例えば低減）させることに起因して、水の誘電定数を低下させることも知られている。網状構造のこのような変化は、水の溶解特性を変化させるはずであり、またトラフ部材３０内部の液体３（例えば水）中の種々の気体及び／又は成分又は反応性種の濃縮又は溶解を助けることもできる。さらに、電磁線（及び／又は電界及び磁界）の印加から生じる水素結合の変化又は破断が、気体／液体界面を攪乱し、より反応性の種をもたらすことが可能である。さらに、水素結合の変化は、二酸化炭素水和に影響を与え、このことはとりわけ、ｐＨを変化させる。このように、局所的なｐＨ変化が例えば電極５（又は電極１）のうちの少なくとも１つ又は２つ以上の周りで発生するときには、生じ得る反応物質（本明細書中の別の個所で詳細に論じる）の多くはこれら自体及び／又は雰囲気及び／又は調節可能なプラズマ４、並びに電極１及び／又は５自体と異なる形で反応することになる。ルイス酸及び／又はブレンステッド−ラウリ酸の存在が、反応に多大な影響を与えることもできる。
【０１２９】
さらに、トラフ部材３０は、長手方向全長に沿って２つ以上の断面形状を含むことができる。トラフ部材３０の長手方向全長に沿って複数の断面形状を組み込む結果、例えば本明細書中に開示された本発明の実施態様によって、変化する場又は濃縮効果又は反応効果がもたらされる。加えて、トラフ部材３０の長手方向長さに沿った点に種々の変更を加えることができる。このような変更により、本明細書中で上述した種々の場効果を増強及び／又は減衰することができる。これに関して、トラフの中及び／又は周りの材料から成る組成物（例えばトラフ部材３０の少なくとも一部の外側又は内部に位置する金属）は、電極１及び／又は５の中及び周りに存在する種々の場の濃縮因子又は増強因子として作用することができる。加えて、外部から印加される場（例えば電界、磁界、電磁界など）の適用、及び／又はトラフ部材３０内部の特定の反応性材料の配置（例えばその傍らを流れる液体３の一部と少なくとも部分的に接触する）の結果、（１）望ましくない種を収集、捕集、又は濾過することもでき；又は（２）例えば上流に既に形成されているナノ粒子の外面の少なくとも一部に望ましい種を配置することもできる。さらに、言うまでもなく、トラフ部材３０は直線形状又は「Ｉ字形」ではない場合があり、むしろ「Ｙ字形」又は「Ψ字形」であってもよい。Ｙ及びΨの各部分は異なる（又は類似の）断面を有していてよい。「Ｙ字形」又は「Ψ字形」のトラフ部材３０を形成する１つの理由は、２つ（又は３つ以上）の異なる一連の処理条件が「Ｙ字形」又は「Ψ字形」のトラフ部材３０の２つ（又は３つ以上）の上側部分内に存在し得ることである。さらに別の付加的な一連の処理条件が、「Ｙ字形」トラフ部材３０の下側部分内に存在し得る。こうして異なる組成及び／又は異なる反応物質から成る異なる流体３を一緒にして、「Ｙ字形」トラフ部材３０の下側部分に運び、そして一緒に処理することにより、多種多様な最終生成物を形成することもできる。
【０１３０】
図１１ａは、入口部分又は入口端部３１と出口部分又は出口端部３２とを含む、図１０ｂに示されたトラフ部材３０のほぼ全体の１実施態様を示す斜視図である。本明細書中で他の図面において論じた流動方向「Ｆ」は、端部３１で又は端部３１の近くで入り（例えば、入口部分３１で又は入口部分３１の近くでトラフ部材３０内に流体を供給する適宜の手段を利用する）、そして端部３２を通ってトラフ部材３０を出る液体に相当する。加えて、図１１ａには単一の入口端部３１が示されているが、図１１ａに示されたものの近くに複数の入口端部３１が存在することができ、或いは、トラフ部材３０の長手方向長さに沿った種々の位置（例えばトラフ部材３０に沿って位置する電極セットのうちの１つ又は２つ以上からすぐ上流側）に配置することもできる。こうして、複数の入口３１は、その第１の長手方向端部３１で２種以上の液体３を導入すること、又は長手方向端部３１で複数の液体３を導入すること、及び／又はトラフ部材３０の長手方向長さに沿った異なる位置で異なる液体３を導入することを可能にする。
【０１３１】
図１１ｂは、トラフ部材３０の上側に取り外し可能に取り付けられた３つの制御装置２０を含有する、図１１ａのトラフ部材３０を示している。電極１及び／又は５を含有する制御装置２０の相互作用及び動作に関しては、本明細書中で後から詳しく論じる。
【０１３２】
図１１ｃは、雰囲気制御装置カバー３５’を組み込んだトラフ部材３０を示す斜視図である。雰囲気制御装置又はカバー３５’には、電極１及び／又は５を含有する複数の制御装置２０（図１１ｃでは、３つの制御装置２０ａ，２０ｂ及び２０ｃが示されている）が取り付けられている。カバー３５’は、トラフ部材３０の長手方向の大部分（長手方向の５０％超）の内部及び／又は大部分に沿って雰囲気を制御する能力を提供するように意図されているので、任意の電極１に生成された任意の調節可能なプラズマ４は、電圧、電流、電流密度など、並びに制御された雰囲気の関数であり得る。雰囲気制御装置カバー３５’は、１つ又は２つ以上の電極セットを内部に含有できるように構成することができる。例えば、局所的雰囲気は、トラフ部材３０の長手方向の長さのほぼ全て又は一部に沿って、端部３９ａ及び３９ｂの間に、そして雰囲気制御装置３５’の上側部分に形成することができる。雰囲気制御装置３５’内に組み込まれた少なくとも１つの入口ポート（図示せず）内に雰囲気を流入させ、そしてこれを、少なくとも１つの出口ポート（図示せず）を通して出すか、又は例えば部分３９ａ及び３９ｂに沿って又はその近くで入る／出るのを可能にすることができる。これに関して、正圧が雰囲気制御装置３５’の内部に提供される限り（すなわち外部雰囲気に対して正）、このようないずれの気体を部分３９ａ及び／又は３９ｂの周りで発泡させることができる。さらに、例えば、部分３９ａ又は３９ｂの一方の部分が他方に対して高い場合に応じて、内部雰囲気を適切に制御することもできる。雰囲気制御装置３５’内部に使用するのに適した種々様々の雰囲気は、希ガスのような従来より非反応性と見なされている雰囲気（例えばアルゴン又はヘリウム）、又は従来より反応性と見なされている雰囲気、例えば酸素、窒素、オゾン、制御された空気などを含む。雰囲気制御装置３５’内部の雰囲気の正確な組成は、所期の処理技術、及び／又はプラズマ４中に存在するべき所期成分、及び／又は液体３、所期のナノ粒子／複合ナノ粒子及び／又は所期のナノ粒子／溶液の関数である。
【０１３３】
図１１ｄは、トラフ部材３０を（その外部で）支持し、また制御装置２０（図１１ｃには示されていない）を（少なくとも部分的に）支持するための付加的な支持手段３４を含む、図１１ｃの装置を示している。言うまでもなく、例えば、全て本発明の開示内容の範囲内に含まれると考えられるトラフ部材３０、雰囲気制御装置（例えば雰囲気制御装置３５’）及び外部支持手段（例えば支持手段３４）に対して示される断面形状に関して、種々の詳細を変化させることができる。トラフ部材３０を支持するための付加的な支持部材３４を含む材料は、本発明の開示内容に関して実施される処理条件下で好都合であり、構造的に妥当であり、非反応性であるいかなる材料であってもよい。許容し得る材料は、本明細書中の別の個所で詳細に論じるように、ポリビニル、アクリル、プレキシグラス、構造用プラスチック、ナイロン、テフロン（登録商標）などを含む。
【０１３４】
図１１ｅは、トラフ部材３０の別の構造を示している。具体的には、トラフ部材３０は斜視図で示されており、「Ｙ字形」である。具体的には、トラフ部材３０は上側部分３０ａ及び３０ｂと、下側部分３０ｏとを含む。同様に、入口３１ａ及び３１ｂが、出口３２とともに設けられている。部分３０ｄは、３０ａと３０ｂとが３０ｏに合体する点に相当する。
【０１３５】
図１１ｆは、図１１ｅの部分３０ｄがここでは混合区分３０ｄ’として示されていることを除けば、図１１ｅに示されているのと同じ「Ｙ字形」トラフ部材を示している。これに関して、例えば部分３０ａ，３０ｂ及び／又は３０ｃのうちの１つ又は全てにおいて液体３中で製造又は産出される特定の成分は、点３０ｄ（又は３０ｄ’）で混ぜ合わされるのが望ましい場合がある。このような混合は、図１１ｅに示された交差点３０ｄで自然に発生してよく（すなわち特定の又は特別な区分３０ｄ’は必要でない）、或いは、部分３０ｄ’で、より特定的に制御されてもよい。言うまでもなく、部分３０ｄ’を任意の効果的な形状、例えば正方形、円形、長方形などに成形することもでき、トラフ部材３０の他の部分に対して同じ又は異なる深さを有することもできる。これに関して、区域３０ｄは混合ゾーン又は後続の反応ゾーンであってもよい。
【０１３６】
図１１ｇ及び１１ｈは、「Ψ字形」トラフ部材３０を示している。具体的には、新しい部分３０ｃが加えられている。図１１ｇ及び１１ｈの他の構成要件は、図１１ｅ及び１１ｆに示された構成要件と同様である。
【０１３７】
言うまでもなく、トラフ部材３０のためには種々異なる形状が存在し得る。これらの形状のいずれも望ましい結果をもたらすことができる。
【０１３８】
図１２ａは、局所的雰囲気制御装置３５を示す斜視図である。この雰囲気制御装置３５は、電極セット１及び／又は５の周りの局所的雰囲気を制御する手段として機能するので、種々の局所的な気体を利用することにより、例えば電極１と液体３の表面２との間の調節可能なプラズマ４中の或るパラメータを制御し且つ／又はこれに影響を与え、また、液体３中の或る成分及び／又は電極５における及び／又は電極の周りの調節可能な電気化学反応に影響を与えることができる。雰囲気制御装置３５内に示された貫通孔３６及び３７は、装置３５の一部内を通って外部と連通するのを可能にするように設けられている。具体的には、孔又は入口３７は、任意の気体種が装置３５の内側に導入されるように入口接続部として設けられている。孔３６は、これを貫通して延びる電極１及び／又は５のための連通ポートとして設けられている。これらの電極は、例えば装置３５の上方に配置された制御装置２０に接続されている。入口３７を通って導入される気体は、局所的な外部雰囲気に対して正圧で提供すればよく、任意の好適な手段又は経路によって逃すことが許されてよい。気体を逃すことは、例えば、装置３５の部分３９ａ及び／又は３９ｂが例えば少なくとも部分的に液体３の表面２の下方に沈められたときに、このような部分３９ａ及び／又は３９ｂの周りで発泡させることを含む。一般には、部分３９ａ及び３９ｂは、液体３の表面２を分割することができ、これにより、表面２は、電極セット１及び／又は５の周りに局所的な雰囲気を形成するためのシール部分として効果的に作用させられる。所望される気体の正圧が入口ポート３７を通って入るときに、小さな気泡を、例えば部分３９ａ及び／又は３９ｂを通過するように発生させることができる。加えて、入口３７の正確な位置は、これを貫流する気体の関数であり得る。具体的に、局所的雰囲気の少なくとも一部が空気よりも重いならば、液体３の表面２の上方に入口部分があれば十分である。しかしながら、言うまでもなく、入口３７を例えば３９ａ又は３９ｂに配置することもでき、また液体３を通して発泡させ、そしてこれを局所的雰囲気制御装置３５の内部で捕捉することもできる。従って、雰囲気制御装置３５内の入口及び／又は出口の正確な位置は、いくつかのファクタの関数である。
【０１３９】
図１２ｂは、支持ハウジング３４内部に含まれるトラフ部材３０の前景に設けられた第１の雰囲気制御装置３５ａを示す斜視図である。第２の雰囲気制御装置３５ｂが含まれ、この上に配置された制御装置２０が示されている。「Ｆ」は、トラフ部材３０を通る液体３の長手方向流動方向を示している。図１１ｃに示されているような単一の雰囲気制御装置の代わりに、複数の雰囲気制御装置３５ａ，３５ｂ（並びに図示していない３５ｃ，３５ｄなど）を利用することができる。複数の局所的雰囲気制御装置３５ａ〜３５ｘを設ける理由は、所望の場合に、各電極集成体の周りに異なる雰囲気が存在し得ることである。従って、調節可能なプラズマ４の具体的な特徴、並びに液体３中に存在する具体的な成分、及び例えば電極５に生じる調節可能な電気化学反応の具体的な特徴が、とりわけ局所的雰囲気の関数となる。従って、１つ又は２つ以上の局所的雰囲気制御装置３５ａを使用することにより、所期の成分、ナノ粒子、及びナノ粒子溶液混合物を形成する上で著しい柔軟性が提供される。
【０１４０】
図１３は、別の雰囲気制御装置３８を示す斜視図である。ここでは、トラフ部材３０全体と支持手段３４とが雰囲気制御装置３８内部に含まれている。この場合、例えば、１つ又は２つ以上の気体出口３７ａ,３７ａ’と一緒に、１つ又は２つ以上の気体入口３７,３７’を設けることができる。雰囲気制御装置３８上に気体入口３７,３７’及び気体出口３７ａ,３７ａ’を正確に位置決めすることは、便宜上の事柄であり、雰囲気の組成に応じて行われる。これに関して、例えば提供される雰囲気が空気よりも重い又は空気よりも軽い場合、入口及び出口の位置はこれに応じて調節することができる。本明細書中の別の個所で論じるように、気体入口部分及び気体出口部分は、液体３の表面２の上方又は下方に設けることができる。もちろん、気体入口部分が液体３の表面２の下方に設けられる（この図面に具体的には示されていない）ときには、言うまでもなく、気体入口３７を通して挿入された気体の気泡（例えばナノ気泡及び／又はミクロ気泡）を、処理時間の少なくとも一部にわたって、液体３中に組み入れることもできる。このような気泡は、液体３との所期反応成分（すなわち液体３と反応性の成分）及び／又は液体３及び電極５中の成分であってよい。従って、局所的雰囲気を液体３の表面２の下方に導入する際の柔軟性が、付加的な処理制御及び／又は処理増強を可能にする。
【０１４１】
図１４は、本発明の好ましい実施態様のうちのいくつかの教示内容に従って利用される一般的な装置を示す概略図である。具体的には、この図１４は、液体３を含有するトラフ部材３０を示す側面概略図である。トラフ部材３０の上側に、複数の制御装置２０ａ〜２０ｄ（これらのうち４つが図示されている）が載置されており、これらの制御装置はこの実施態様では、取り外し可能にトラフ部材３０に取り付けられている。制御装置２０はもちろん、本発明の種々の実施態様を実施するときに、永久的に所定の位置に固定されていてよい。制御装置２０（及び対応する電極１及び／又は５並びにこのような電極の構造）の正確な数、及び制御装置２０（及び対応する電極１及び／又は５）の位置決め又は配置は、本明細書中の「例」の項でそれらのうちのいくつかを詳しく論じる本発明の種々の好ましい実施態様の関数である。しかしながら、一般には、流入液体３（例えば水）は、液体水３をトラフ部材３０内にその第１端部３１でポンピングするための液体搬送手段４０（例えば液体蠕動ポンプ、液体３をポンピングするための液体ポンピング手段）に提供される。例えば、流入液体３（例えば水）は静かに導入するか、又は攪拌された状態で導入することもできる。攪拌は典型的には、ナノ気泡又はミクロ気泡の導入を含む。このことは望ましい場合も望ましくない場合もある。静かな導入が望まれる場合には、このような流入液体３（例えば水）は、静かに提供することができる（例えばトラフの底部分内に流入する）。或いは、トラフ部材３０の上方にリザーバ（図示せず）を提供し、そして液体３をこのようなリザーバ内にポンピングすることもできる。次いで、リザーバに提供された流体レベルが適切なレベルに達するのに従って、リザーバの下側部分、中央部分、又は上側部分から液体を流出させることができる。流入液体３をトラフ部材３０内へ第１端部３１で供給するための正確な手段は、種々のデザイン選択肢の関数である。さらに、本明細書中で上述したように、言うまでもなく、付加的な入口部分３１は、トラフ部材３０の異なる部分に沿って長手方向に存在することができる。距離「ｃ−ｃ」も図１４に示されている。一般には、距離「ｃ−ｃ」（各制御装置２０間の中心間長手方向測定値に相当する）は、本明細書中に開示された実施態様の所期の機能を可能にする任意の量又は距離であり得る。距離「ｃ−ｃ」は、距離「ｙ」（例えば１／４インチ〜２インチ；６ｍｍ〜５１ｍｍ）及び好ましい実施態様では図１〜４及び図７〜９に示されている約１．５インチ（約３８ｍｍ）よりも小さくあるべきではない。距離「ｃ−ｃ」を一般的に理解するために、例は種々の距離「ｃ−ｃ」を示しているが、概算距離は、約４インチ〜約８インチ（約１０２ｍｍ〜約２０３ｍｍ）である。但し、これよりも大きい又は小さい離隔ももちろん、本明細書中に開示された前記実施態様の全ての適用に応じて可能である（又は必要となる）。本明細書中で後から開示される例において、例のうちの多くのものにおける好ましい距離「ｃ−ｃ」は、約７インチ〜８インチ（約１７７〜２０３ｍｍ）である。
【０１４２】
一般に、液体搬送手段４０は、例えば重力送り手段又は静水圧手段、ポンピング手段、蠕動ポンピング手段、調節手段又は弁手段などを含む、液体３を動かすための任意の手段を含んでいてよい。但し、液体搬送手段４０は、既知量の液体３をトラフ部材３０内に信頼性高く且つ／又は制御可能に導入できなくてはならない。一旦、液体３がトラフ部材３０内に提供されると、トラフ部材３０内部で液体３を連続して動かす手段が必要とされることも必要とされないこともある。しかしながら、液体３を連続して動かす単純な手段は、トラフ部材３０が、これが載置された支持面に対して僅かな角度θ（例えば１度未満〜数度）を成して設置されることを含む。例えば、液体３の粘度が余りにも高くない限り（例えば水の粘度付近の任意の粘度は、一旦このような流体がトラフ部材３０内部に含有又は配置されたら、重力流によって制御することができる）、支持面に対する、入口部分３１と出口部分３２との間の鉛直方向高さの差を形成するだけで済む。これに関して、図１５ａは、角度θ1を成すトラフ部材３０を示す断面図であり、そして図１５ｂは、角度θ2を成すトラフ部材３０を示す断面図であり、また、水のような低粘度流体を含む種々の粘度を処理する、トラフ部材３０に対する種々の許容し得る角度が示されている。トラフ部材３０の種々異なる断面及び低粘度流体のための望ましい角度は、典型的には、低粘度流体に対する約０．１〜５度の最小値と、より高粘度の流体に対する５〜１０度の最大値との間の範囲である。しかし、このような角度は、既に述べた種々のファクタ、並びに、例えば底部又は液体３がトラフ部材３０に接触する界面に沿って特定の流体妨害手段又はダム８０が含まれているかどうかの関数である。このような流体妨害手段は、例えばトラフ部材３０の長手方向流動方向に沿って設けられた部分的な機械的ダム又はバリアを含むことができる。これに関しては、θ1はほぼ５〜１０°であり、θ2はほぼ０．１〜５°である。図１５ａ及び１５ｂは、トラフ部材３０の出口部分３２の近くのダム８０を示している。トラフ部材３０の長手方向長さに沿った種々の部分に、複数のダム８０装置を配置することができる。寸法「ｊ」は例えば約１／８インチ〜１／２インチ（約３〜１３ｍｍ）であってよく、また寸法「ｋ」は例えば約１／４インチ〜３／４インチ（約６〜１９ｍｍ）であってよい。ダム８０の断面形状（すなわち「ｊ〜ｋ」形状）は、鋭利なコーナー、丸みを帯びたコーナー、三角形状、円筒形状などを含むことができ、これらの全ては、トラフ部材３０の種々の部分を貫流する液体３に液体することができる。
【０１４３】
さらに、液体３の粘度が重力単独では不十分なほど増大するときには、静水圧ヘッド圧又は静水圧を具体的に用いるように他の現象を利用して、望ましい流体流を達成することもできる。さらに、トラフ部材３０に沿って液体３を動かすための付加的な手段を、トラフ部材３０内部に設けることもできる。流体を動かすためのこのような手段は、機械手段、例えばパドル、ファン、プロペラ、オーガーなど、音響手段、例えばトランスデューサ、熱手段、例えばヒータ（付加的な処理上の利益を有することができる）などを含む。液体３を動かす付加的な手段は、液体３が、トラフ部材３０の長手方向長さに沿った種々の部分を種々の量で流れるようにすることができる。これに関して、例えば、液体３が最初にトラフ部材３０の第１の長手方向部分をゆっくりと貫流した場合、液体３は、例えば本明細書中で前述したように、トラフ部材３０の断面形状を変えることにより、そのさらに下流側により迅速に流れるように形成することができる。加えて、トラフ部材３０の断面形状は付加的な流体処理手段を含有することもできる。この付加的な流体処理手段は、液体３がトラフ部材３０を貫流する速度を加速又は減速することができる。従って、液体３を動かすこのような手段を加えることにより、顕著な柔軟性を得ることができる。
【０１４４】
図１４はまた、トラフ部材３０の端部３２に設けられた貯蔵タンク又は貯蔵器４１を示している。このような貯蔵器４１は、例えばトラフ部材３０内に導入された液体３及び／又はトラフ部材３０内部に産出された生成物と不都合に相互作用することのない１種又は２種以上の材料から成る任意の許容し得る容器及び／又はポンピング手段であってよい。許容し得る材料の一例としては、プラスチック、例えば高密度ポリエチレン（ＨＤＰＥ）、ガラス、金属（例えば特定の等級のステンレス鋼）などが挙げられる。さらに、この実施態様では貯蔵タンク４１が示されているが、タンク４１は、トラフ部材３０内で処理された流体３を分配するか又は直接にボトリング又はパッケージングするための手段を含むものとして理解されるべきである。
【０１４５】
図１６ａ，１６ｂ及び１６ｃは、本発明の１つの好ましい実施態様の斜視図を示している。これらの図１６ａ，１６ｂ及び１６ｃにおいて、８つの別個の制御装置２０ａ〜２０ｈがより詳細に示されている。このような制御装置２０は、例えば図８ａ，８ｂ，８ｃ及び８ｄに示された電極構造のうちの１つ又は２つ以上を利用することができる。制御装置２０の正確な位置決め及び作業については、本明細書中の別の個所で詳細に論じる。しかしながら、制御装置２０のそれぞれは、距離「ｃ−ｃ」（図１４参照）によって分離される。この距離は、本明細書中に論じた好ましい実施態様のうちのいくつかの場合、約８インチ（約２０３ｍｍ）である。図１６ｂは、２つの空気分配装置又は空気処理装置（例えばファン３４２ａ及び３４２ｂ）を使用することを含み、図１６ｃは、２つの別の又は望ましい空気処理装置３４２ｃ及び３４２ｄを使用することを含む。ファン３４２ａ，３４２ｂ，３４２ｃ及び／又は３４２ｄは任意の好適なファンであってよい。例えばDynatron DF124020BA、DCブラシレス、9000 RPM、約40mm x 40mm x 20mmのボールベアリング・ファンが良く働く。具体的には、このようなファンは、１分当たりほぼ１０立方フィートの空気流を有している。
【０１４６】
図１７は、別の好ましい実施態様による装置の別の実施態様を示す別の斜視図である。ここでは６つの制御装置２０ａ〜２０ｆ（すなわち６つの電極セット）が、図１６ａ及び１６ｂに示された８つの制御装置２０ａ〜２０ｈに対してほぼ９０度だけ回転している。従ってこの実施態様は、図９ａ〜９ｄに示された電極集成体の実施態様に概ね相当する。
【０１４７】
図１８は、図１６ａに示された装置を示す斜視図であるが、しかしこの装置はここでは、雰囲気制御装置３８によってほぼ完全に密閉されたものとして示されている。このような装置３８は、トラフ部材３０の周りの雰囲気を制御する手段であり、或いは、外部の望ましくない物質を、トラフ部材３０内に入らないように、またトラフ部材３０と不都合に相互作用しないように隔絶するために使用することができる。さらに、トラフ部材３０の出口３２は、出口パイプ４２を通って貯蔵器４１と連通しているものとして示されている。さらに、貯蔵タンク４１に設けられた出口４３も示されている。このような出口管４３は、液体３を貯蔵し、パッケージングし、且つ／又は処理するための任意の他の好適な手段に向けることができる。例えば、出口パイプ４３は、トラフ部材３０内で産出された液体生成物３をボトリング又はパッケージングするための任意の好適な手段と連通することができる。或いは、貯蔵タンク４１は取り外すこともでき、また出口パイプ４２は、液体生成物３を処理、ボトリング、又はパッケージングするための好適な手段に直接に接続することもできる。
【０１４８】
図１９ａ，１９ｂ，１９ｃ及び１９ｄは、本発明に従って使用することができる、付加的な電極構造の実施態様を示す付加的な断面斜視図である。
【０１４９】
具体的には、図１９ａは、トラフ部材３０の長手方向に沿って互いにほぼ平行に、トラフ部材３０を通る液体３の流動方向「Ｆ」に対してほぼ垂直に配置された２組の電極５（すなわち全部で４つの電極５ａ，５ｂ，５ｃ及び５ｄ）を示している。これとは異なり、図１９ｂは、トラフ部材３０の長手方向に沿って互いに隣接して配置された２組の電極５（すなわち電極５ａ，５ｂ，５ｃ及び５ｄ）を示している。
【０１５０】
これとは異なり、図１９ｃは、流体流動方向「Ｆ」に対してほぼ垂直に配置された１組の電極５（すなわち５ａ，５ｂ）と、流体流動方向「Ｆ」に対してほぼ平行に配置された別の１組の電極５（すなわち５ｃ，５ｄ）とを示している。図１９ｄは、図１９ｃに示された電極構造の鏡像を示している。図１９ａ，１９ｂ，１９ｃ及び１９ｄのそれぞれは電極５だけを示しているが、図１９ａ〜１９ｄのそれぞれに示された電極５のいくつか又は全ての代わりに電極１を使用し得ること、及び／又は、（例えば図８ａ〜８ｄ及び図９ａ〜９ｄに開示された電極構造と同様に）電極１を混ぜ合わせ得ることは明らかである。これらの選択的な電極構造は、全てが種々異なる望ましいナノ粒子又はナノ粒子／溶液をもたらすことができる種々の選択的な電極構造の可能性を提供する。今や読者には明らかなように、他の電極集成体の上流側に配置された電極集成体は、原材料、ｐＨ変化、成分及び／又はコンディショニング又は結晶又は構造の変化を、液体３の少なくとも一部に提供することができるので、最初の電極セット１及び／又は５から下流側の電極１及び／又は５で発生する反応は、例えばナノ粒子の成長、ナノ粒子の縮小（例えば部分的又は完全な溶解）、既存のナノ粒子上の異なる組成物の配置（例えば、ナノ粒子の性能を改質する種々のサイズ及び／又は形状及び／又は組成を含む表面構成要件）、ナノ粒子上の既存の表面構成要件又は被膜の除去などをもたらすことができる。換言すれば、複数の構造を有する複数の電極セット、及び１つ又は２つ以上の雰囲気制御装置を、複数の調節可能な電気化学反応及び／又は調節可能なプラズマ４とともに提供することによって、産出される種々の成分、ナノ粒子、複合ナノ粒子、シェル層（例えば部分又は完全）被膜の厚さ、又は基体ナノ粒子上の表面構成要件は極めて多様であり、液体３の構造及び／又は組成を信頼性高く制御することもできる。
【０１５１】
図２０ａ〜２０ｐは、図１９ａに示された実施態様にだけ対応する電極１及び５の全ての構造に対して考えられ得る使用可能な種々様々な電極構造の実施態様を示す種々の断面斜視図である。具体的には、例えば電極１又は５の数、並びに、このような電極１及び５の特定の相対位置が図２０ａ〜２０ｐにおいて変化する。もちろん、図２０ａ〜２０ｐに示されたこれらの電極１及び５は、図１９ｂ，１９ｃ及び１９ｄに示された別の電極構造のそれぞれに従って構成することもできる（すなわち図１９ｂ，１９ｃ及び１９ｄのそれぞれに相当する１６の付加的な図面）が、しかし簡潔にするために、付加的な図面はここには含まれていない。これらの電極集成体の特定の利点、及びその他については、本明細書中の別の個所で詳細に論じる。
【０１５２】
図２０ａ〜２０ｐに示された電極構造のそれぞれは、特定の運転条件に応じて、本発明のメカニズム、装置、及び方法から種々異なる生成物を生じさせることができる。
【０１５３】
図２１ａ，２１ｂ，２１ｃ及び２１ｄは、本発明の付加的な実施態様を示す断面斜視図である。これら図２１ａ〜２１ｄに示された電極配列は、それぞれ図１９ａ，１９ｂ，１９ｃ及び１９ｄに示された電極配列と配列が類似している。しかし、これらの図２１ａ〜２１ｄには、膜集成体又はバリア集成体５０も含まれている。本発明のこれらの実施態様の場合、異なる電極セットで形成された異なる生成物を分離するための手段として膜５０が設けられているので、膜５０の一方の側で電極セット１及び／又は５によって形成されたいずれの生成物も少なくとも部分的に単離又は分離することができ、或いは、膜５０の他方の側で電極セット１及び／又は５で形成された特定の生成物からほぼ完全に単離することもできる。種々異なる生成物を分離又は単離するこの膜手段５０は、機械的バリア、物理的バリア、機械物理的バリア、化学的バリア、電気的バリアなどとして作用してよい。従って、第１の電極セット１及び／又は５から形成された特定の生成物は、第２の電極セット１及び／又は５から形成された特定の生成物から少なくとも部分的に、或いはほぼ完全に単離することができる。同様に、直列に配置された付加的な電極セットを同様に設けることもできる。換言すれば、各電極セット１及び／又は５で又はその近くで異なる膜５０を利用することができ、そしてここから産出された特定の生成物を制御して、ここから長手方向で見て下流側の付加的な電極セット１及び／又は５に選択的に供給することができる。このような膜５０は、液体３及び／又はトラフ部材３０内で産出された液体３中に存在するナノ粒子又はイオンから成る種々異なる組成をもたらすことができる。
【０１５４】
本発明と一緒に使用するための分離手段として機能する、考えられ得るイオン交換膜５０は、アニオン性膜とカチオン性膜とを含む。これらの膜は、均一、不均一又は多孔質、対称又は非対称の構造、固体又は液体であってよく、正電荷又は負電荷を担持することができ、又は中性又は双極性であってよい。膜厚は１００ミクロンの小ささから数ｍｍまでであってよい。
【０１５５】
本発明の或る実施態様と一緒に使用するためのいくつかの具体的なイオン膜の一例として、次のものが挙げられる：
・均一重合タイプの膜、例えばスルホン化及びアミノ化スチレン−−ジビニルベンゼンコポリマー。
・凝縮不均一膜。
・ペルフルオロカーボン・カチオン交換膜。
・膜塩素アルカリ技術。
・この業界で使用されているカチオン・アニオン交換膜のほとんどは、スチレン−ジビニルベンゼンコポリマー、クロロメチルスチレン−ジビニルベンゼンコポリマー、又はビニルピリジン−ジビニルベンゼンコポリマーの誘導体から成っている。
・膜の基材として使用されるフィルムは一般に、ポリエチレン、ポリプロピレン（U'参照、ポリテトラフルオロエチレン、ＰＦＡ、及びＦＥＰなど）。
・トリフルオロアクリレート及びスチレンがいくつかの事例において使用される。
・コンベンショナルなポリマー、例えばポリエーテルスルホン、ポリフェニレンオキシド、ポリ塩化ビニル、及びポリフッ化ビニリデンなど。特にポリエーテルスルホン又はポリフェニレンオキシドのスルホン化又はクロロメチル化及びアミノ化。
・炭化水素イオン交換膜は一般に、スチレン−ジビニルベンゼンコポリマー、及びその他の不活性ポリマー、例えばポリエチレン、及びポリ塩化ビニルなどの誘導体から成っている。
【０１５６】
図２２ａは、図９ｃに示された電極集成体５ａ，５ｂに相当する電極集成体を示す斜視断面図である。この電極集成体は、化学的、物理的、化学物理的及び／又は機械的分離のための膜５０を利用することもできる。これに関して、図２２ｂは、電極５ａ，５ｂ間に配置された膜５０を示す。言うまでもなく、電極５ａ，５ｂは、例えば図９ａ〜９ｃに示された複数の構造のうちのいずれかを成す電極１と交換することもできる。図２２ｂの場合、膜集成体５０は、電極５ａで形成された生成物のうちのいくつか又は全てを、電極５ｂで形成された生成物のうちのいくつか又は全てから部分的に又はほぼ完全に単離する能力を有している。従って、電極５ａ及び５ｂのいずれかで形成された様々な種は、液体３がトラフ部材３０の長手方向の長さに沿って被る長手方向流動方向「Ｆ」において、付加的な電極集成体セット５ａ，５ｂ及び／又は電極セット５及び電極セット１の組み合わせと順次反応できるように制御することができる。従って、膜５０の適宜選択することにより、どの電極（又は後続又は下流側の電極セット）に位置するどの生成物も制御することができる。電極５ａ及び５ｂの極性が対向する好ましい実施態様の場合、種々異なる生成物が、電極５ｂに対して電極５ａに形成され得る。
【０１５７】
図２２ｃは、電極５ａ及び５ｂのための完全に異なる別の電極構造の本発明の別の異なる実施態様を、断面概略図で示している。この事例では、電極５ａ（又はもちろん電極１ａ）が膜５０の上方に配置されており、電極５ｂが膜５０の下方に配置されている（例えば液体３中にほぼ完全に沈んでいる）。これに関して、電極５ｂは複数の電極を含むことができ、或いは、トラフ部材３０の長手方向の少なくともいくらかの長さ又は全長に沿って延びる単一の電極であってもよい。この実施態様において、膜５０の上方の電極５に生成された特定の種は、膜５０の下方に生成された特定の種とは異なることが可能であり、このような種は、トラフ部材３０の長手方向の長さに沿って異なる形で反応することができる。これに関して、膜５０は、トラフ部材３０の全長にわたって延びる必要はなく、このような長さの一部だけにわたって存在していてよく、そしてその後、順次の電極集成体１及び／又は５は、そこから産出された生成物と反応することができる。明示的に述べられたこれらの実施態様を凌ぐ種々様々な付加的な実施態様が、明示的に開示された実施態様の思想の範囲に含まれることは読者には明らかである。
【０１５８】
図２２ｄは、本発明の別の選択的な実施態様を示しており、ここでは、図２２ｃに示された電極５ａの構造（及びもちろん電極１）が、トラフ部材３０の長さに沿って少なくとも一部にわたって延びる膜５０の一部の上方に配置されており、そして、第２の電極（又は複数の電極）５ｂ（図２２ｃの電極５ｂと類似する）が、トラフ部材３０の底部に沿って長手方向長さの少なくとも一部にわたって延びている。複数の電極５ａを利用するこの実施態様では、付加的な動作柔軟性を達成することができる。例えば、電圧及び電流を少なくとも２つの電極５ａ内に分割することにより、複数の電極５ａにおける反応は、同様のサイズ、形状及び／又は組成の単一の電極５ａで発生する反応とは異なる可能性がある。もちろん、この複数電極構造は、本明細書中に開示された実施態様の多くに利用することができるが、しかし簡潔にするために明示的に論じてはいない。しかしながら一般には、複数の電極１及び／又は５（すなわち単一の電極１及び／又は５ではなく）は、本発明に従って産出された生成物に大きい柔軟性を加えることができる。これらの利点のうちの特定のものの詳細については、本明細書中の別の個所で論じる。
【０１５９】
図２３ａは、本発明の別の実施態様を示す断面斜視図であり、この図は、図１９ａに示された電極セット５に概ね相当する電極セット５を示している。但し、図２３ａの実施態様の相違は、図１９ａに示された２組の電極５ａ，５ｂ，５ｃ及び５ｄに加えて第３組の電極５ｅ，５ｆが設けられていることである。もちろん、電極セット５ａ，５ｂ，５ｃ，５ｄ，５ｅ及び５ｆを９０度だけ回転させて、図１９ｂに示された２組の電極に概ね相当するようにすることもできる。これらの電極セット構造の付加的な実施態様を示す付加的な図面は、簡潔にするためにここには含まれていない。
【０１６０】
図２３ｂは、本発明の別の実施態様を示しており、この実施態様も多くの付加的な実施態様に並べ替えられる。３組の電極５ａ，５ｂ；５ｃ，５ｄ；及び５ｅ，５ｆの間に、膜集成体５０ａ及び５０ｂが挿入されている。電極構造と、電極数と、分離を達成するために使用される正確な膜手段５０との組み合わせには、多くの実施態様が含まれることはもちろん明らかである。これらのうちのそれぞれは、本発明の教示を受けると、種々異なる生成物を産出することができる。このような生成物及び動作については、本明細書中の別の個所で詳細に論じる。
【０１６１】
図２４ａ〜２４ｅ；２５ａ〜２５ｅ；及び２６ａ〜２６ｅは、本発明に従って利用することができる種々様々な膜５０の位置を示す断面図である。これらの膜５０構造のそれぞれは、種々異なるナノ粒子／ナノ粒子／溶液混合物をもたらすことができる。種々の電極集成体と組み合わせて特定の膜を利用することの望ましさは、処理上の種々の利点を本発明に加える。この付加的な柔軟性は、新規のナノ粒子／ナノ粒子溶液混合物をもたらす。
【０１６２】
電極制御装置
例えば図２、３、１１、１２、１４、１６、１７及び１８に全体的に示された電極制御装置は、図２７及び図２８ａ〜２８ｌに詳細に示されている。具体的には、図２７は、本発明の制御装置２０の１実施態様を示す斜視図である。さらに、図２８ａ〜２８ｌは、制御装置２０の種々の実施態様を示す斜視図である。図２８ｂは、２つの電極５ａ／５ｂの代わりに２つの電極１ａ／１ｂが設けられていることを除けば、図２８ａに示されたものと同じ制御装置２０を示している。
【０１６３】
先ず、特に図２７、２８ａ及び２８ｂを参照する。これら３つの図のそれぞれにおいて、ベース部分２５が設けられており、前記ベース部分は上側部分２５’と下側部分２５’’とを有している。ベース部分２５は、例えば構造用プラスチック、樹脂、ポリウレタン、ポリプロピレン、ナイロン、テフロン（登録商標）、ポリビニルなどから形成された材料を含む好適な剛性プラスチック材料から成っている。２つの電極調節集成体の間に隔壁２７が設けられている。隔壁２７は、ベース部分２５を含む材料と同様の又は異なる材料から形成することができる。ベース部分２５の表面２５’に、２つのサーボ−ステッピングモータ２１ａ及び２１ｂが固定されている。ステッピングモータ２１ａ，２１ｂは、ステッピングモータ２１ａ／２１ｂの周方向運動が、モータと連通する電極１又は５を鉛直方向に昇降させるように、僅かに運動可能な（例えば３６０度を基準として、１度よりも僅かに小さく運動可能又は僅かに大きく運動可能な）いかなるステッピングモータであってもよい。これに関して、第１のホイール状の構成部分２３ａが、駆動モータ２１ａの出力軸２３１ａに結合された駆動輪であるので、駆動軸２３１ａが回転すると、駆動輪２３ａの周方向運動が形成される。さらに、追従輪２４ａが駆動輪２３ａに押しつけられるので、これらの間に摩擦接触が存在する。駆動輪２３ａ及び／又は追従輪２４ａは、電極１，５を収容するのを助けるためにその外側部分に切欠き又は溝を含んでいてよい。追従輪２４ａは、追従輪２４ａに取り付けられた部分２４１ａ及び２６１ａの間に配置されたばね２８５によって、駆動輪２３ａに押しつけられる。具体的には、ブロック２６１ａから延びる軸２６２ａの部分の周りにコイルばね２８５を配置することができる。ばねは、駆動輪２３ａと追従輪２４ａとの間に妥当な摩擦力を生じさせるのに十分な張力を有することにより、軸２３１ａが所定の量だけ回転すると、電極集成体５ａ，５ｂ，１ａ，１ｂなどがベース部分２５に対して鉛直方向に動くようになるべきである。駆動輪２３ａのこのような回転運動又は周方向運動の結果、図示の電極１，５を直接、鉛直方向に移動させる。駆動輪２３ａの少なくとも一部が、電気絶縁材料から形成されているべきであり、これに対して追従輪２４ａは、導電性材料又は電気絶縁材料から、しかし好ましくは電気絶縁材料から形成することができる。
【０１６４】
駆動モータ２１ａ／２１ｂは、小さく回転することができる（例えば１°／３６０°を僅かに下回るか又は１°／３６０°を僅かに上回る）ので、駆動軸２３１ａの小さな回転変化は、電極集成体の小さな鉛直方向の変化に変換される。好ましい駆動モータは、RMS Technologies製の駆動モータ、モデル1MC17-S04ステッピングモータを含む。これはＤＣ作動型駆動モータである。このステッピングモータ２１ａ／２１ｂはそれぞれRS-232接続部２２ａ／２２ｂを含む。この接続部は、ステッピングモータが、遠隔制御装置、例えばコンピュータ又はコントローラによって駆動されるのを可能にする。
【０１６５】
特に図２７、２８ａ及び２８ｂを参照すると、部分２７１，２７２及び２７３はトラフ部材３０に対するベース部分２５の高さを調節する、主に高さ調節部分である。部分２７１，２７２及び２７３は、ベース部分２５と同じ、類似の、又は異なる材料から形成することができる。部分２７４ａ／２７４ｂ及び２７５ａ／２７５ｂも、ベース部分２５と同じ、類似の、又は異なる材料から形成することができる。但しこれらの部分は、これらが電圧及び電流を電極集成体１ａ／１ｂ，５ａ／５ｂなどに供給することに関連する種々のワイヤ構成部材を収容する点で、電気絶縁部分であるべきである。
【０１６６】
図２８ａに具体的に示された電極集成体は、電極５ａ及び５ｂ（例えば、図３ｃに示された電極集成体に相当）を含む。しかしこの電極集成体は電極１だけ、電極１及び５、電極５及び１、又は電極５だけを含むこともできる。これに関しては、図２８ｂは、図２８ａに示された２つの電極５ａ／５ｂの代わりに２つの電極１ａ／１ｂが設けられている集成体を示している。図２８ｂに示された全ての他の要素は、図２８ａに示されたものと同様である。
【０１６７】
図２７、２８ａ及び２８ｂに示された制御装置２０のサイズに関して、寸法「Ｌ」及び「Ｗ」は、ステッピングモータ２１ａ／２１ｂのサイズ及びトラフ部材３０の幅を収容する任意の寸法であってよい。これに関して、図２７に示された寸法「Ｌ」は、この寸法「Ｌ」が少なくともトラフ部材３０の幅と同じ長さであるように、また好ましくは僅かに長く（例えば１０〜３０％）なるのに十分である必要がある。図２７に示された寸法「Ｗ」は、ステッピングモータ２１ａ／２１ｂを収容するのに十分に幅広であり、しかも、トラフ部材３０の長さに沿った長手方向スペースを不必要に遊ばせておくほどには幅広でないことが必要である。本発明の１つの好ましい実施態様の場合、寸法「Ｌ」は約７インチ（約１９ミリメートル）であり、寸法「Ｗ」は約４インチ（約１０．５ミリメートル）である。ベース部材２５の厚さ「Ｈ」は、ベース部材２５のために構造的、電気的及び機械的剛性を提供するのに十分な任意の厚さであり、約１／４インチ〜３／４インチ（約６ｍｍ〜１９ｍｍ）のオーダーであるべきである。これらの寸法はさほど重要ではないが、これらの寸法は、本発明の１つの好ましい実施態様の特定の構成部分の大まかなサイズを理解することを可能にする。
【０１６８】
さらに、図２７、２８ａ及び２８ｂに示された本発明の実施態様のそれぞれにおいて、ベース部材２５（及びこれに装着された構成部分）を、好適なカバー２９０（図２８ｄに初めて示される）によってカバーすることにより、電気的に絶縁し、またベース部材２５に取り付けられた構成部分の全てのための局所的な保護環境を形成することができる。このようなカバー２９０は、好適な安全性及び動作柔軟性を提供する任意の好適な材料から形成することができる。材料の例は、トラフ部材３０の他の部分及び／又は制御装置２０のために使用されるものと同様のプラスチックを含み、好ましくは透明である。
【０１６９】
図２８ｃは、例えば電極５を案内するために利用される電極ガイド集成体２８０を示す斜視図である。具体的には、ベース部分２５に上側部分２８１が取り付けられている。貫通孔／スロットの組み合わせ２８２ａ，２８２ｂ及び２８２ｃは全て、電極５を貫通案内するのに役立つ。具体的には、部分２８３は、トラフ部材３０内で流動する液体３に向かって、そしてこの液体３中に電極５の先端９’を導く。図２８ｃに示されたガイド２８０は、トラフ部材３０の他の部分及び／又はベース部材２５などを形成するために使用される材料と類似の、又は全く同じ材料から形成することができる。
【０１７０】
図２８ｄは、図２７及び２８に示されたものと同様の制御装置２０を示しているが、ここではまたカバー部材２９０を含んでいる。このカバー部材２９０は、ベース部分２５を形成するために使用されるものと同じタイプ材料から形成することができる。カバー部材２９０は、２つの貫通孔２９１及び２９２を有するものとして示されている。具体的には、これらの貫通孔は例えば、電極５の余剰部分と整列させることができる。これらの余剰部分は、例えば電極ワイヤのスプールに接続することができる（これらの図面に示されていない）。
【０１７１】
図２８ｅは、ベース部分２５に取り付けられたカバー部分２９０を、電極５ａ，５ｂが、カバー部分２９０のそれぞれ孔２９２，２９１を通って延びている状態で示している。
【０１７２】
図２８ｆは、カバー２９０を有する制御装置２０を示す、底部から見た斜視図である。具体的には、電極ガイド装置２８０は、これを電極５が貫通しているものとして示されている。より具体的には、この図２８ｆは、電極１が、図２８ｆの矢印によって示すような方向「Ｆ」に流れる流体３に最初に接触する配列を示している。
【０１７３】
図２８ｇは、図２８ｆに示されたものと同じ装置を、雰囲気制御装置３５が加えられた状態で示している。具体的には、雰囲気制御装置は、制御された雰囲気を電極１のために提供するものとして示されている。さらに、気体入口管２８６が設けられている。気体入口管は、雰囲気制御装置３５内に望ましい気体の流れを提供するので、電極１によって形成されたプラズマ４が、制御された雰囲気内で形成される。
【０１７４】
図２８ｈは、トラフ部材３０及び支持手段３４１の内部に配置された図２８ｇの集成体を示している。
【０１７５】
図２８ｉは、ここでは電極５がトラフ部材３０内部の矢印「Ｆ」の方向に流れる液体３に接触する最初の電極であることを除けば、図２８ｆと同様である。
【０１７６】
図２８ｊは、電極５が最初にトラフ部材３０内部の流動液体３に接触することを除けば、図２８ｇに相当する。
【０１７７】
図２８ｋは、他の図２８に示された装置の下側を示すより詳細な斜視図である。
【０１７８】
図２８ｌは、２つの電極１が設けられていることを除けば、図２８ｆ及び２８ｉに示されたものと同様の制御装置２０を示している。
【０１７９】
図２９は、本発明の別の好ましい実施態様を示しており、耐火材料２９はヒートシンク２８と組み合わされているので、本発明の実施態様に従って実施された過程中に発生した熱は、熱管理プログラムを必要とするのに十分な量の熱を生じさせる。これに関して、構成部材２９は、例えば酸化アルミニウムなどを含む好適な耐火成分から形成されている。耐火部材２９は、電極１及び／又は５との電気的な接続を可能にする横方向貫通孔２９１を有している。さらに、長手方向貫通孔２９２が耐火部材２９の長さに沿って存在しているので、電極集成体１／５がこれを貫通して延びることができる。ヒートシンク２８は耐火部材２９と熱的に連通しているので、電極集成体１及び／又は５から発生する熱は耐火部材２９内へ入り、ヒートシンク２８内へ入り、そしてフィン２８２並びにヒートシンク２８のベース部分２８１を通って排出される。フィン２８２及びベース部分２８１の正確な数、サイズ、形状及び位置は、例えば散逸される必要のある熱の量の関数である。さらに、顕著な量の熱が発生する場合、ファンのような冷却手段によって、フィン２８２を横切るように吹き付けを行うことができる。ヒートシンクは好ましくは熱伝導性金属、例えば銅、アルミニウムなどから形成される。
【０１８０】
図３０は、図２９のヒートシンクを、図２７に示された装置に加えられたものとして示す斜視図である。これに関して、電極５ａがベース部分２５に直接に接触しているのではなく、耐火部材２９が、電極１／５とベース部材２５との間の緩衝材として設けられている。
【０１８１】
図面に示されていないファン集成体を、周りのハウジングに取り付けることができる。このファン集成体は、冷却用空気が冷却フィン２８２を横切るように吹き付けるのを可能する。ファン集成体は、コンピュータ冷却ファンなどと同様のファンを含むことができる。好ましいファン集成体は、例えばDynatron DF124020BA、DCブラシレス、9000 RPM、約40mm x 40mm x 20mmのボールベアリング・ファンが良く働く。具体的には、このようなファンは、１分当たりほぼ１０立方フィートの空気流を有している。
【０１８２】
図３１は、図３０ａに示された制御装置２０の底部を示す概略図である。図３１において、１つの電極１ａは、第１耐火部分２９ａを通って延びるものとして示されており、そして１つの電極５ａは、第２耐火部分２９ｂを通って延びるものとして示されている。従って、本明細書中に明示的に開示された、また本明細書中で言及された電極集成体のそれぞれは、図２７〜３１に示された制御装置の好ましい実施態様との組み合わせで利用することができる。制御装置２０を作動させるためには、２つの大まかな過程が行われることが必要である。第１過程は、電極１及び／又は５を電気的に活性化する（例えば、好ましい電源１０から電力を印加する）ことを伴い、また、第２の大まかな過程の発生は、どれだけ多くの電力を電極に印加するかを割り出し、このような割り出した値に応じて電極１／５の高さを適切に調節する（例えば電極１／５の高さを手動及び／又は自動で調節する）ことを伴う。制御装置２０を利用する場合、好適な支持が、RS-232ポート２２ａ及び２２ｂを介してステッピングモータ２１に伝えられる。制御装置２０の構成部分、並びに電極活性方法の重要な実施態様については、本明細書中で後から論じる。
【０１８３】
電源
種々の電源が本発明とともに使用するのに適している。電源、例えばＡＣ源、ＤＣ源、種々の極性の整流ＡＣ源などを使用することができる。しかしながら本明細書中に開示された好ましい実施態様では、ＡＣ電源が直接に利用されるか、或いは、ＡＣ電源が、可変極性を有する特定のＤＣ源を形成するために整流されている。
【０１８４】
図３２ａは、変圧器６０に接続されたＡＣ電源６２を示している。加えて、例えば回路内の損失係数を調節できるように、キャパシタ６１が設けられている。変圧器６０の出力は、制御装置２０を介して電極１／５に接続される。本発明とともに使用するための好ましい変圧器は、容易に磁束を導くコア６０２内に交流磁束を確立するために、一次コイル６０１内に流れる交流電流を使用する変圧器である。
【０１８５】
二次コイル６０３が一次コイル６０１及びコア６０２の近くに位置していると、この磁束は二次コイル６０３を一次コイル６０１にリンクすることになる。二次コイル６０３のこのようなリンクは、二次端子を横切る電圧を誘導する。二次端子における電圧の大きさは、一次コイルの巻き数と二次コイルの巻き数との比に対して直接に関連する。一次コイル６０１よりも二次コイル６０３の巻き数が多いと、電圧が増大するのに対して、巻き数が少ないと電圧が減少する。
【０１８６】
本明細書中に開示された種々の実施態様において使用するための好ましい変圧器は、変圧器６０内の磁気分路の使用によって可能にされる、意図的に低い出力電圧調節力を有している。これらの変圧器６０はネオンサイン変圧器として知られる。このような形態は、電極１／５内への電流を制限する。出力付加電圧が大きく変化すると、変圧器６０は、比較的狭い範囲内に出力付加電圧を維持する。
【０１８７】
変圧器６０は、二次開回路電圧と、二次短絡回路電流とに関して格付けされる。開回路電圧（ＯＣＶ）は、電気的接続が存在しないときだけ、変圧器６０の出力端子に現れる。同様に、短絡が出力端子を横切って存在する場合にだけ、短絡回路電流が出力端子から引き出される（この場合、出力電圧がゼロに等しい）。しかしながら、負荷がこれらの同じ端子を横切って接続されているときに、変圧器６０の出力電圧はゼロと定格ＯＣＶとの間のいずれかの値でなければならない。事実、変圧器６０が適切に付加されると、電圧はおよそ定格ＯＣＶの半分になる。
【０１８８】
変圧器６０は、平衡中間点参照デザイン（Balanced Mid-Point Referenced Design）（例えば以前は平衡中間点接地としても知られていた）として知られている。これは中電圧から高電圧の格付けを有する変圧器、及びほとんどの６０ｍＡ変圧器において最も共通に見いだされる。これは、「中間帰線」システムにおいて許容され得る唯一のタイプの変圧器である。「平衡」変圧器６０は、１つの一次コイル６０１と、２つの二次コイル６０３とを有していて、それぞれの二次コイルが一次コイル６０１の各側に位置している（図３３ａの概略図に全体的に示されている）。この変圧器６０は様々な意味で、２つの変圧器のように機能することができる。不平衡の中間点参照型のコア及びコイルと同様に、各二次コイル６０３の一方の端部はコア６０２に取り付けられ、続いて変圧器容器に取り付けられ、また各二次コイル６０３の他方の端部は出力リード又は端子に取り付けられている。こうして、コネクタの存在なしに、無負荷時１５，０００ボルトのこのタイプの変圧器は、各二次端子から変圧器容器まで約７，５００ボルトとなるが、しかし２つの出力端子の間では約１５，０００ボルトとなる。
【０１８９】
ライン力率１（又は１００％）を処理する交流（ＡＣ）回路において、電圧及び電流はそれぞれゼロで始まり、頂点まで上昇し、ゼロまで降下し、負の頂点へ行き、そしてゼロまで戻る。これにより、典型的な正弦波の１サイクルが完結される。このサイクルは典型的な米国の適用では１秒当たり６０回生じる。こうして、このような電圧又は電流は、１秒当たり６０サイクルの特徴的な「周波数」（又は６０ヘルツ）の電力を有する。力率は、電流波形に対する電圧波形の位置に関連する。両波形が一緒にゼロを通過し、これらの頂点を一緒に通過する場合、これらの波形は同相であり、力率は１又は１００％である。図３３ｂに示す２つの波形「Ｖ」（電圧）及び「Ｃ」（電流）は互いに同相であり、力率１又は１００％であるのに対して、図３３ｃに示す２つの波形「Ｖ」（電圧）及び「Ｃ」（電流）は互いに異相であり、力率１又は約６０％であり、両波形は同時にゼロを通過することはない。波形は異相であり、これらの力率は１００％未満である。
【０１９０】
大抵のこのような変圧器６０の標準力率は主として、磁気分路６０４及び二次コイル６０３の効果に起因する。磁気分路６０４及び二次コイル６０３は、変圧器６０の回路の出力内にインダクタを加えることにより、電極１／５への電力を制限する。力率は、変圧器６０の一次コイル６０１を横切るように配置されたキャパシタ６１を使用することにより、より高い力率に増大させることができる。キャパシタ６１は、電圧波及び電流波をより同相にする。
【０１９１】
本発明において使用されるべき任意の変圧器６０の無負荷電圧、並びに変圧器の内部構造は重要である。本発明において使用するのに望ましい無負荷変圧器は、約９，０００ボルト、１０，０００ボルト、１２，０００ボルト及び１５，０００ボルトである変圧器を含む。しかし、これらの特定の無負荷ボルト変圧器の測定値は、付加的な実施態様として許容し得る電源の範囲を限定するものとして見るべきではない。本明細書中に開示された本発明の種々の実施態様と一緒に使用するための具体的な望ましい変圧器は、Franceformer製のCatalog No. 9060-P-Eである。これは一次側では120ボルト、60Hz、及び二次側では9,000ボルト、60mAで動作する。
【０１９２】
図３２ｂ及び３２ｃは本発明の別の実施態様を示している。電極集成体１／５内へ入力される変圧器６０の出力は、ダイオード集成体６３又は６３’によって整流されている。その結果、一般には、ＡＣ波はＤＣ波とほぼ同様になる。換言すれば、ほとんど平らなラインＤＣ出力が生じる（実際には僅かな１２０Ｈｚパルスを時々得ることができる）。この特定の集成体により、本発明の（例えば電極の配向に関して）２つの付加的な好ましい実施態様が達成される。これに関して、実質的に正の端子又は出力と、実質的に負の端子又は出力とが、ダイオード集成体６３から生成される。ダイオード集成体６３’によって反対の極性が達成される。このような正及び負の出力は、電極１及び／又は５のいずれかに入力することができる。従って、電極１は実質的に正又は実質的に負であってよく、且つ／又は、電極５は実質的に負及び／又は実質的に正であってよい。さらに、図３２ｂの集成体を利用するときには、図２９、３０及び３１に示された集成体が望ましい。これに関して、図３２ｂに示された配線図は、所与の一連の動作（例えば電力）条件下で例えば図３２ａに示されているものよりも多くの熱（熱出力）を発生させることができる。さらに、１つ又は２つ以上の整流ＡＣ電源は、例えば図２１〜２６に示された膜集成体と組み合わせると特に有用であり得る。
【０１９３】
図３４ａは、８つの別個の変圧器６０ａ〜６０ｈを示しており、変圧器のぞれぞれは、対応する制御装置２０ａ〜２０ｈにそれぞれ接続されている。この変圧器セット６０及び制御装置２０は、本明細書中の「例」の項で後から論じる１つの好ましい実施態様において利用される。
【０１９４】
図３４ｂは、８つの別個の変圧器６０ａ’〜６０ｈ’を示しており、変圧器のぞれぞれは、図３２ｂに示された整流変圧器配線図に相当する。この変圧器集成体も、一組の制御装置２０ａ〜２０ｈと連通しており、そして本発明の好ましい実施態様として使用することができる。
【０１９５】
図３４ｃは、８つの別個の変圧器６０ａ’’〜６０ｈ’’を示しており、変圧器のぞれぞれは、図３２ｃに示された整流変圧器配線図に相当する。この変圧器集成体も、一組の制御装置２０ａ〜２０ｈと連通しており、そして本発明の好ましい実施態様として使用することができる。
【０１９６】
従って、各変圧器集成体６０ａ〜６０ｈ（及び／又は６０ａ’〜６０ｈ’；及び／又は６０ａ’’〜６０ｈ’’）は、同じ変圧器であってよく、又は異なる変圧器（並び異なる極性）の組み合わせであってもよい。変圧器の選択肢、力率、キャパシタ６１、極性、電極のデザイン、電極の位置、電極の組成、トラフ部材３０の断面形状、局所的又は全体的な電極組成、雰囲気、局所的又は全体的な液体３の流量、液体３の局所的成分、トラフ部材３０内の種々の場に局所的に曝露される液体３の体積、近隣（上流側及び下流側の両方）の電極セット、局所的な場の濃度、任意の膜５０の使用及び／又は位置及び／又は組成、などは全て、処理条件、並びに液体３中で産出された成分の組成及び／又は体積、本明細書中に開示された種々の実施態様により形成されるナノ粒子及び／又はナノ粒子／溶液に影響を与える。従って、数多くの実施態様を、本明細書中に提供した詳細な開示内容に従って実施することができる。
【０１９７】
電極高さ制御／自動制御装置
本発明の好ましい実施態様は、種々の図面に示された自動制御装置２０を利用する。例えば図２７〜３１に示されたステッピングモータ２１ａ及び２１ｂは、図３５、３６ａ、３６ｂ及び３６ｃのそれぞれに示された電気回路によって制御される。具体的には、図３５の電気回路は電圧監視回路である。具体的には、変圧器６０内の二次コイル６０３の出力脚部のそれぞれから出力された電圧が、点「Ｐ−Ｑ」及び点「Ｐ’−Ｑ’」にわたって監視される。具体的には、「ＲL」によって示された抵抗器は、マルチメータ測定装置（図示せず）の内部抵抗に相当する。点「Ｐ−Ｑ」及び「Ｐ’−Ｑ’」の間で測定された出力電圧は典型的には、本明細書中で後から「例」の項で示すいくつかの好ましい実施態様の場合、約２００ボルト〜約４，５００ボルトである。しかしこれよりも高い、またこれよりも低い電圧も、本明細書中に開示された実施態様の多くと連携することができる。本明細書中の後述の例において、トラフ部材３０に沿った各位置における各電極セット１及び／又は５毎に、望ましいターゲット電圧が割り出されている。このような望ましいターゲット電圧は、例えば図３６ａ、３６ｂ及び３６ｃに示された回路制御を利用することによって、実際の印加電圧として達成される。これら図３６にはVelleman K8056回路集成体（マイクロチップPIC16F630-I/Pを有する）によって制御されたリレーセットを示している。具体的には、「Ｐ−Ｑ」又は「Ｐ’−Ｑ’」の位置を横切って、電圧が検出され、そしてこのような電極は、所定の基準電圧と比較される（実際にターゲット電圧範囲と比較）。例えば点「Ｐ−Ｑ」を横切る測定電圧が、所定の電圧ターゲット範囲の最高値に接近しつつあると、例えば、Velleman K8056回路集成体により、サーボモータ２１（図２８ａを具体的に参照）が、電極５ａを流体３に向かって且つ／又は流体３中に降下させるように、時計回り方向に回転させられる。これとは対照的に、点「Ｐ−Ｑ」又は「Ｐ’−Ｑ’」のいずれかを横切る測定電圧がターゲット電圧の最低値に接近しつつあると、例えばここでもまた図２８ａを参照して、サーボモータ２１ａにより、駆動輪２３ａが反時計回りに回転させられ、これにより、流体３に対して電極５ａを上昇させる。
【０１９８】
本発明の各実施態様におけるそれぞれの電極セットは、確立されたターゲット電圧範囲を有している。許容範囲のサイズ又は規模は、ターゲット電圧の約１％と、約１０％〜１５％との間の量だけ変換する。本発明のいくつかの実施態様は、電圧の変化に対してより鋭敏であり、これらの実施態様の許容電圧範囲は典型的にはより狭くなり、これに対して本発明の他の実施態様は、電圧に対してさほど鋭敏ではなく、これらの実施態様の許容電圧範囲は典型的にはより広くなる。従って、図３５に示された回路図を利用することにより、変圧器６０の二次コイル６０３から出力された実電圧が、「ＲL」で（端子「Ｐ−Ｑ」又は「Ｐ’−Ｑ’」を横切って）測定され、そして次いで所定の電圧範囲と比較される。サーボモータ２１は、必要に応じて、時計回り方向又は反時計回り方向で所定の量だけ回転することにより応答する。さらに、具体的に図３６を参照して、各電極の電極を割り出し、（必要であれば）高さを調節し、次いで次の電極に進むことにより、問い合わせ手順が順次生じることに注目すべきである。換言すれば、各変圧器６０は、図３５に示された形式で電気的に接続される。各変圧器６０及び関連する測定点「Ｐ−Ｑ」又は「Ｐ’−Ｑ’」が、個々のリレーに接続されている。例えば、点「Ｐ−Ｑ」は、図３６ａのリレー５０１に相当し、点「Ｐ’−Ｑ’」は、図３６ａのリレー５０２に相当する。従って、２つのリレーが各変圧器６０に対して必要となる。各リレー５０１，５０２などは順次、二次コイル６０３の第１脚部からの第１出力電圧を問い合わせ、次いで二次コイル６０３の第２脚部からの第２出力電圧を問い合わせ、そしてこのような問い合わせは、第２変圧器６０ｂの二次コイル６０３の第１脚部からの第１出力電圧に対して、次いで二次コイル６０３の第２脚部に対して、以下同様に続けられる。
【０１９９】
論じられた問い合わせ電極調節技術のためのコンピュータ又は論理制御は、例えば、好ましい実施態様の場合、ＰＣ内で利用される標準的なビジュアル・ベーシック・プログラミング・ステップを含む任意のコンベンショナルのプログラム又はコントローラによって達成される。このようなプログラミング・ステップは、問い合わせ、読み取り、比較、及び適切な作動符号の送信を行うことにより、電圧を増減する（例えば液体３の表面２に対して電極を昇降させる）ことを含む。このような技術は、当業者には明らかなはずである。
【実施例】
【０２００】
例１〜１２
下記例は、本発明の或る実施態様を説明するのに役立つが、しかし開示内容の範囲を限定するものとして解釈するべきではない。
【０２０１】
一般に、１２の例のそれぞれは、図１６ｂ及び１６ｃに大まかに示された装置と関連する本発明の或る実施態様を利用する。処理及び装置の具体的な差異は、各例において明らかになる。トラフ部材３０はプラキシガラスから形成した。プラキシガラスの全ての厚さは約３ｍｍ〜４ｍｍ（約１／８インチ）であった。支持構造３４も、約１／４インチ厚（約６ｍｍ〜７ｍｍ厚）であるプラキシガラスから形成した。トラフ部材３０の断面形状は、図１０ｂに示された形状に相当した（すなわち切頂「Ｖ」）。切頂「Ｖ」のベース部分「Ｒ」は約０．５インチ（約１ｃｍ）であり、そして各サイド部分「Ｓ」，「Ｓ’」は約１．５インチ（約３．７５ｃｍ）であった。Ｖ字形トラフ部材３０のサイド部分「Ｓ」，「Ｓ’」を離隔する距離「Ｍ」は約（２＋1/4）インチ〜（２＋5/16）インチ（約５．９ｃｍ）（内側から内側まで測定）であった。やはり測定された各部分の厚さは約１／８インチ（約３ｃｍ）厚であった。Ｖ字形トラフ部材３０の長手方向長さ「ＬT」（図１１ａ参照）は、点３１から点３２まで、約６フィート（約２メートル）長であった。トラフ部材３０の端部３１から端部３２までの鉛直方向高さの差は、その６フィートの全長（約２メートル）にわたって、約１／４インチ〜１／２インチ（約６〜１２．７ｍｍ）（すなわち１°未満）であった。
【０２０２】
例１〜１２の全てにおいて液体３として、精製水（本明細書中で後から論じる）を使用した。Ｖ字形トラフ部材３０内の水３の深さ「ｄ」（図１０ｂ参照）は、トラフ部材３０に沿った種々の点において、約７／１６インチ〜約１／２インチ（約１１ｍｍ〜約１３ｍｍ）であった。深さ「ｄ」は、ダム８０（図１５ａ及び１５ｂに示す）を使用することによって部分的に制御した。具体的に、ダム８０は端部３２の近くに設けられ、約７／１６インチ〜約１／２インチ（約１１ｍｍ〜約１３ｍｍ）の深さになるように深さ「ｄ」（図１０ｂに示す）を形成するのを助けた。ダム８０の高さ「ｊ」は約１／４インチ（約６ｍｍ）であり、また長手方向長さ「ｋ」は約１／２インチ（約１３ｍｍ）であった。幅（図示せず）は、トラフ部材３０の底部寸法「Ｒ」を完全に横切る。従って、動作中のＶ字形トラフ部材３０内の水３の総体積は、約２６立方インチ（約４３０ｍｌ）であった。
【０２０３】
トラフ部材３０内の水３の流量は、どの例を実施するかに応じて、約１５０〜２００ｍｌ／分であった。具体的には、例えば、例１〜３及び５において形成される銀系及び銅系ナノ粒子／溶液原材料は全て、流量約２００ｍｌ／分を利用し、そして例４において形成される亜鉛系ナノ粒子／溶液原材料は、流量約１５０ｍｌ／分を利用した。水３のこのような流れは、定格0.1馬力、10-600rpmのMasterflex（登録商標） L/Sポンプ駆動装置４０を利用することにより得られた。Masterflex（登録商標）ポンプ４０のモデル番号は77300-40であった。ポンプ駆動装置は、やはりEasy-Load Model No. 7518-10として知られている、これもMasterflex（登録商標）製のポンプヘッドを有した。一般的に言うと、ポンプ４０のためのヘッドは蠕動ヘッドとして知られている。ポンプ４０及びヘッドは、Masterflex（登録商標） LS Digital Modular Driveによって制御された。Digital Modular Driveのモデル番号は77300-80である。Digital Modular Driveの正確な設定値は例えば、例４に対しては１分間当たり１５０ミリリットルであり、そして他の例１〜３及び５に対しては２００ｍｌ／分であった。蠕動ヘッド内に、直径１／４インチ（すなわちサイズ06419-25)のTygon（登録商標）管を入れた。管は、Masterflex（登録商標）のSaint Gobainによって製造された。管の一方の端部をトラフ部材３０の第１の端部３１に、その中に配置された流れ拡散手段の傍らで供給した。流れ拡散手段は、トラフ部材３０内に導入された水中３の攪乱及び気泡、並びに、蠕動ポンプ４０によって発生したパルス状態を最小限にする傾向があった。これに関して、小型リザーバが拡散手段として役立ち、これをトラフ部材３０の端部３１の鉛直方向上方の点に設けたので、リザーバがオーバーフローしたときに、比較的定常的な水３の流れが、Ｖ字形トラフ部材３０の端部３１内に流入した。
【０２０４】
加えて、制御装置２０のプラスチック部分も、約１／８インチ厚（約３ｍｍ）のプラキシガラスから形成した。図２７を参照すると、制御装置２０は、約４インチ（約１０ｃｍ）の寸法「ｗ」と、約７．５インチ（約１９ｃｍ）の寸法「Ｌ」とを有した。ベース部分２５の厚さは約１／４インチ（約０．５ｃｍ）であった。図２７に示された他の構成部分の全てを、実寸に極めて近く示す。表面２５’及び２５’’に取り付けられた全ての個々の構成部分も、プラキシガラスから形成し、これらを所定のサイズにカットし、所定の位置に接着した。
【０２０５】
図１６ｂ及び１６ｃに関して、８つの別個の電極セット（セット１、セット２、セット３〜セット８）を、８つの別個の制御装置２０に取り付けた。表３〜７のそれぞれは、８つの電極セットのそれぞれを「セット＃」と呼ぶ。さらに、いかなるセット＃の内部でも、図３ａ及び３ｃに示された電極集成体と同様の電極１及び５を利用した。８つの電極セットの各電極を、特定のターゲット電圧範囲内で動作するように設定した。実際のターゲット電圧を表３〜７のそれぞれに挙げる。各電極セットの中心線と隣接電極セットとの距離「ｃ−ｃ」（図１４参照）も表す。さらに、任意の電極１と関連する距離「ｘ」も報告する。いずれの電極５に関しても距離「ｘ」は報告しない。他の関連距離は、表３〜７のそれぞれに報告する。
【０２０６】
利用される各電極１のサイズ及び形状は、ほぼ同じであった。各電極１の形状は、寸法約１４ｍｍ  ｘ  ２３ｍｍ  ｘ  ２７ｍｍの直角三角形であった。各電極１の厚さは約１ｍｍであった。各三角形電極１はまた、ベース部分に貫通孔を有した。この貫通孔は、２３ｍｍの辺と２７ｍｍの辺とによって形成された点が水３の表面２を指し示すのを可能にする。各電極１を含む材料は、明細書中で特に断りのない場合には、純度９９．９５％（すなわち３Ｎ５）であった。各電極１のために銀を使用する場合には、各電極の重量は約２グラムであった。各電極１のために亜鉛を使用する場合には、各電極の重量は約１．１グラムであった。各電極１のために銅を使用する場合には、各電極の重量は約１．５グラムであった。
【０２０７】
各三角形電極１を変圧器６０に取り付けるために使用されるワイヤーは、例１〜４に対しては直径約１．０１６ｍｍの純度９９．９５％（３Ｎ５）銀線であった。例５の各三角形電極１を取り付けるために使用されるワイヤーは、直径約１．０１６ｍｍの純度９９．９５％（３Ｎ５）銅線であった。従って、小さなワイヤループを各電極１の孔に通し、これに電気的に接続した。
【０２０８】
各電極５のために使用されるワイヤーは、それぞれ直径が約１．０１６ｍｍの純度９９．９５％（３Ｎ５）ワイヤーを含んだ。電極５の組成は例１〜３では銀であり、例４では亜鉛であり、そして例５では銅であった。電極１／５のための全ての材料は、1050 Benson WAy, Ashland, Oregon 97520在、ESPIから入手した。
【０２０９】
トラフ部材３０内へ流入させるものとして例１〜１２に使用される水３を、逆浸透法及び脱イオン化法によって製造した。本質的には、逆浸透（ＲＯ）は、溶解された種及び／又は懸濁物質を地下水から分離する圧力駆動膜分離法である。これは、自然の浸透流（膜の両側の物質の濃度を平衡させようとする）を逆転させるために圧力が加えられるので「逆」浸透と呼ばれる。加えられた圧力は水が強制的に膜を通るようにし、膜の一方の側に汚染物質を残し、そして他方の側に精製水を残す。逆浸透膜は、互いに結合されてプラスチック管の周りに螺旋形態を成して巻き付けられたいくつかの薄層膜又は薄板膜を利用した（これは薄膜複合体又はＴＦＣ膜としても知られている）。溶解された種の除去に加えて、ＲＯ膜はまた、水中に存在し得る微生物を含む懸濁物質を分離する。ＲＯ処理後、混床脱イオン化フィルタを使用した。両処理後の総溶解溶媒量（「ＴＤＳ」）は、Accumet（登録商標） AR20 pH／導電率メータによって測定して、約０．２ｐｐｍであった。
【０２１０】
例１
銀系ナノ粒子／ナノ粒子溶液ＡＴ０５９及びＡＴ０３８の製造
この例は、純度９９．９５％の銀電極１及び５を利用する。表３は、電極のデザイン、位置、及び動作電圧の部分を要約する。表３から明らかなように、ターゲット電圧は最低約５５０ボルト及び最高約２，１００ボルトに設定した。
【０２１１】
さらに、８つの電極セット、セット＃１〜セット＃８のそれぞれにおける各電極毎の実電圧及びターゲット電圧の棒グラフを図３７ａに示す。さらに、記録された実電圧並びに時刻の関数を、図３７ｂ〜３７ｉのそれぞれに示す。従って、表３及び図３７ａ〜３７ｉに含まれるデータによって、各電極セットにおける電極デザイン、並びに、製造過程期間にわたる各電極に印加されるターゲット電圧及び実電圧について完全に理解することができる。
【０２１２】
【表３】
2014097496.tif 000006
【０２１３】
例２
銀系ナノ粒子／ナノ粒子溶液ＡＴ０６０及びＡＴ０３６の製造
表４は、電極セットのデザイン、電圧、距離などに関連する表３に示されたデータと同様の情報を含む。表４から明らかなように、セット＃１及びセット＃２の電極構造は、表３及び例１のセット＃１〜８と同じであった。さらに、更なる電極セット３〜８は全て同じ形式で構成されており、この例のセット＃１及びセット＃２とは異なる電極構造に相当した。この電極構造は、図８ｃに示された構造に相当する。
【０２１４】
【表４】
2014097496.tif 000007
【０２１５】
図３８ａは、８つの電極セット（すなわちセット＃１〜セット＃８）のそれぞれにおける各電極毎のターゲット電圧及び実際の平均電圧の棒グラフを示す。
【０２１６】
図３８ｂ〜３８ｉは、８つの電極セットのそれぞれの電極に印加された実電圧を示す。
例２に従って産出された生成物を「ＡＴ０６０」と呼ぶ。
【０２１７】
例３
銀系ナノ粒子／ナノ粒子溶液ＡＴ０３１の製造
表５は、「ＡＴ０３１」とここでは呼ばれる、この例で形成される生成物を形成するために利用される８つの電極セット（すなわちセット＃１〜セット＃８）のそれぞれにおける１６個の電極のそれぞれに対する電極デザイン及びターゲット電圧を示す。
【０２１８】
【表５】
2014097496.tif 000008
【０２１９】
図３９ａは、８つの電極セットのそれぞれにおける１６個の電極のそれぞれに対するターゲット電圧及び実際の平均電圧の棒グラフを示す。
【０２２０】
図３９ｂ〜３９ｉは、８つの電極セットのそれぞれにおける１６個の電極のそれぞれに印加された実電圧を、時間の関数として示す。
【０２２１】
なお、電極セット＃１はこの例３において、例１及び２のそれぞれにおけるものと同じであった（すなわち１／５の電極構造）。他の電極セットのそれぞれに対しては、別の１／５構造を利用した。つまり、セット＃２及びセット＃５〜８を全て、５／５構造に基づく形で構成した。
【０２２２】
例４
亜鉛系ナノ粒子／ナノ粒子溶液ＢＴ００６及びＢＴ００４の製造
ここでは「ＢＴ００６」と称する材料を、例４の開示内容に従って製造した。例１〜３と同様に、この表６は８つの電極セット（すなわちセット＃１〜セット＃８）のそれぞれにおける正確な電極組み合わせを開示している。同様に、ターゲット電圧及び実電圧、距離なども報告する。なお、電極５のためにだけ純度９９．９５％亜鉛を使用したことを除けば、例４の電極セット集成体は、例１に使用された電極セット集成体と類似している。電極１の三角形部分も、同純度の亜鉛を含んだが、三角形電極との電気的接続部は全て、本明細書中で上述した純度９９．９５％銀線であった。また、反応物３の流量は、全ての他の例におけるよりもこの例において低かった。
【０２２３】
【表６】
2014097496.tif 000009
【０２２４】
図４０ａは、８つの電極セットにおける１６個の電極のそれぞれのために利用されるターゲット電圧及び実際の印加平均電圧の棒グラフを示す。また、図４０ｂ〜４０ｉは、１６個の電極のそれぞれに印加された実電圧を、時間の関数として示す。
【０２２５】
例５
銅系ナノ粒子／ナノ粒子溶液ＣＴ００６の製造
例５に開示された手順に従って、「ＣＴ００６」と称する銅系ナノ粒子溶液を形成した。これに関して、表７は、８つの電極セット内の１６個の電極のそれぞれと関連する関連動作パラメータを示す。
【０２２６】
【表７】
2014097496.tif 000010
【０２２７】
さらに図４１ａは、８つの電極セットにおける１６個の電極のそれぞれに印加された平均実電圧のそれぞれの棒グラフを示す。なお、電極構造は例１〜４のそれぞれにおける電極構造とは僅かに異なった。具体的には、電極セット＃１及び３は、１／５構造を有しており、そして全ての他のセットは５／５構造を有した。
【０２２８】
図４１ｂ〜４１ｉは、１６個の電極のそれぞれに印加された実電圧を、時間の関数として示す。上述のように、電極１及び５のそれぞれのために利用されるワイヤは、直径約０．０４インチ（１．０１６ｍｍ）及び純度９９．９５％のワイヤを含んだ。
【０２２９】
例１〜５の材料及びこれらの混合物の特徴付け
例１〜３においてそれぞれ形成された銀系ナノ粒子及びナノ粒子／溶液のそれぞれ（ＡＴ−０５９／ＡＴ−０３８）、（ＡＴ０６０／ＡＴ０３６）、及び（ＡＴ０３１）；並びに、例４において形成された亜鉛系ナノ粒子及びナノ粒子／溶液の（ＢＴ−００４）；及び例５において形成された銅系ナノ粒子及びナノ粒子／溶液の（ＣＴ−００６）を、種々様々な技術によって物理的に特徴付けした。具体的には、本明細書中の表８及び９は、例１〜５に従って形成された５種の「原材料」、並びに、これらの原材料から形成された１０種の溶液又は混合物のそれぞれを示しており、溶液のそれぞれを「ＧＲ１〜ＧＲ１０」又は「ＧＲ１Ｂ〜ＧＢ１０Ｂ」と称する。「原材料」のそれぞれの体積量を、製造された１０種の溶液のそれぞれに関して報告する。さらに、例１〜５の原材料のそれぞれ、並びにこれらから誘導された１０種のＧＲ１〜ＧＲ１０のそれぞれにおいて、原子吸収分光法（「ＡＡＳ」）を実施した。こうしてこの中の銀成分、亜鉛成分、及び／又は銅成分の量を割り出した。原子吸収分光法（ＡＡＳ）の結果を、金属系成分によって報告する。
【０２３０】
【表８】
2014097496.tif 000011
【０２３１】
ＡＡＳ値はPerkin Elmer AAnalyst 300 Spectrometerシステムから得た。例１〜５及び溶液ＧＲ１〜ＧＲ１０からの試料は、結果の精度を改善するために、少量の硝酸及び塩酸（通常は最終体積の２％）を添加し、次いで特定の元素の望ましい特徴的な濃度範囲又は線形範囲まで希釈することにより調製した。「望ましい」範囲は、製品開発中に確立された生産パラメータに基づく概算推定値である。純金属分析のために、既知量の原材料を既知量の酸中に消化し、希釈することにより、吸収信号強度が許容限度内、より具体的には、線形範囲としてよりよく知られている、最も正確な検出器設定値範囲にあるようになることを保証する。
【０２３２】
Perkin Elmer AAnalyst 300システムの具体的に作業手順は、以下の通りである：
Ｉ）原理
Perkin Elmer AAnalyst 300システムは、Universal GemTipネブライザと、原子吸光分析装置とを備えた高効率バーナーシステムから成っている。バーナーシステムは、化合物を解離させるのに必要な熱エネルギーを提供し、原子吸収が発生するように、遊離する被分析原子を提供する。この分析装置は、主要光源としての中空陰極ランプ、モノクロメーター、及び検出器を使用して、特定波長で吸収される光の量を測定する。重水素アーク灯が、原子雲中の非原子種によって引き起こされるバックグラウンド吸収を補正する。
【０２３３】
ＩＩ）機器のセットアップ
Ａ）  廃棄物容器を印まで空にする。脱イオン水を排液管に添加することにより、水が排液システム・フロート集成体内に存在することを確認する。
Ｂ）  被分析物を分析するための適宜の中空陰極ランプがタレット内に適正に設けられていることを確認する。
Ｃ）  AAnalyst 300及びコンピュータの電源をオンにする。
Ｅ）  AAnalyst 300をほぼ３分間ウォームアップした後、AAWin Analystソフトウェアを開始する。
Ｆ）  分析方法を呼び戻す。
Ｇ）  正しいデフォルト条件が入力されていることを確認する。
Ｈ）  中空陰極ランプを調整する。
１）適正なピーク及びエネルギーレベルが特定のランプに対して確立されていることをチェックする。
２）ランプ設備の出力及び周波数を調節することにより、最大エネルギーを得る。
Ｉ）  パラメータ入力、オプション、保存及び＃の方法変更を保存する。
Ｊ）  バーナー高さを調節する。
１）バーナーの背後に白い紙を置くことにより、光ビームの位置を確認する。
２）鉛直方向調節ノブによって、バーナーヘッドを光ビームの下方に降下させる。
３）Cont（Continuous）を押すことにより、吸光値を表示する。
４）A/Zを押してオートゼロにする。
５）ディスプレイが僅かな吸光度（０．００２）を示すまで、鉛直方向調節ノブによってバーナーヘッドを上昇させる。ディスプレイがゼロに戻るまで、ヘッドをゆっくりと降下させる。ヘッドをさらに４分の１回転分だけ降下させることにより、調節を完了させる。
Ｋ）  点火する。
１）有毒ガス排出フードのスイッチをオンする。
２）空気圧縮機弁を開く。圧力を５０〜６５ｐｓｉに設定する。
３）アセチレンガス・シリンダ弁を開く。出力圧力を１２〜１４ｐｓｉを設定する。圧力は８５ｐｓｉまで低下したら、アセトンの存在から生じる弁及び管の損傷を防止するため、シリンダを交換する。
４）Gases On/Offを押す。オキシダント流を４単位に調節する。
５）Gases On/Offを押す。アセチレン・ガス流を２単位に調節する。
６）Flame On/Offを押すことにより、火炎をオンにする。
注意：紫外線用保護眼鏡を着用せずにランプ又は火炎を直接見てはならない。
Ｌ）  バーナーヘッドを通して脱イオン水を数分間吸引する。
Ｍ）  バーナーの位置及びネブライザを調節する。
１）ほぼ０．２の吸光度単位の信号を有する標準を吸引する。
２）水平方向及び回転方向の調節ノブを回転させることにより、バーナー位置の最大吸光度を得る。
３）ネブライザの固定リングを、時計回り方向に回すことにより緩める。ネブライザ調節ノブをゆっくりと回すことにより、最大吸光度を得る。ノブを固定リングで所定の位置にロックする。
注意：ガスが吸収しない波長にあるマグネシウムのような元素が、バーナー及びネブライザを調節するのに最適である。
Ｎ）  ３０分間、火炎及びランプをウォームアップさせておく。
【０２３４】
ＩＩＩ）較正手順
Ａ）  試料濃度を一括りにした標準で較正する。
Ｂ）  WinAA Analystソフトウェアが、試料の測定値に関する較正曲線を自動的に形成する。しかし、適正な吸収が各較正標準で確立されることを確認するようにチェックしなければならない。
Ｃ）  デフォルト条件における標準濃度値を入力することにより、AAnalyst 300標準曲線を形成する。
１）有効数字を使用してＳＴＤ１の最低標準の濃度を入力する。
２）較正曲線の他の標準の濃度を昇順で、そして再勾配標準の濃度を入力する。
３）各標準の前にブランクでオートゼロにする。
４）標準１を吸引し、0 Calibrateを押すことにより、前の曲線をクリアする。番号順に標準を吸引する。
標準の番号を押し、そして標準毎に較正する。
５）Printを押すことにより、グラフ及び相関係数をプリントする。
６）必要であれば、１つ又は全ての標準を再実行する。標準３を再実行するために、標準を吸引し、そして3 Calibrateを押す。
７）指定の再勾配標準を吸引した後、Reslopeを押すことにより標準曲線を再勾配付けする。
Ｄ）  相関係数は０．９９０以上であるべきである。
Ｅ）  ２０種の試料毎に標準及び対照を用いて、ドリフト、正確さ、及び精度に関して較正曲線をチェックする。
【０２３５】
ＩＶ）分析手順
Ａ）  各標準、対照及び試料の前にブランクでオートゼロにする。
Ｂ）  試料を吸収し、Read Sampleを押す。ソフトウェアは３つの吸光度測定値を求め、次いでこれらの測定値を平均する。ソフトウェアがアイドル状態を告げるまで待つ。標準偏差が試料結果の１０％を上回る場合には、試料を再実行する。
【０２３６】
Ｖ）機器のシャットダウン
Ａ）  ５％塩酸（ＨＣｌ）を５分間にわたって吸引し、脱イオン水を１０分間にわたって吸引することによりバーナーヘッドを清浄化する。水から毛管を取り外す。
Ｂ）  Flame On/Offを押すことにより、火炎をオフにする。
Ｃ）  空気圧縮機弁を閉じる。
Ｄ）  アセチレン・シリンダ弁を閉じる。
Ｅ）  Bleed Gasesを押すことにより、ラインからアセチレンガスを抜き取る。シリンダ圧力はゼロまで低下することになる。
Ｆ）  ソフトウェアを終了し、AAnalyst 300の電源をオフにし、そしてコンピュータをシャットダウンする。
【０２３７】
さらに、表８の最後の４つの欄は、「金属ＰＰＭ（イオン性）」；及びＯ2（ｐｐｍ）；ＮＯ3（ｐｐｍ）；及び「ｐＨ」を開示する。これらの数値集合のそれぞれは、イオン選択電極測定技術を利用して割り出した。具体的には、ＮＩＣＯイオン分析装置を利用した。表８（及び表９）のこれらの３つの欄のそれぞれにおけるデータを収集するための正確な安定化時間及び実際試験手順について、すぐ下で説明する。
【０２３８】
定義：
安定化時間  −  電極を新しい溶液中に浸漬した後で、ｍＶ測定値は通常、最初に数ｍＶだけ急速に低下し、次いで、ＩＳＥ膜が平衡して基準電極液界電位が安定するのに伴って、徐々に、そしてますますゆっくりと安定な測定値まで低下する。このような平衡は、完全に安定な値に達するのに最大３分又は４分かかることがある。測定値は短時間の安定後再び上昇し始めることがあり、この上昇が大規模に進行する前に、最低点で記録するのを保証することが重要である。この研究において、完全に安定な測定値を待つ必要はないが、しかし予め設定された時間後に測定値を求めることにより、申し分ない結果が得られることが判った。最適な性能を得るために、この遅延時間は、測定値が曲線のより浅い部分にあることを保証するために、少なくとも２分間であるべきであることが判った。
【０２３９】
手順：
１．  使用するべき各電極毎に２つの１５０ｍＬビーカーを入手する（典型的４つ）。一方のビーカーは溶液自体のために使用し、他方のビーカーには、各溶液を試験した後で各電極の膜を均等化するために、脱イオン（ＤＩ）Ｈ2Ｏを満たすことになる。
２．  使用される各電極毎にほぼ５０ｍＬの当該溶液及びそのそれぞれのビーカーを入手する（一般には、Ａｇ、ＮＯ３、ＮＯ２、及び溶液のＰＨの試験のために約２００ｍＬ）。
３．  まだ所定の位置にない場合には、それぞれの所期イオン選択電極及びそのその基準電極を好適な容器内に配置して挿入する。両イオン選択電極が同じ基準電極の使用を必要としない限り、１容器当たり唯１つの電極及びその基準電極を使用する。各電極及びその対応基準電極からキャップを取り外し、これらの電極を電極ホルダ内に入れる。
４．  NICO Ion Analyserと連携するコンピュータ及びこれを操作するためのソフトウェアをオンにする。
５．  装置を操作するために8-Channel Ion Electrode Analyser Softwareを開く。
６．  我々の目的にとって最も正確な標準を使用して、各イオン選択電極を較正しなければならない。この較正は機械がオンにされる度に、行わなくてはならず、また最も正確な結果を得るために、それぞれ個々の試料を使用する前に較正するべきである。各イオン選択電極に対して、目下のところ、１ｐｐｍ、１０ｐｐｍ、及び１００ｐｐｍが我々の溶液及びこれらの相対測定値のための最良の較正をもたらす。「Calibrate」ボタンをソフトウェア・インターフェース上に置き、指示に従う。
７．  各ビーカーを、ＤＩ  Ｈ２Ｏで濯ぎ、そしてそれぞれの使用前に、糸くずの出ない布で拭き取る。
８．  各「溶液」ビーカーに、ほぼ５０ｍＬの当該溶液を満たし、そして「イコライザー」ビーカーにほぼ１００ｍＬのＤＩ  Ｈ２Ｏを満たす。
９．  「イコライザー」ビーカー内にほぼ１５秒間にわたって各電極を入れることにより、各新しい溶液を試験する前には膜が同じ状態であり均等であることを保証する。
１０．  ＤＩ  Ｈ２Ｏから電極を取り外し、そして糸くずの出ない布地でそっと拭う。
１１．  各電極及び基準電極が少なくとも２ｃｍ浸漬するように、溶液中に電極を入れる。均質性を保証し、そして電極と溶液との間に存在し得るいかなる気泡をもよく除去するように、電極とビーカーを静かに旋回させる。
１２．  特定の溶液のための安定化時間に応じて、２〜５分間にわたって電極を乱さずにそのままにしておく。
１３．  操作者が測定値に満足し、これが安定化時間中に生じるときには、ソフトウェアを使用してこれを記録しなければならない。「Record」ボタンを叩くと、この特定のデータセットのファイル名を付けるように促される。また、数値を外部のスプレッドシートなどに移すために使用することができる実験室ブックにこれらの測定値を記録する。
１４．  電極を溶液から取り出し、溶液を廃棄する。
１５．  各電極をＤＩ  Ｈ２Ｏ流で濯ぐ。
１６．  各１５０ｍＬビーカーをＤＩ  Ｈ２Ｏで濯ぐ。
１７．  電極及びビーカーの両方を、糸くずのでない布地で乾かす。
１８．  各電極をそのホルダに戻し、また行うべき更なる試験がない場合にはキャップを元に戻す。
【０２４０】
本明細書中にやはり含まれる表９は、ＡＴ−０３１を唯一の例外として、表８に示された（そして例１〜５において論じられた）データと同様のデータを含んでいる。表９のデータは、このような手順がかなり後の時点（数ヶ月の間を置く）で行われたことを除けば、例１〜５から複製された手順に由来する。表９にまとめられた原材料及び関連する溶液は、原材料、並びにこれから得られた溶液が実質的に一定であることを示している。従って、この方法は極めて信頼性及び再現性が高い。
【０２４１】
【表９】
2014097496.tif 000012
【０２４２】
走査電子顕微鏡法／ＥＤＳ
新しい材料、及び例１〜５に従って形成された溶液ＧＲ１〜ＧＲ１０のそれぞれに対して、走査電子顕微鏡法を実施した。
【０２４３】
図４２ａ〜４２ｅはそれぞれ、例１〜５の各例において形成された５種の原材料のそれぞれに相当する走査電子顕微鏡のＥＤＳ結果を示す。
【０２４４】
図４２ｆ〜４２ｏは、表８及び９に示された１０種の溶液のそれぞれに対するＥＤＳ分析を示す。
【０２４５】
IXRFシステム・デジタル・プロセッサにカップリングされたEDAXリチウム泳動ケイ素検出器システムを使用して、XEDSスペクトルを得た。IXRFシステム・デジタル・プロセッサは、LaB6電子銃を有するAMRAY 1820 SEMとインターフェース形成した。発生する全てのスペクトルをIXRF EDS2008, version 1.0 Rev Eデータ収集・処理ソフトウェアを使用して解釈した。
【０２４６】
計装用のハードウェア及びソフトウェアのセットアップは、当該区域が撮像目的で電子ビームの下にあるのを可能にする一方で、放出されたエネルギーがXEDS検出器への最適経路を有するのを可能にするように、ＳＥＭ内部の試料段上に各試験ＩＤの液体試料を位置決めすることを伴う。試料は典型的には、最終レンズのためのアパーチャの約１８ｍｍ下側に位置決めされ、XEDS検出器に向かって公称１８°を成して傾倒される。全ての作業は、約１０-6ｔｏｒｒで維持された真空チャンバ内部で行われる。
【０２４７】
最終レンズの口径を直径２００〜３００μｍに調節し、ビーム・スポットサイズを、デジタル「パルス」プロセッサのための十分なｘ線光子計数率を達成するように調節する。データ収集期間は２００〜３００秒であり、「無駄時間」は１５％未満である。
【０２４８】
液体試料溶液のアリコートを、ＡｕＰｄでスパッタリングされたガラス・スライド上に置き、続いて脱水ステップを施す。この脱水ステップは、溶液を凍結乾燥させるか、又は乾燥窒素ガス流下で溶液を乾燥させることにより、懸濁液から粒子を産出することを含む。粒子の性質に起因して、撮像又はXEDS分析のために二次被覆は必要とならない。
【０２４９】
図４３ａ(i-iv)〜４３ｅ(i-iv)はそれぞれ、例１〜５で産出された材料のそれぞれの凍結乾燥、並びに表８及び表９に記録された溶液ＧＲ１〜ＧＲ１０のそれぞれの凍結乾燥、に相当する４つの異なる倍率で示された顕微鏡写真を開示している。具体的には、図４３ｆ(i-iv)〜４３ｏ(i-iv)は、それぞれ溶液ＧＲ１〜ＧＲ１０に相当する。顕微鏡写真の全ては、LaB6電子銃を備えたAMRAY 1820 SEMで生成する。レンズの倍率サイズは各顕微鏡写真に示されている。
【０２５０】
透過電子顕微鏡法
ＧＲ５及びＧＲ８、並びに溶液ＧＲ５及びＧＲ８を製造するために使用される成分に相当する原材料に対して、透過電子顕微鏡法を施した。具体的には、ＡＴ０３１（すなわちＧＲ５中の銀成分）を製造することに関連する生産パラメータに対応して、付加的な試験を実施し、ＡＴ０６０（すなわちＧＲ８中の銀成分）を製造することに関連する生産パラメータに対応して、付加的な試験を実施し、そしてＢＴ００６（すなわちＧＲ５及びＧＲ８の両方に使用される亜鉛成分）を製造することに関連する生産パラメータに対応して、付加的な試験を実施した。次いで、これらの成分を上述のものと同様に混合し、前に製造されたＧＲ５及びＧＲ８と等価の溶液を生じさせた。
【０２５１】
図４３ｐ(i)〜４３ｐ(iii)は、ＡＴ０３１を製造するために用いられた生産パラメータに対応して形成された銀成分を３つの異なる倍率で撮影したＴＥＭ顕微鏡写真を開示している。
【０２５２】
図４３ｑ(i)〜４３ｑ(vi)は、ＡＴ０６０を製造するために用いられた生産パラメータに対応して形成された銀成分を３つの異なる倍率で撮影した６つの異なるＴＥＭ顕微鏡写真を開示している。
【０２５３】
図４３ｒ(i)〜４３ｒ(ii)は、ＢＴ００６を製造するために用いられた生産パラメータに従って形成された亜鉛成分を２つの異なる倍率で撮影した２つの異なるＴＥＭ顕微鏡写真を開示している。
【０２５４】
図４３ｓ(i)〜４３ｓ(v)は、溶液ＧＲ５の３つの異なる倍率で撮影した５つの異なるＴＥＭ顕微鏡写真を開示している。
【０２５５】
図４３ｔ(i)〜４３ｔ(x)は、溶液ＧＲ８の３つの異なる倍率で撮影した１０個の異なるＴＥＭ顕微鏡写真を開示している。
【０２５６】
ＴＥＭ顕微鏡写真のそれぞれに対応する試料は、室温で調製した。具体的には、４マイクロリットルの各液体試料を、濾紙の上側に配置された孔付き炭素膜上に置いた（過剰の液体を逃すために使用）。濾紙を乾いたスポットに移し、この手順を繰り返す結果、全部で８マイクロリットルの各液体試料を、孔付き炭素膜の一部と接触させることになる。次いで、炭素膜格子を単一の傾倒ホルダ内に入れ、JEOL 2100 Cryo TEMのロードロック内に置くことにより、約１５分間にわたってポンピングした。次いで、試料をカラム内に導入し、ＴＥＭ顕微鏡分析作業を実施した。
【０２５７】
JEOL 2100 Cryo TEMは２００ｋｖ加速電位で動作した。超高感度のGatanデジタル・カメラに、画像を記録した。典型的な条件は５０ミクロンのコンデンサ・アパーチャ、スポット・サイズ２、及びアルファ３であった。
【０２５８】
これらのＴＥＭ顕微鏡写真は、図４３ｐの粒子（ＧＲ０５中の銀成分に対応する粒子）の平均粒度が、図４３ｑに示された粒子（すなわちＧＲ８中の銀成分に対応する粒子）よりも小さいことを明示している。さらに、図４３ｐ及び４３ｑの両方の集合において、液晶面が明示されている。さらに、図４３ｑは、明確な液晶ファセットの成長を示している。液晶ファセットのうちのいくつかは、銀のための周知の１１１立方構造に相当する。
【０２５９】
ＴＥＭ顕微鏡写真４３ｒは、亜鉛の有意な結晶化を示している。
【０２６０】
ＴＥＭ顕微鏡写真４３ｓ（溶液ＧＲ５に相当）も、図４３ｐに示されたものと同様の銀の特徴を示しており、そしてＴＥＭ顕微鏡写真４３ｔ（すなわち溶液ＧＲ８に相当）も、図４３ｑに示されたものと同様の銀の特徴を示している。
【０２６１】
このように、これらのＴＥＭ顕微鏡写真は、ＧＲ５を製造するために利用される処理パラメータが、ＧＲ８と関連する銀系ナノ粒子と比較すると、若干小さな銀系ナノ粒子をもたらしたことを示唆する。ＧＲ５とＧＲ８との間の生産パラメータの主な差異は、各溶液中の銀成分を形成するために使用される２つの調節可能なプラズマ４の位置であった。ＧＲ５及びＧＲ８の両方における亜鉛成分は同じである。しかしながら、ＧＲ５中の銀成分は、第１電極セット及び第４電極セットに位置する調節可能なプラズマ４によって形成されるのに対して、ＧＲ８中の銀成分は、第１及び第２電極セットに位置する調整可能なプラズマ４によって形成される。
【０２６２】
ＵＶ−ＶＩＳスペクトロスコピー
ＵＶ−ＶＩＳ顕微分光測光法を用いて、エネルギー吸収スペクトルを得た。この情報は、波長範囲１９０ｎｍ〜１１００ｎｍを走査することができるデュアルビーム走査モノクロメータ・システムを使用して獲得された。２つのＵＶ−ＶＩＳスペクトロメータを使用することにより、吸収スペクトルを収集した。これらのスペクトロメータはJasco V530及びJasco MSV350であった。数多くの石英ガラス試料ホルダ又は「キュベット」のうちの１つを使用して、低濃度液体試料の測定を支援するために、機器を配置した。種々のキュベットは、データが１０ｍｍ、１ｍｍ又は０．１ｍｍの試料光路で収集されるのを可能にする。次のパラメータ、すなわち帯域幅２ｎｍ、データピッチ０．５ｎｍ、水ベースライン・バックグラウンド有及び無のパラメータで、ＰＭＴ及びＬＥＤ検出器の両方を使用して、上記波長範囲にわたってデータを獲得した。主要エネルギー源として、タングステン「ハロゲン」エネルギー源及び水素「Ｄ２」エネルギー源の両方を使用した。これらのスペクトロメータの光路を、エネルギービームが試料を通過して試料キュベットの中心に向かうのを可能にするように設定した。試料の調製は、キュベットを充填してキャップし、次いで、完全密閉された試料区分内部のキュベット・ホルダ内に試料を物理的に入れることに制限した。当該材料によるエネルギーの光吸収を割り出した。出力データを測定し、そして波長及び周波数に対して吸収度単位（ランベルト・ベールの法則）として表示した。
【０２６３】
例１〜５において産出された原材料のそれぞれに対して、並びに表８及び９に示された溶液ＧＲ１〜ＧＲ１０のそれぞれにおいて、ＵＶ−可視範囲におけるスペクトル特徴を得た。
【０２６４】
具体的には、図４４ａは、波長約１９０ｎｍ〜６００ｎｍにわたる、５種の原材料のそれぞれのＵＶ−Ｖｉｓスペクトル特徴を示す図である。
【０２６５】
図４４ｂは、同じ波長範囲に対する１０種の溶液ＧＲ１〜ＧＲ１０のそれぞれのＵＶ−Ｖｉｓスペクトル・パターンを示す図である。
【０２６６】
図４４ｃは、約１９０ｎｍ〜２２５ｎｍの範囲にわたる、１０種の溶液ＧＲ１〜ＧＲ１０のそれぞれのＵＶ−Ｖｉｓスペクトル・パターンを示す図である。
【０２６７】
図４４ｄは、約２４０ｎｍ〜５００ｎｍの範囲にわたる、１０種の溶液ＧＲ１〜ＧＲ１０のそれぞれのＵＶ−Ｖｉｓスペクトルである。
【０２６８】
図４４ｅは、約２４５ｎｍ〜４５０ｎｍの波長範囲にわたる、溶液ＧＲ１〜ＧＲ１０のそれぞれのＵＶ−Ｖｉｓスペクトル・パターンである。
【０２６９】
図４４ａ〜４４ｅのそれぞれに対応するＵＶ−Ｖｉｓスペクトル・データを、Jasco V530 UV-Vis分光光度計から得た。各ＵＶ−Ｖｉｓスペクトル・データを収集するための関連動作条件を図４４ａ〜４４ｅに示す。
【０２７０】
一般に、ＵＶ−Ｖｉｓスペクトロスコピーは、近紫外線及び可視線の試料による吸収波長及び吸収強度を測定することである。紫外線及び可視線は、外殻電子をより高いエネルギーレベルに促進するのに十分に活発である。ＵＶ−Ｖｉｓスペクトロスコピーは、分子及び無機イオン又は溶液中の錯体に対して施すことができる。
【０２７１】
ＵＶ−Ｖｉｓスペクトルは、試料の同定のために使用することができる幅広い特徴を有しているが、定量的測定のためにも役立つ。溶液中の被分析物の濃度は、或る波長における吸光度を測定し、そしてランベルト・ベールの法則を適用することにより割り出すことができる。
【０２７２】
当該試料を具体的に特徴付けるために、溶媒（この場合は水）から任意の信号を引き取るために、デュアルビームＵＶ−Ｖｉｓ分光光度計を使用した。この場合、基準は、本明細書中の「例」の項で論じた逆浸透法の出口から引き出された原料水である。
【０２７３】
ラマン分光法
図４５に示された関連動作情報を有するRenishaw Invia Spectrometerを使用して、ラマンスペクトル特徴を得た。なお、ラマン分光法を用いて、ＧＲ１〜ＧＲ１０のブレンドのそれぞれに対して有意な差異は見られなかった。
【０２７４】
Leica DL DM顕微鏡を備えた反射顕微分光光度計に、２０ｘ（ＮＡ＝０．５）水浸レンズ又は５ｘ（ＮＡ＝．１２）乾式レンズを装着した。各レンズの後方口径を、拡張レーザービーム直径に等しいか又はこれを上回るように寸法設定した。２つのレーザー周波数を使用した。これらは、５１４．５ｎｍに対して設定された１／２電力のマルチライン５０ｍＷアルゴンレーザー、及び６３３ｎｍにおける２０ｍＷ  ＨｅＮｅであった。モノクロメータ光路内に、５０〜４０００波数（１／ｃｍ）の連続的な走査を可能にする高分解能格子を取り付けた。１０〜２０秒の積分時間を使用した。試料流体を、レンズの下方の５０ｍｌビーカー中に入れた。共振帯を調査するために両レーザーを使用したが、ラマンスペクトルを得るためには前者のレーザーを主に使用した。試料サイズは約２５ｍｌであった。５ｘ乾式レンズで行われる測定を、流体の約５ｍｍ上方に位置する対物レンズを用いて行うことにより、水メニスカスの約７ｍｍ下方の体積を問い合わせた。浸漬測定は、試料中に約４ｍｍだけ入るように位置決めされた２０ｘ浸漬レンズを用いて行い、同じ空間体積の調査を可能にした。ＣＣＤ検出器の捕捉区域を各レンズ毎に個々に調節することにより、信号強度及び信号対雑音比を最大化した。
【０２７５】
生物学的特徴付け
バイオスクリーンの結果
例１〜５に従って形成された原材料、並びにこれらの原材料から形成された１０種のＧＲ１−ＧＲ１０の効果を比較するために、Bioscreen C Microbiology Readerを利用した。バイオスクリーンを得るための具体的な手順は下記の通りである。
【０２７６】
細菌の菌株
アメリカン・タイプ・カルチャー・コレクション（ＡＴＣＣ）から受入番号２５９２２で、Escherichia coliを入手した。初期ペレットをトリプティカーゼ大豆培養液（ＴＳＢ、Becton Dickinson and Company, Sparks, MD）中で戻し、１０ｍｌのＴＳＢを含有する培養フラスコに無菌状態で移し、続いて、Forma 3157 ウォータ・ジャケット付きインキュベータ（Thermo Scientific, Waltham, MA, USA)内で３７℃で一晩にわたるインキュベーションを施した。
【０２７７】
細菌の維持及び貯蔵
細菌の菌株をトリプティカーゼ大豆寒天（ＴＳＡ、Becton Dickinson and Company, Sparks, MD）板上に保持し、アリコートをMicroBank管（Pro-Lab Incorporated, Ontario, Canada）内で−８０℃で極低温貯蔵した。
【０２７８】
細菌培養物の調製
Microbank管を室温で解凍し、そしてNuAire Labgard 440生物学的クラスIIセーフティ・キャビネット（NuAire Inc., Plymouth, MN, USA)内で開いた。滅菌接種針を使用して、１つのMicrobankビードをストック管から、Bioscreen分析のために１０ｍｌのトリプティカーゼ大豆培養液（ＴＳＢ、Becton Dickinson and Company, Sparks, MD）中へ、又はＭＩＣ／ＭＬＣ分析のためにMueller-Hinton培養液（ＭＨＢ、Becton Dickinson and Company, Sparks, MD）中へ無菌状態で移した。細菌の菌株の一晩にわたる培養物を、Forma 3157 ウォータ・ジャケット付きインキュベータ（Thermo Scientific, Waltham, MA, USA)内で３７℃で１８時間にわたって成長させ、そして０．５マクファーランド濁度標準まで希釈した。続いて、マクファーランド標準の１０-1希釈を行うことにより、ほぼ１．０ｘ１０7ＣＦＵ／ｍｌの細菌数をもたらした。この最終希釈体は、細胞成長による細菌密度の増大を防止するために、生成から３０分以内に使わなければならない。
【０２７９】
ナノ粒子溶液の希釈
ナノ粒子溶液をＭＨＢ及び滅菌ｄＨ2Ｏ中で、２ｘ試験濃度まで希釈し、総体積１．５ｍｌを産出した。この体積のうち、７５０μｌはＭＨＢから成り、これに対して他の７５０μｌは、２ｘ濃度の特定の被験ナノ粒子溶液を形成するように、変化する量の滅菌ｄＨ2Ｏとナノ粒子とから成った。試験希釈体（反応物における最終濃度）は、０．５ｐｐｍのＡｇ〜６．０ｐｐｍのＡｇのナノ粒子濃度であり、この場合試験は０．５ｐｐｍインターバルで実施した。
【０２８０】
バイオスクリーン反応物の調製
ナノ粒子溶液の最小阻止濃度（ＭＩＣ）を割り出すために、１００ウェル・マイクロタイタープレート（Growth Curves USA, Piscataway, NJ, USA）の別個の滅菌ウェル内に所期試験濃度の１００μｌの特定のナノ粒子溶液に、１００μｌの希釈細菌培養物を添加した。１００μｌの希釈細菌培養物及び１００μｌの１：１  ＭＨＢ／滅菌ｄｄＨ2Ｏ混合物の両方が接種されたウェルが、陽性対照として役立ち、これに対して、１００μｌのＭＨＢ及び１００μｌの１：１  ＭＨＢ／滅菌ｄｄＨ2Ｏ混合物が接種されたウェルが、反応のための陰性対照として役立った。プレートをBioscreen C Microbiology Reader（Growth Curves USA, Piscataway, NJ, USA）のトレイの内側に置き、そして光学濃度（Ｏ．Ｄ．）測定値を１０分毎に求めながら１５時間にわたって一定の３７℃でインキュベートした。それぞれのＯ．Ｄ．測定前に、プレートを中程度の強さで１０秒間にわたって自動的に震盪させることにより、細菌の沈降を防止し、そして均質な反応ウェルを保証した。
【０２８１】
ＭＩＣ及びＭＬＣの両方の割り出し
全てのデータを、EZExperiment Software（Growth Curves USA, Piscataway, NJ, USA）を使用して収集し、そしてMicrosoft Excel (Microsoft Corporation, Redmond, WA, USA）を使用して分析した。種々異なるナノ粒子溶液で処理された細菌の菌種の成長曲線を構成し、そしてＭＩＣを割り出した。ＭＩＣは、Bioscreen C Microbiology Readerを使用して光学濃度によって測定した、細菌培養物の成長を１５時間にわたって阻止するナノ粒子溶液の最低濃度として、定義した。
【０２８２】
ＭＩＣが一旦割り出されたら、ＭＩＣ及び次に高い濃度の試験培地を各ウェルから取り出し、そして好適な標識を付けられた滅菌エッペンドルフ管内で濃度に従って合体させた。ＴＳＡプレートに１００μの試験培地を接種し、そしてForma 3157 ウォータ・ジャケット付きインキュベータ（Thermo Scientific, Waltham, MA, USA)内で３７℃で一晩にわたってインキュベートした。最小致死量濃度（ＭＬＣ）を、ＴＳＡ上でのコロニー成長によって測定した、細菌培養物の成長を防止するナノ粒子溶液の最低濃度と定義した。
【０２８３】
バイオスクリーン試験の結果を図４６に示す。なお、原材料ＡＴ０３１；ＡＴ０５９及びＡＴ０６０は妥当な性能を有したのに対して、原材料ＢＴ−００６及びＣＴ−００６は、E. coliの成長を全く減速しなかった。これに関しては、曲線が低い光学濃度（「ＯＤ」）のままであればあるほど、細菌に対する性能は良好である。
【０２８４】
対照的には、溶液ＧＲ１−ＧＲ１０のそれぞれは、原材料ＡＴ０３１、ＡＴ０６０及びＡＴ０５９のそれぞれに対して、優れた性能を示した。興味深いことに、銀ナノ粒子と関連する原材料と、亜鉛及び銅の両ナノ粒子と関連する原材料との組み合わせは、予期せぬ相乗効果をもたらした。
【０２８５】
付加的なバイオスクリーンの結果が、図４７及び４８に示されている。これらの図面に報告されたデータは、「ＭＩＣ」データとして知られている。「ＭＩＣ」は、最小阻止濃度を意味する。ＭＩＣデータは、ＧＲ３及びＧＲ８に関してのみ生成した。図４７及び４８のそれぞれのデータを検討することから明らかなように、ＧＲ３及びＧＲ８の適切なＭＩＣ値は約２〜３ｐｐｍであった。
【０２８６】
図４６に示された予期せぬ好ましい結果により、例４に従って形成された原材料ＢＴ−００６を、例２に従って形成された原材料ＡＴ−０６０に逐次添加した（すなわち、亜鉛系ナノ粒子溶液を銀系ナノ粒子溶液に添加した）。存在する銀の量（原子吸光分光分析によって測定）を、１ｐｐｍに維持した。これに添加されたナノ粒子溶液中ＢＴ−００６の量を、図４９において報告する。E. coliに対する高められた抗菌性能が、亜鉛ナノ粒子溶液の量が増大するのに伴って、すなわちＢＴ−００６（例４から）が添加されるのに伴って達成されたことに注目すると興味深い。さらに、図５０ａ〜５０ｃは、コンディショニングされた水（「ＧＺＡ」）を例２のナノ粒子溶液ＡＴ−０６０に添加することにより、e. coliに対する性能を表す付加的なバイオスクリーン情報を示している。
【０２８７】
亜鉛ではなく白金の電極１／５構造を利用することを除いて、ＢＴ−００６原材料と同様にＧＺＡ原材料を形成した。
【０２８８】
凍結乾燥
図５４は、別の一連のバイオスクリーン結果を示している。図８及び９においてＧＲ５及びＧＲ８と呼ばれる溶液、並びに、最初に完全凍結乾燥され、その後水（液体３）で再水和された同じ溶液を、E. coliに対する効力に関して比較した。このような再水和は同じ元のｐｐｍをもたらすように行われた。
【０２８９】
ＧＲ５及びＧＲ８溶液をプラスチック（nalgene)容器内に入れ、そしてこのプラスチック容器を、約−５２℃の温度及び１００ミリリットル未満の真空に維持されるBenchTop 2K凍結乾燥器（Virtis製）内に入れることにより、凍結乾燥を達成した。約１０〜２０ｍｌの溶液を一夜凍結乾燥した。
【０２９０】
図５４に示されているように、凍結乾燥され再水和されたナノ粒子の性能は、元のＧＲ５及びＧＲ８溶液の性能と同一である。
【０２９１】
哺乳動物細胞の生存能力／細胞毒性試験
下記手順を利用することにより、細胞の生存能力／細胞毒性の測定値を得た。
【０２９２】
細胞系
Mus musculus（マウス）肝上皮細胞（受入番号ＣＲＬ−１６３８）及びSus scrofa domesticus（ミニブタ）腎線維芽細胞（受入番号ＣＣＬ−１６６）を、アメリカン・タイプ・カルチャー・コレクション（ＡＴＣＣ）から入手した。
【０２９３】
凍結ストックからの細胞培養
Napco 203水浴（Thermo Scientific, Waltham, MA, USA）内で２分間にわたって３７℃で、細胞系を解凍した。微生物汚染を低減するために、凍結培養バイアルのキャップ及びＯリングを、解凍中に水位よりも上方に維持した。培養バイアルの内容物が解凍されるとすぐに、バイアルを水から取り出し、９５％エタノールで噴霧し、そしてNuAire Labgard 440生物学的クラスIIセーフティ・キャビネット（NuAire Inc., Plymouth, MN, USA)内に移した。バイアル内容物を次いで、滅菌７５ｃｍ2組織培養フラスコ（Corning Life Sciences, Lowell MA, USA)に移し、推奨される量の完全培地で希釈した。マウス肝上皮細胞系ＣＲＬ−１６３８は、９０％のDulbecco's Modified Eagle's Medium（ATCC, Manassas, VA, USA）と、１０％のウシ胎児血清（ATCC, Manassas, VA, USA）とから成る完全培地中での増殖を必要としたのに対し、ミニブタ腎線維芽細胞系ＣＣＬ−１６６は、８０％のDulbecco's Modified Eagle's Mediumと、２０％のウシ胎児血清とから成る完全培地中で成長させられた。細胞系ＣＲＬ−１６３８は成長培地で１：１５比で希釈されたのに対して、細胞系ＣＣＬ−１６６は成長培地で１：１０比で希釈された。次いで、NuAire, IR Autoflowウォータ・ジャケット付きＣＯ2インキュベータ（NuAire Inc., Plymouth, MN, USA)内で５％のＣＯ2と９５％の加湿雰囲気とを利用して、培養フラスコを約３７℃でインキュベートした。
【０２９４】
培地の更新及び成長細胞の世話
２日毎に、培養フラスコから古い成長培地を取り出し、新鮮な成長培地と交換した。毎日、微生物の成長、例えば真菌コロニー、及び培地中の濁度を肉眼で観察した。さらに、培養された細胞を、逆位相差顕微鏡(VWR Vistavision, VWR International, and West Chester, PA, USA)下で観察することにより、細胞の全体的な健康状態及び細胞密集度の両方をチェックした。
【０２９５】
細胞の継代培養
一旦細胞がほぼ８０％密集成長に達したら、細胞は継代培養の準備ができたと見なした。古い成長培地を取り外して廃棄し、そして細胞シートを５ｍｌの予熱されたトリプシン−ＥＤＴＡ解離溶液（ATCC, Manassas, VA, USA）で濯いだ。３０秒間にわたる細胞シートとの接触後に、トリプシン−ＥＤＴＡを取り出して廃棄した。細胞単層全体がカバーされていること、及びフラスコが攪拌されていないことを確認して、３ｍｌの体積の予熱されたトリプシン−ＥＤＴＡ溶液を細胞シートに添加し、続いて、約１５分間にわたって３７℃で培養フラスコをインキュベートした。細胞解離後、約６ｍｌの完全培地を細胞培養フラスコに添加することによりトリプシン−ＥＤＴＡを不活化し、続いて、細胞を静かにピペットによって吸引した。
【０２９６】
細胞をカウントするために、２００μｌの細胞懸濁液を１５ｍｌの遠心分離管（Corning Life Sciences, Lowell MA, USA)内に捕集した。３００μＬのリン酸緩衝食塩水（ATCC, Manassas, VA, USA）、及び５００μＬの０．４％のトリパン・ブルー溶液（ATCC, Manassas, VA, USA）の両方を、捕集された細胞懸濁液に添加し、そして十分に混合した。約１５分間にわたって静置しておいた後、１０μｌの混合物を、iN Cyto, C-Chip使い捨て血球計（INCYTO, Seoul, Korea)の各チャンバ内に入れた。ここで細胞をVWR Vistavision 逆位相差顕微鏡(VWR International, West Chester, PA, USA)によって製造者の指示書に従ってカウントした。血球計から得られた細胞数に基づいて変換式を用いて、懸濁液中の細胞の濃度を計算した。
【０２９７】
細胞毒性試験
黒い透明な底部の細胞培養処理マイクロタイタープレート（Corning Life Sciences, Lowell MA, USA)のウェルに、図１に示すようなほぼ１．７ｘ１０4細胞を含有する２００μｌの培地を播種した。５％のＣＯ2と９５％の加湿雰囲気とを利用して、約４８時間にわたって細胞を約３７℃でマイクロタイタープレート内で平衡させておいた。平衡期間後、培地を各ウェルから取り出し、そしてプレートのカラム３を除く全てのウェル内で１００μｌの新鮮な成長培地と取り換えた。所期試験濃度の２ｘHydronanon（登録商標）を補充された１００μｌ体積の新鮮な培地を、表１０に示すようにそれぞれのウェル内に入れた。
【０２９８】
【表１０】
2014097496.tif 000013
【０２９９】
５％のＣＯ2と９５％の加湿雰囲気とを利用して、約２４時間にわたってマイクロタイタープレートを約３７℃で処理化合物と一緒にインキュベートした。ナノ粒子溶液とのインキュベーション後、各ウェルから培地を取り出して廃棄し、そしてAlamar Blue（登録商標）(Biosource International, Camarillo, CA, USA)を５０μｌ色素／ｍｌ培地の濃度で含有する１００μｌの新鮮な培地と取り換えた。プレートを約１０秒間にわたって手で静かに震盪させ、そして５％のＣＯ2と９５％の加湿雰囲気とを利用して、約２．５時間にわたって約３７℃でインキュベートした。次いで、励起波長５４４ｎｍ及び発光波長５９０ｎｍを利用して、各ウェル内で蛍光を測定した。Labsystems（Thermo Scientific, Waltham, MA, USA）によって製造されたFluoroskan II 蛍光光度計で蛍光測定を行った。
【０３００】
データ分析
無処理の対照細胞と比較したときの、処理後の生存細胞の比率を測定することにより、ナノ粒子溶液の細胞毒性を割り出した。処理後の細胞の生存率％を計算し、そしてこれを用いて、５０％の細胞死が発生する時（ＬＣ50）のナノ粒子濃度のデータを生成した。全てのデータは、GraphPad Prism ソフトウェア（GraphPad Software Inc., San Diego, Ca, USA)を使用して分析した。
【０３０１】
生存可能性／細胞毒性試験の結果を、図５１ａ〜５１ｈ；５２ａ〜５２ｆ；及び図５３ａ〜５３ｈである。
【０３０２】
図５１ａ及び５１ｂを参照すると、溶液「ＧＲ３」の性能を、ミニブタ腎線維芽細胞（図５１ａ）及びマウス肝上皮細胞（図５１ｂ）の両方に対して試験した。
【０３０３】
同様に、図５１ｃ及び５１ｄでは、それぞれ腎細胞及びマウス肝細胞に対してＧＲ５の性能を試験し；図５１ｅ及び５１ｆでは、それぞれ腎細胞及び肝細胞に対してＧＲ８の性能を試験し；そして図５１ｇ及び５１ｈでは、それぞれ腎細胞及び肝細胞に対してＧＲ９の性能を試験した。
【０３０４】
図５１ａ〜５１ｈのそれぞれにおいて、二相応答が注目される。二相応答はそれぞれの溶液及び細胞集合の種々異なる濃度において発生したが、しかし、一般的な傾向又は各被験溶液が示したところでは、本明細書中で開示された実施態様に従って製造された或る濃度のナノ粒子が、対照と比べて、腎細胞及び肝細胞のそれぞれに対する高められた成長速度を呈する。これに関して、１００％（すなわち対照）に相当する点線の鉛直方向上方にある曲線のうちのいずれの曲線のいずれの部分も、本明細書中で上述した、生成された蛍光からのより高い蛍光光度計測定値を有した。従って、本発明により形成された粒子及び／又はナノ粒子溶液が、少なくとも腎細胞及び肝細胞を含む哺乳動物細胞に、高められた成長速度効果を与え得ることは明らかである。
【０３０５】
図５２ａ〜５２ｆでは、銀ナノ粒子濃度及び総ナノ粒子濃度の両方の、より狭い応答範囲を試験した。それぞれ図５２ａｂ，５２ｃｄ及び５２ｅｆのそれぞれにおける溶液３，５及び８のそれぞれに関して報告された値「ＬＤ50」の値は、銀系ナノ粒子のｐｐｍ（図５２ａ，ｃ及びｅ）及び総ナノ粒子のｐｐｍ（図５２ｂ，ｄ及びｆに対応）に相当する。銀ナノ粒子濃度に関して、ＬＤ50は約２．５〜約５．４であることが明らかである。対照的に、総ナノ粒子溶液のＬＤ50は、約６〜約１６である。
【０３０６】
図５３ａ〜５３ｈに関して、ミニブタ腎線維芽細胞に対する「ＬＤ50」を各溶液ＧＲ３，ＧＲ５，ＧＲ８及びＧＲ９に関して測定した。これらの図面のそれぞれに示すように、存在する総ナノ粒子の「ＬＤ50」は最低約４．３（ＧＲ９に対して）〜最高約１０．５〜１１（ＧＲ５及びＧＲ８に対して）であった。
【０３０７】
例６
いかなるプラズマも使用しない銀系ナノ粒子／ナノ粒子溶液ＡＴ０９８、
ＡＴ０９９及びＡＴ１００の製造
この例は、例１〜５の溶液を形成するために使用されたものと同じ基本装置を利用する。しかし、この例はいかなる電極５も利用しない。この例は、各電極１のために純度９９．９５％の銀電極を利用する。表１１ａ、図１１ｂ及び図１１ｃは、電極のデザイン、構造、位置、及び動作電圧の部分を要約する。表１１ａ、図１１ｂ及び図１１ｃに示すように、ターゲット電圧を、最低値約２，７５０ボルト（電極セット＃８における）、及び最高値約４，５００ボルト（電極セット＃１〜３における）に設定した。最高値４，５００ボルトは本質的には、電極セット＃１〜３における各電極１，１’の間の液体３の最小導電率に起因する開回路に相当する。
【０３０８】
さらに、各電極セットにおける各電極毎の実電圧及びターゲット電圧の棒グラフを図５５ａ，５５ｂ及び５５ｃに示す。従って、表１１ａ，１１ｂ及び１１ｃ、並びに図５５ａ，５５ｂ及び５５ｃに含まれるデータによって、各電極セット内の電極デザイン、並びに本発明の製造法のために各電極に印加される実電圧及びターゲット電圧に関して完全に理解することができる。例１〜５の報告された電極構造との整合性を維持するために、たとえ試験ＩＤ「ＡＴ１００」が、実際に８組の電極を使用する唯一の試験であっても、８組の電極のためのスペースが、表１１ａ，１１ｂ及び１１ｃのそれぞれに含まれている。
【０３０９】
【表１１ａ】
2014097496.tif 000014
【０３１０】
【表１１ｂ】
2014097496.tif 000015
【０３１１】
【表１１ｃ】
2014097496.tif 000016
【０３１２】
原子吸収分光法（ＡＡＳ）試料を調製し、そして測定値を得た。本明細書中に前述したＡＡＳ手順には、僅かなプロセス変更が組み込まれた。これらのプロセス変更はすぐ下で述べる。
【０３１３】
ＡＡＳ値は、例１〜５におけるように、Perkin Elmer AAnalyst 300 Spectrometerシステムから得た。例６〜１２に従って製造された試料は、結果の精度を改善するために、少量の硝酸及び塩酸（通常は最終体積の２〜４％）を添加し、次いで特定の元素の望ましい特徴的な濃度範囲又は線形範囲まで希釈することにより調製した。「望ましい」範囲は、製品開発中に確立された生産パラメータに基づく概算推定値である。純金属分析のために、既知量の原材料を既知量の酸中に消化し、希釈することにより、吸収信号強度が許容限度内、より具体的には、線形範囲としてよりよく知られている、最も正確な検出器設定値範囲にあるようになることを保証する。
【０３１４】
Perkin Elmer AAnalyst 300 Spectrometerシステムの具体的に作業手順は、以下の通りである：
Ｉ）原理
Perkin Elmer AAnalyst 300システムは、サファイアGemTip又はステンレス鋼ビード付きネブライザと、原子吸光分析装置とを備えた高効率バーナーシステムから成っている。バーナーシステムは、化合物を解離させるのに必要な熱エネルギーを提供し、原子吸収が発生するように、遊離する被分析原子を提供する。このスペクトロメータは、主要光源としての中空陰極ランプ、モノクロメーター、及び検出器を使用して、特定波長で吸収される光の量を測定する。重水素アーク灯が、原子雲中の非原子種によって引き起こされるバックグラウンド吸収を補正する。
【０３１５】
ＩＩ）機器のセットアップ
Ａ）  廃棄物容器を印まで空にする。脱イオン水を排液管に添加することにより、水が排液システム・フロート集成体内に存在することを確認する。
Ｂ）  被分析物を分析するための適宜の中空陰極ランプがタレット内に適正に設けられていることを確認する。
Ｃ）  AAnalyst 300及びコンピュータの電源をオンにする。
Ｄ）  AAnalyst 300を最低３０分間ウォームアップした後、AAWin Analystソフトウェアを開始する。
Ｅ）  分析方法を呼び戻す。
Ｆ）  正しいデフォルト条件が入力されていることを確認する。
Ｇ）  中空陰極ランプを調整する。
１）最低１５分間にわたってＨＣＬを温め、安定化させておく。
２）適正なピーク及びエネルギーレベルが特定のランプに対して確立されていることをチェックする。
３）ランプ設備の出力及び周波数を調節することにより、最大エネルギーを得る。
Ｈ）  パラメータ入力、オプション、保存及び＃の方法変更を保存する。
Ｉ）  バーナー高さを調節する。
１）バーナーの背後に白い紙を置くことにより、光ビームの位置を確認する。
２）鉛直方向調節ノブによって、バーナーヘッドを光ビームの下方に降下させる。
３）Cont（Continuous）を押すことにより、吸光値を表示する。
４）A/Zを押してオートゼロにする。
５）ディスプレイが僅かな吸光度（０．００２）を示すまで、鉛直方向調節ノブによってバーナーヘッドを上昇させる。ディスプレイがゼロに戻るまで、バーナーヘッドをゆっくりと降下させる。ヘッドをさらに４分の１回転分だけ降下させることにより、調節を完了させる。
Ｊ）  点火する。
１）空気圧縮機弁を開く。圧力を５０〜６５ｐｓｉに設定する。
２）アセチレンガス・シリンダ弁を開く。出力圧力を１２〜１４ｐｓｉを設定する。圧力は７５ｐｓｉまで低下したら、アセトンの存在から生じる弁及び管の損傷を防止するため、シリンダを交換する。
３）Gases On/Offを押す。オキシダント流を４単位に調節する。
４）Gases On/Offを押す。アセチレン・ガス流を２単位に調節する。
５）Flame On/Offを押すことにより、火炎をオンにする。
注意：紫外線用保護眼鏡を着用せずにランプ又は火炎を直接見てはならない。
Ｋ）  バーナーヘッドを通して脱イオン水を３〜５分間吸引する。
Ｌ）  バーナーの位置及びネブライザを調節する。
１）ほぼ０．２〜０．５の吸光度単位の信号を有する標準を吸引する。
２）水平方向、鉛直方向、及び回転方向の調節ノブを回転させることにより、バーナー位置の最大吸光度を得る。
３）ネブライザの固定リングを、時計回り方向に回すことにより緩める。ネブライザ調節ノブをゆっくりと回すことにより、最大吸光度を得る。ノブを固定リングで所定の位置にロックする。
注意：ガスが吸収しない波長にある銀のような元素が、バーナー及びネブライザを調節するのに最適である。
【０３１６】
ＩＩＩ）較正手順
Ａ）  試料濃度を一括りにした標準で較正する。
Ｂ）  WinAA Analystソフトウェアが、試料の測定値に関する較正曲線を自動的に形成する。しかし、適正な吸収が各較正標準で確立されることを確認するようにチェックしなければならない。
Ｃ）  デフォルト条件における標準濃度値を入力することにより、AAnalyst 300標準曲線を形成する。
１）有効数字を使用してＳＴＤ１の最低標準の濃度を入力する。
２）較正曲線の他の標準の濃度を昇順で、そして再勾配標準の濃度を入力する。
３）較正値を獲得する前にブランクでオートゼロにする。
４）標準１を吸引し、0 Calibrateを押すことにより、前の曲線をクリアする。番号順に標準を吸引する。
標準の番号を押し、そして標準毎に較正する。
５）Printを押すことにより、グラフ及び相関係数をプリントする。
６）必要であれば、１つ又は全ての標準を再実行する。標準３を再実行するために、標準を吸引し、そして3 Calibrateを押す。
Ｄ）  相関係数は０．９９０以上であるべきである。
Ｅ）  ２０種の試料毎に少なくとも１回、動作中に連続して、較正標準を用いて、ドリフト、正確さ、及び精度に関して較正曲線をチェックする。
【０３１７】
ＩＶ）分析手順
Ａ）  試料毎に最小数３個の複製物（replicate）を用いて３部（triplicate）について測定した。
Ｂ）  試料を吸収し、Read Sampleを押す。ソフトウェアは３つの吸光度測定値を求め、次いでこれらの測定値を平均する。ソフトウェアがアイドル状態を告げるまで待つ。標準偏差が試料結果の１０％を上回る場合には、試料を再実行する。
【０３１８】
Ｖ）機器のシャットダウン
Ａ）  ２％硝酸（ＨＮＯ3）を１〜３分間にわたって吸引し、脱イオン水を３〜５分間にわたって吸引することによりバーナーヘッドを清浄化する。水から毛管を取り外し、バーナーヘッドを約１分間にわたって乾燥させる。
Ｂ）  Flame On/Offを押すことにより、火炎をオフにする。
Ｃ）  空気圧縮機弁を閉じる。
Ｄ）  アセチレン・シリンダ弁を閉じる。
Ｅ）  Bleed Gasesを押すことにより、ラインからアセチレンガスを抜き取る。シリンダ圧力はゼロまで低下することになる。
Ｆ）  ソフトウェアを終了し、AAnalyst 300の電源をオフにし、そしてコンピュータをシャットダウンする。
【０３１９】
【表１１ｄ】
2014097496.tif 000017
【０３２０】
表１１ｄは、例６から得られた結果を示す。図１１ｄは、「電極構造」と題する欄を含む。この欄は文字「０」及び「Ｘ」を含む。文字「０」は、１つの電極セット５，５’に相当する。文字「Ｘ」は、電極が存在しなかったことを表す。このように、試験ＩＤ「ＡＴ０９８」の場合には、単一の電極セット５ａ，５ａ’だけが利用された。本明細書中に開示されたＡＡＳ技術によっては、検出可能な量の銀は測定できなかった。試験ＩＤ「ＡＴ０９９」は、２つの電極セット５ａ，５ａ’及び５ｂ，５ｂ’を利用した。ＡＡＳ技術は、或る程度の量の銀を、存在するものとして検出したが、その量は０．２ｐｐｍ未満であった。試験ＩＤ「ＡＴ１００」は８つの電極セット５，５’を利用した。この構造は、７．１ｐｐｍという測定ｐｐｍをもたらした。従って、電極１（及び関連プラズマ４）を使用することなしに、金属系成分（例えば金属系ナノ粒子／ナノ粒子溶液）を得ることが可能ではある。しかし、金属系成分の形成速度は、１つ又は２つ以上のプラズマ４を使用することによって得られた速度を大きく下回る。例えば、例１〜３は、試験ＩＤ  ＡＴ０３１、ＡＴ０３６及びＡＴ０３８と関連する銀系生成物を開示した。これらの試験ＩＤのそれぞれは、調節可能なプラズマ４を含む２つの電極セットを利用した。これらの試料のうちのそれぞれに対する測定銀ｐｐｍは４０ｐｐｍを上回り、この数値は、例６のＩＤ  ＡＴ１００に従って形成された生成物中で測定されたものの５〜６倍である。このように、少なくとも１つの調節可能なプラズマ４（本明細書中の教示内容に従う）を使用することなしに、金属系成分を製造することは可能であるものの、生産技術の一部としてプラズマ４を使用しないと、金属系成分の形成速度が大幅に低減される。
【０３２１】
従って、試験ＩＤ  ＡＴ１００と関連する生成物を形成するために８つの電極セット５，５が利用されたとしても、少なくとも１つの電極１を含む電極セットがないと（すなわちプラズマ４がないと）、生成される溶液中の銀含有率ｐｐｍを厳しく制限した。
【０３２２】
例７
単一のプラズマだけを使用する銀系ナノ粒子／ナノ粒子溶液ＡＴ０８０、
ＡＴ０８１、ＡＴ０８２、ＡＴ０８３、ＡＴ０８４、ＡＴ０８５、
ＡＴ０８６及びＡＴ０９７の製造
この例は、例１〜５の溶液を形成するために使用されたものと同じ基本装置を利用するが、しかしこの例は、単一のプラズマ４だけを使用する。具体的には、電極セット＃１の場合、この例は、「１ａ，５ａ」電極構造を使用する。後続の電極セット＃２〜＃８が順次加えられる。電極セット＃２〜＃８のそれぞれは、「５，５’」電極構造を有している。この例はまた、各電極セット内の電極１及び５のそれぞれのために純度９９．９５％の銀電極を利用する。
【０３２３】
表１２ａ〜１２ｈは、電極のデザイン、構造、位置、及び動作電圧の部分を要約する。表１２ａ〜１２ｈに示すように、ターゲット電圧を、最低値約９００ボルト（電極セット＃８における）、及び最高値約２，３００ボルト（電極セット＃１における）に設定した。
【０３２４】
さらに、各電極セットにおける各電極毎の実電圧及びターゲット電圧の棒グラフを図５６ａ，５６ｂ，５６ｃ，５６ｄ，５６ｅ，５６ｆ，５６ｇ及び５６ｈに示す。従って、表１２ａ〜１２ｈ、並びに図５６ａ，５６ｂ，５６ｃ，５６ｄ，５６ｅ，５６ｆ，５６ｇ及び５６ｈに含まれるデータによって、各電極セット内の電極デザイン、並びに本発明の製造法のために各電極に印加される実電圧及びターゲット電圧に関して完全に理解することができる。例１〜５の報告された電極構造との整合性を維持するために、たとえ試験ＩＤ「ＡＴ０８０」が、実際に８組の電極を使用する唯一の試験であっても、８組の電極のためのスペースが、表１２ａ，１２ｂ，１２ｃ，１２ｄ，１２ｅ，１２ｆ，１２ｇ及び１２ｈのそれぞれに含まれている。
【０３２５】
【表１２ａ】
2014097496.tif 000018
【０３２６】
【表１２ｂ】
2014097496.tif 000019
【０３２７】
【表１２ｃ】
2014097496.tif 000020
【０３２８】
【表１２ｄ】
2014097496.tif 000021
【０３２９】
【表１２ｅ】
2014097496.tif 000022
【０３３０】
【表１２ｆ】
2014097496.tif 000023
【０３３１】
【表１２ｇ】
2014097496.tif 000024
【０３３２】
【表１２ｈ】
2014097496.tif 000025
【０３３３】
例６に論じられているように、原子吸収分光法（ＡＡＳ）試料を調製し、そして測定値を得た。表１２ｉは結果を示している。なお、表１２ｉは「電極構造」と題する欄を含む。この欄は文字「１」及び「０」及び「Ｘ」を含む。「１」は電極セット＃１（すなわち１，５の組み合わせ）に相当する電極構造を表す。文字「０」は、５，５’の電極組み合わせを表す。文字「Ｘ」は、電極が存在しなかったことを表す。このように、例えば「ＡＴ０８４」は「１０００ＸＸＸＸ」によって表される。これは、「ＡＴ０８４」を形成するために４つの電極セット組み合わせが使用されたことを意味し、そしてこの組み合わせは、セット＃１＝１，５；セット＃２＝５，５；セット＃３＝５，５及びセット＃４＝５，５に相当した（「ＸＸＸＸ」によって表されているように、セット＃４の後にセットはなかった）。
【０３３４】
【表１２ｉ】
2014097496.tif 000026
【０３３５】
表１２ｉは、「測定Ａｇ  ＰＰＭ（初期）」と題する欄を含む。この欄は、生産から１時間以内に測定された８種の溶液のうちのそれぞれの銀含有率に相当する。表に示すように、測定ｐｐｍは、それぞれの電極セットが加えられるのに伴って増大する。試験ＡＴ０８０は、例３の試験ＩＤ  ＡＴ０３１と匹敵する量の銀のｐｐｍレベルを産出する。しかし、「測定Ａｇ  ＰＰＭ（１０日）」と題する別の欄は、別の話を語るデータを示す。具体的には、「初期」及び「１０日」のＰＰＭ測定値は、試験ＩＤ  ＡＴ０９７、ＡＴ０８６、ＡＴ０８５、ＡＴ０８４及びＡＴ０８３に相当する試料に関しては本質的に同じである（例えばＡＡＳの走査誤差の範囲内）。このことは、８つの試験のうちの５つに見いだされる成分粒子の顕著な沈降が本質的に発生しなかったことを意味する。しかし、ＩＤ  ＡＴ０８２、ＡＴ０８１及びＡＴ０８０と関連する試料が１０日後に試験されると、成分粒子の顕著な部分が沈降しており、試験ＡＴ０８０から採取された試料は、粒子の沈降に起因して、４０ｐｐｍから約１０ｐｐｍを失う。
【０３３６】
この例７と関連する８種の試料のそれぞれにおいてどのような粒度が産出されているかを考えるために、動的光散乱（ＤＬＳ）アプローチを利用した。具体的には、ＬＥＤレーザーからの散乱光強度の変化を利用する動的光散乱法が、ブラウン運動による粒子運動から生じる強度の変化を割り出すために、経時的に測定された。これらの測定を実施するために使用される機器は、Dual Alternating Technology (D. A. T.)を有するVISCOTEK 802 DLSであった。
【０３３７】
１２μＬの石英セルを使用して、全ての測定を行った。石英セルは、温度制御されたセルブロック内に配置された。１つの８２７．４ｎｍレーザービームを、被測定溶液に通した。レーザー光路に対して横方向に設けられた観察光路を有するＣＣＤ検出器を利用して、散乱強度を測定した。次いで、アインシュタイン−ストークス及びレイリーの方程式のバリエーションを使用して、試験データを数学的に変換することにより、粒度及び粒度分布の情報を代表する値を誘導した。データ収集及び数学的変換は、Viscotek Omnisize バージョン3,0,0,291ソフトウェアを使用して行った。この機器のハードウェア及びソフトウェアは、半径０．８ｎｍ〜２μｍの粒子に対する測定を信頼性高く可能にする。
【０３３８】
この技術は、溶液がミクロ気泡、及びストークス沈降運動（この運動のいくらかは、この例７において少なくとも３種の試料において明らかに発生した）を被る粒子を含まないときに最良に働く。被験材料を含有して調製するために使用される全ての容器を、濯いて送風乾燥させることによりデブリを除去した。容器及び試料を調製するために使用される全ての水は、二重に脱イオン化し、０．２μｍのフィルタで濾過した。溶媒が必要となるならば、分光学的等級のイソプロピルアルコールだけを使用する。溶媒曝露後、全てを清浄な水で濯ぎ、そして糸くずのでない清浄な綿布だけで拭った。
【０３３９】
総体積約３ｍｌの溶液試料のアリコートを、小型注射器内に引き込み、次いで約４ドラムの清浄なガラス試料バイアル内に小分けした。２つの注射器フィルタ（０．４５μｍ）をこの作業中に注射器上に固定することにより、試料を二重濾過し、こうして、溶液の部分としては意図されない大型粒子を除去した。この試料を小型真空チャンバ内に入れた。ここで、試料を、低レベル真空（＜２９．５インチＨｇ）に１分間曝露することにより、懸濁液を沸騰させ、懸濁されたミクロ気泡を除去した。真空は、小型二重段回転真空ポンプ、例えばVarian SD-40を通して引かれた。２０ゲージ以下の丸みのある針を有するガラス／ツベルクリン注射器を使用して、注射器を充填するように試料を引き出すことにより、次いで濯ぎ、次いで、１２μＬ試料セル／キュベット内に入れた。付加的な同様のタイプの注射器を使用することにより、使用された試料及び濯ぎ流体をこのセルから引き出した。充填されたキュベットを、光路内部の明らかな捕捉気泡に関して検査した。
【０３４０】
このセルを、VISCOTEK 802 DLS内に配置されたホルダ内に挿入した。このステップの前に、機器を、約３０分間にわたって動作温度まで十分に温めておき、制御コンピュータ内に取り込まれた「OmniSIZE」ソフトウェアを作動させた。このソフトウェアは、機器と連通して機器を製造業者指定の条件にセットアップする。「新しい」測定を選択する。正しい試料測定パラメータ、すなわち、温度４０％、１秒当たりの「ターゲット」レーザー減衰値３００ｋカウント、３秒間の測定期間、溶媒としての水、それぞれ２０％及び１５％のスパイク及びドリフトが選択されていることを確認する。必要であれば修正する。次いでコントロール・メニューバーから「ツール・オプション」を選択する。適正なオプション、すなわち２００の分解能、２データポイントを先ず無視する、０及び２５６相関チャネルのピーク方向閾値が注釈付けされていることを確認する。
【０３４１】
一旦試料をホルダ内に入れたら、カバーの蓋をしっかりと締め、レーザーシャッタを開いた。試料は５〜１０分間にわたって温度安定化させておいた。メニューツールバー上で「自動減衰」を選択することにより、レーザー出力の調節を測定要件に適合させた。機器及び試料がセットアップされたら、散乱強度グラフィック・ディスプレイを観察した。パターンは、連行ナノ／ミクロ気泡、又は大型粒子の沈降に起因するランダムなスパイクが最小限に抑えられた状態で、均一に見えることが望ましい。
【０３４２】
次いで測定を実施した。発生する相関曲線も観察する。この曲線は「逆Ｓ字」のような形状を示し、限度外の「スパイク」を示さないことが望ましい。セットアップが正しければ、１００測定値を収集するようにパラメータを調節し、次いで「実行」を選択した。機器はデータを自動収集し、そしてブラウン運動挙動を呈さない相関曲線を廃棄した。一連の測定の終了時に、維持された相関曲線を調査した。全ては、期待形状を呈し、また３０％〜９０％の期待運動挙動を示すことが望ましい。この時点で、収集されたデータを保存し、ソフトウェアは粒度情報を計算した。再現性を実証するために、測定を繰り返した。次いで、結果としてのグラフィック・ディスプレイを調査した。残余はランダムに分散されて見えるべきであり、データ測定点は、計算された理論上の相関曲線に従わなければならない。グラフィック分布ディスプレイは、０．８ｎｍ〜２μｍに制限された。懸濁液中に存在する各粒子の粒度及び相対比率を見いだすために、強度分布ヒストグラム及び質量分布ヒストグラムを検討した。次いで全て情報を記録し、文書化した。
【０３４３】
図５７ａは、ＡＴ０９７に対応する代表的なViscotek出力に相当し、そして図５７ｂは、ＡＴ０８０に対応する代表的なViscotek出力に相当する。図５７ａ及び５７ｂに報告された数値は、各溶液中に検出された粒子の半径に相当する。なお、多数の（例えば数百）のデータ点を試験することにより、表１２ｉに報告された数値を出し、図５７ａ及び５７ｂはこれらの測定値から選択したものに過ぎない。
【０３４４】
例７に示された種々異なる電極組み合わせの関数として産出された粒子をさらに理解するために、この例で形成された８種の溶液のそれぞれに相当する乾燥済の各溶液から、同様の倍率のＳＥＭ顕微鏡写真を撮影した。これらのＳＥＭ顕微鏡写真が図５８ａ〜５８ｈに示されている。図５８ａは、試験ＩＤ  ＡＴ０８６の試料に相当し、そして図５８ｇは、試験ＩＤ  ＡＴ０８０の試料に相当する。各ＳＥＭ顕微鏡写真は「１μ」（すなわち１ミクロン）バーを示している。これらの顕微鏡写真から観察できる一般的な傾向は、粒度は試料ＡＴ０８６からＡＴ０８３までは徐々に大きくなるが、しかしその後は、ＡＴ０８２からＡＴ０８０まで試料中で急速に増大し始めることである。なお、粒子状物質が小さく低濃度なので、試験ＩＤ  ＡＴ０９７の画像は入手できない。
【０３４５】
なお、産出された各溶液を少量、ガラススライド上で空気乾燥させておくことにより、ＳＥＭのために試料を調製した。従って、何らかの結晶成長が乾燥中に生じたこともあり得る。しかし、試料ＡＴ０８２〜ＡＴ０８０のそれぞれに示された「成長」の量は、乾燥中にだけ生じ得たと考えられる量よりも多い。ＳＥＭ顕微鏡写真からは、立方形の結晶がＡＴ０８２，ＡＴ０８１及びＡＴ０８０において見えることが明らかである。事実、ほぼ完全な立方形の結晶が、試料ＡＴ０８０と関連して図５８ｇに示されている。
【０３４６】
従って、特定の理論又は説明に縛られたくはないが、例７の結果と例６と比較すると、プラズマ４の形成が本発明の方法に大きな影響を与えることが明らかになる。さらに、一旦プラズマ４が確立されると、条件が、トラフ部材３０に沿って順次設けられたそれぞれの新しい電極セット５，５’の関数としての見掛け粒子成長を含めて、銀系ナノ粒子を含む金属系成分の産出を助成する。しかしながら、この過程の目標が、溶液中の金属系ナノ粒子の懸濁液を維持することであるならば、この例７の方法条件下では、産出された粒子のうちのいくつかは、最後の３つの電極セット（すなわち試験ＩＤ  ＡＴ０８２，ＡＴ０８１及びＡＴ０８０）の近くで沈降し始める。他面においてこの過程の目標が、粒子状物質を沈降させることであるならば、この目標は、試験ＡＴ０８２，ＡＴ０８１及びＡＴ０８０の構造に従うことによって達成することができる。
【０３４７】
沈降混合物ＡＴ０９７〜ＡＴ０８０のそれぞれに対してＵＶ−Ｖｉｓスペクトルを得た。具体的に、本明細書中に上述したようにＵＶ−Ｖｉｓスペクトルを得た（「例１〜５の材料及びこれらの混合物の特徴付け」と題する項における考察内容を参照のこと）。図５９ａは、２００ｎｍ〜２２０ｎｍの波長に対する試料ＡＴ０９７〜ＡＴ０８０のそれぞれのＵＶ−Ｖｉｓスペクトルを示している。ＡＴ０９７に相当するスペクトルはこのスケールではグラフから外れてしまうので、図５６ｂにおける拡大図を準備した。トラフ部材３０に沿って順次加えられた各電極セット５，５’に関して、ＡＴ０９７と関連するスペクトルは量が減少する。
【０３４８】
これらの同じ８種の試料のＵＶ−Ｖｉｓスペクトルを図５９ｃにも示す。具体的には、図５９ｃは、２２０ｎｍ〜６２０ｎｍの波長を試験している。興味深いことには、ＡＴ０８０，ＡＴ０８１及びＡＴ０８２に相応する３種の試料は全て、他の５つのスペクトルを著しく上回る。
【０３４９】
E. coli細菌に対する効力を割り出す（本明細書中に詳しく前述した）ために、例７に従って形成される８種の溶液それぞれを全て銀に関して正確に同じｐｐｍに希釈することにより、正規化されたアプローチで、これらの相対的な効力を比較した。これに関して正規化手順は、１０日間の沈降後に求められたｐｐｍ測定値を基準として、試料のそれぞれに対して行った。従って、例えば、試験ＡＴ０８０に従って形成された試料を、３１．６ｐｐｍから４ｐｐｍまで希釈したのに対して、試験ＡＴ０８３と関連して形成された試料は２８．１ｐｐｍから４ｐｐｍまで希釈した。これらの試料を次いでさらに希薄することにより、バイオスクリーン測定が上述のように実施されるのを可能にした。
【０３５０】
図６０は、試料ＡＴ０９７〜ＡＴ０８０のそれぞれから採用された同じｐｐｍの銀で実施されたBioscreen C Microbiology Reader試験に相当する。図６０の結果は、８種の溶液のそれぞれの効力が順序通りに完全に並ぶという点で印象的であり、この場合最高の効力はＡＴ０８６であり、最低の効力はＡＴ０８０である。なお、試料ＡＴ０９７の効力は、この特定のバイオスクリーン試験には不注意にも含まれなかった。さらに、バイオスクリーン試験における結果は、比較を目的とした場合には極めて信頼性の高いものであるが、離れた時点において実施されたバイオスクリーン試験間の結果は、例えば初期細菌濃度が僅かに異なること、細菌の成長段階が僅かに異なること、などに起因して、信頼性の高い比較を可能にしないおそれがある。従って、異なる時点で実施されたバイオスクリーン試験間では、例のうちのいずれにおいても、比較は行わなかった。
【０３５１】
例８
１つ又は２つのプラズマだけを使用する銀系ナノ粒子／ナノ粒子溶液
ＡＴ０８９、ＡＴ０９０及びＡＴ０９１の製造
この例は、例１〜５の溶液を形成するために使用されたものと同じ基本装置を利用するが、しかしこの例は、ＡＴ０９０を形成するために単一のプラズマ４だけを使用し（すなわちＡＴ０８０と同様）、ＡＴ０９１を形成するために２つのプラズマ４を使用し（すなわちＡＴ０３１と同様）、そしてＡＴ０８９を形成するために２つのプラズマ４を使用し（初回試験）、ここでは電極セット＃１及び電極セット＃８の両方がプラズマ４を利用する。この例はまた、各電極セット内の電極１及び５のそれぞれのために純度９９．９５％の銀電極を利用する。
【０３５２】
表１３ａ，１３ｂ及び１３ｃは、電極のデザイン、構造、位置、及び動作電圧の部分を要約する。表１３ａ〜１３ｃに示すように、ターゲット電圧は平均して、ＡＴ０８９に関連して最高であり、ＡＴ０９１に関連して最低であった。
【０３５３】
さらに、各電極セットにおける各電極毎の実電圧及びターゲット電圧の棒グラフを図６１ａ，６１ｂ及び６１ｃに示す。従って、表１３ａ〜１３ｃ、並びに図６１ａ，６１ｂ及び６１ｃに含まれるデータによって、各電極セット内の電極デザイン、並びに製造法のために各電極に印加される実電圧及びターゲット電圧に関して完全に理解することができる。
【０３５４】
【表１３ａ】
2014097496.tif 000027
【０３５５】
【表１３ｂ】
2014097496.tif 000028
【０３５６】
【表１３ｃ】
2014097496.tif 000029
【０３５７】
例６に論じられているように、原子吸収分光法（ＡＡＳ）試料を調製し、そして測定値を得た。表１３ｄは結果を示している。なお、表１３ｄは「電極構造」と題する欄を含む。この欄は文字「１」及び「０」を含む。「１」は電極セット＃１（すなわち１，５の組み合わせ）に相当する電極構造を表す。文字「０」は、５，５’の電極組み合わせを表す。このように、例えば「ＡＴ０８９」は「１００００００１」によって表される。これは、「ＡＴ０８９」を形成するために８つの電極セット組み合わせが使用されたことを意味し、そしてこの組み合わせは、セット＃１＝１，５；セット＃２〜＃７＝５，５；及びセット＃８＝１，５に相当した。
【０３５８】
【表１３ｄ】
2014097496.tif 000030
【０３５９】
表１３ｄは、「測定Ａｇ  ＰＰＭ（初期）」と題する欄を含む。この欄は、生産から１時間以内に測定された８種の溶液のうちのそれぞれの銀含有率に相当する。表に示すように、３つの試験のうちのそれぞれに対する測定ｐｐｍは、ほぼ同様であった。しかし、「測定Ａｇ  ＰＰＭ（２０時間）」と題する別の欄は、「初期」及び「２０日」のＰＰＭ測定値は、試験ＩＤ  ＡＴ０８９及びＡＴ０９１に相当する試料に関しては本質的に同じである（例えばＡＡＳの走査誤差の範囲内）ことを示す。このことは、これらの試験に見いだされる成分粒子の顕著な沈降が本質的に発生しなかったことを意味する。しかし、ＩＤ  ＡＴ０９０と関連する試料が２０時間後に試験されると、成分粒子の顕著な部分が沈降しており、試験ＡＴ０８９から採取された試料は、粒子の沈降に起因して、４０ｐｐｍから約３．６ｐｐｍを失う。
【０３６０】
この例７において論じるように、これら３種の試料のそれぞれにおいて形成される平均粒度を得るために、動的光散乱（ＤＬＳ）アプローチを利用した。最大粒子はＡＴ０９０において形成され、そして最小粒子はＡＴ０９１において形成された。具体的には、図６２ａはＡＴ０９０に相当し、図６２ｂはＡＴ０９１に相当し、そして図６２ｃはＡＴ０８９に相当する。
【０３６１】
E. coli細菌に対する効力を割り出す（本明細書中に詳しく前述した）ために、例８に従って形成される３種の溶液それぞれを全て銀に関して正確に同じｐｐｍに希釈することにより、正規化された手順で、これらの相対的な効力を比較した。これに関して正規化手順は、２０時間の沈降後に求められたｐｐｍ測定値を基準として、試料のそれぞれに対して行った。従って、例えば、試験ＡＴ０９０に従って形成された試料を、３７．２ｐｐｍから４ｐｐｍまで希釈したのに対して、試験ＡＴ０９１と関連して形成された試料は４４．０ｐｐｍから４ｐｐｍまで希釈した。これらの試料を次いでさらに希薄することにより、バイオスクリーン測定が上述のように実施されるのを可能にした。図６３は、試料ＡＴ０８９〜ＡＴ０９１のそれぞれから採用された同じｐｐｍの銀で実施されたBioscreen C Microbiology Reader試験に相当する。図６３の結果は、３種の溶液のそれぞれの効力が、図６２ａ〜６２ｃに示された粒度に対応して並ぶということを示しており、この場合最高の効力はＡＴ０９１であり、最低の効力はＡＴ０９０である。さらに、バイオスクリーン試験における結果は、比較を目的とした場合には極めて信頼性の高いものであるが、離れた時点において実施されたバイオスクリーン試験間の結果は、例えば初期細菌濃度が僅かに異なること、細菌の成長段階が僅かに異なること、などに起因して、信頼性の高い比較を可能にしないおそれがある。従って、異なる時点で実施されたバイオスクリーン試験間では、比較は行わなかった。
【０３６２】
例９
複数の雰囲気中のプラズマを使用する銀系ナノ粒子／ナノ粒子溶液
ＡＴ０９１、ＡＴ０９２、ＡＴ０９３、ＡＴ０９４及びＡＴ０９５の製造
この例は、例１〜５の溶液を形成するために使用されたものと同じ基本装置を利用するが、しかしこの例は、制御された雰囲気環境内で発生する２つのプラズマ４を使用する。図２８ｈに示された実施態様を用いることにより、制御された雰囲気が得られた。具体的には、電極セット＃１及び電極セット＃４に対して、この例は、「１，５」電極構造を使用し、電極１は下記雰囲気、すなわち：空気、窒素、還元性雰囲気、オゾン及びヘリウムのうちのそれぞれにおいてプラズマを形成する。全ての他の電極セット＃２、＃３及び＃５〜＃８は、「５，５’」電極構造を有している。この例はまた、各電極セット内の電極１及び５のそれぞれのために純度９９．９５％の銀電極を利用する。
【０３６３】
表１４ａ〜１４ｅは、電極のデザイン、構造、位置、及び動作電圧の部分を要約する。表１４ａ〜１４ｅに示すように、ターゲット電圧を、最低値約４００〜５００ボルト（還元性雰囲気及びオゾン）、及び最高値約３，０００ボルト（ヘリウム雰囲気）に設定した。
【０３６４】
さらに、各電極セットにおける各電極毎の実電圧及びターゲット電圧の棒グラフを図６４ａ〜６４ｅに示す。従って、表１４ａ〜１４ｅ、並びに図６４ａ〜６４ｅに含まれるデータによって、各電極セット内の電極デザイン、並びに本発明の製造法のために各電極に印加されるターゲット電圧及び実電圧に関して完全に理解することができる。電極セット＃１及び電極セット＃４のための各電極１に対応する各プラズマ４に使用される雰囲気は次の通りであった：ＡＴ０９１−−空気；ＡＴ０９２−−窒素；ＡＴ０９３−−還元性雰囲気又は空気不足雰囲気；ＡＴ０９４−−オゾン；及びＡＴ０９５−−ヘリウム。試験ＡＴ０９２〜ＡＴ０９５の雰囲気は、例えば図２８ｈに示された雰囲気制御装置３５を利用することにより達成された。具体的には、窒素ガス（高純度）を、管２８６を通して、図２８ｈに示された雰囲気制御装置３５の入口部分３７内に流入させることにより、電極セット＃１及び電極セット＃４における各電極１，５の周りで窒素雰囲気が達成された。窒素ガスの流量は、窒素ガスが雰囲気制御装置３５内部の水３上で正圧を形成するようにすることにより、窒素の正圧を達成するのに十分な流量である。
【０３６５】
同様に、オゾン雰囲気（ＡＴ０９４）は、オゾン発生器によって生成され、本明細書中で上述したように雰囲気制御装置３５内に流入させられたオゾンの正圧を形成することにより達成された。なお、供給されたオゾン中に、有意な窒素含有量が存在する可能性がある。
【０３６６】
さらに、ヘリウム雰囲気（ＡＴ０９５）は、本明細書中で上述したように、雰囲気制御装置３５内に流入させられたヘリウムの正圧を形成することにより達成された。
【０３６７】
空気雰囲気は、雰囲気制御装置３５を使用することなしに達成された。
【０３６８】
還元性雰囲気（又は空気不足雰囲気）は、電極セット＃１及び電極セット＃４における各電極１，５の周りに雰囲気制御装置３５を設け、そして雰囲気制御装置３５の入口部分３７内に気体を提供しないことにより、達成された。この事例において、外部雰囲気（すなわち空気雰囲気）は、雰囲気制御装置３５内に孔３７を通って流入することが見いだされ、生成されたプラズマ４は、空気雰囲気プラズマと比べて著しく強い橙色を呈した。
【０３６９】
プラズマ４のそれぞれの組成を理解するために、「Photon Control Silicon CCD Spectrometer, SPM-002-E」（Blue Hill Optical Technologies, Westwood, Massachusetts)を使用して、プラズマ４のそれぞれ毎にスペクトルを収集した。
【０３７０】
具体的には、図６５ａ及び６５ｂを参照すると、Photon Control Silicon CCD Spectrometer 500を使用して、電極１と水３の表面２との間に発生した各プラズマ４上のスペクトル（２００−１０９０ｎｍ，０．８／２．０ｎｍ  中心／端  解像度）を収集した。Spectrometer 500はＵＳＢケーブルを介して、Photon Control Spectrometerソフトウェア改訂版2.2.3を取り込んだコンピュータ（図示せず）に接続した。プレキシガラス支持体５０３の端部に、２００μｍコア光ファイバーパッチ・ケーブル５０２（SMA-905, Blue Hill Optical Technologies)を取り付けた。プレキシガラス支持体の反対側５０６に、レーザーポインタ５０１(Radio Shack Ultra Slim Laser Pointer, #63-1063）を取り付けた。この集成体５０３は、照準装置としてレーザーポインタ５０１を使用して、光ケーブル５０２が、形成された各プラズマ４の同じ中央部分に直接照準を当てるように正確に繰り返し位置決めできるように形成された。
【０３７１】
各プラズマ４によって形成されたスペクトルを収集する前に、雰囲気制御装置３５を３０秒間にわたって各気体で飽和し、そしてソフトウェア・パッケージに設定された２秒間曝露とともにバックグラウンド・スペクトルを収集した。プラズマ４は、データ収集前の１０分間にわたって活性であった。レーザー５０１からの主要スポットを毎回同じ点と整列させた。試験毎に３つの別々のスペクトルを収集し、次いで平均した。各スペクトルの結果を図６６ａ〜６６ｅに示す（この例で後述する）。
【０３７２】
【表１４ａ】
2014097496.tif 000031
【０３７３】
【表１４ｂ】
2014097496.tif 000032
【０３７４】
【表１４ｃ】
2014097496.tif 000033
【０３７５】
【表１４ｄ】
2014097496.tif 000034
【０３７６】
【表１４ｅ】
2014097496.tif 000035
【０３７７】
例６に論じられているように、原子吸収分光法（ＡＡＳ）試料を調製し、そして測定値を得た。表１４ｆは結果を示している。なお、表１４ｆは「電極構造」と題する欄を含む。この欄は文字「１」及び「０」を含む。「１」は電極セット＃１（すなわち１，５の組み合わせ）に相当する電極構造を表す。文字「０」は、５，５’の電極組み合わせを表す。このように、例えば「ＡＴ０９１」は「１００１００００」によって表される。これは、「ＡＴ０９１」を形成するために８つの電極セット組み合わせが使用されたことを意味し、そしてこの組み合わせは、セット＃１＝１，５；セット＃２＝５，５；セット＃３＝５，５及びセット＃４＝１，５；セット＃５〜セット＃８＝５，５に相当した。
【０３７８】
【表１４ｆ】
2014097496.tif 000036
【０３７９】
表１４ｆは、「測定Ａｇ  ＰＰＭ」と題する欄を含む。この欄は、８種の溶液のうちのそれぞれの銀含有率に相当する。表に示すように、空気、窒素、還元性及びオゾンの雰囲気のそれぞれにおいて産出された測定ｐｐｍはほぼ同様であった。しかし、ヘリウム雰囲気（すなわちＡＴ０９５）は、著しく低いｐｐｍレベルをもたらした。また、ＡＴ０９５溶液中の粒子状物質の粒度は、他の４種の溶液のそれぞれにおける粒子状物質の粒度を大幅に上回った。粒度は、本明細書中で前述したように、動的光散乱法によって割り出した。
【０３８０】
図６６ａ〜６６ｅから明らかなように、プラズマ４から形成された図示の各スペクトルは、多数の極めて際立ったピークを有した。例えば空気、窒素、還元性、及びオゾンの雰囲気のそれぞれと関連する顕著なピークは全て、強い類似性を有している。しかしながら、プラズマ４によって形成されたスペクトルと関連するスペクトル・ピーク（すなわち、ヘリウムが雰囲気として提供されたとき）が、他の４つのピークとは全く異なる。これに関して、図６６ａは、この例において使用された気体のそれぞれに対応する各プラズマ４に対する完全なスペクトル応答を、２００〜１０００ｎｍの全波長範囲にわたって示している。図６６ｂ及び６６ｃは、当該スペクトルの特定部分に焦点を当て、各スペクトルと関連する雰囲気を名称で識別する。図６６ｄ及び６６ｅは、これらのスペクトルのそれぞれにおける特定の共通のピークを識別する。具体的には、図６７ａ〜６７ｆは、本明細書中で上述した論文からの抜粋である。これらの図６７ａ〜６７ｆは、この例９のプラズマ４における活性ピークを識別するのを助ける。ヘリウム雰囲気と関連するスペクトル・ピークが、他の４種の雰囲気と関連するスペクトル・ピークと全く異なることは明らかである。
【０３８１】
E. coli細菌に対する効力を割り出す（本明細書中に詳しく前述した）ために、例９に従って形成される５種の溶液それぞれを全て銀に関して正確に同じｐｐｍに希釈することにより、正規化された形で、これらの相対的な効力を比較した。従って、例えば、試験ＡＴ０９１に従って形成された試料を、４４．０ｐｐｍから４ｐｐｍまで希釈したのに対して、試験ＡＴ０９５と関連する試料は２８．３ｐｐｍから４ｐｐｍまで希釈した。これらの試料を次いでさらに希薄することにより、バイオスクリーン測定が上述のように実施されるのを可能にした。図６８は、試料ＡＴ０９１〜ＡＴ０９５のそれぞれから採用された同じｐｐｍの銀で実施されたBioscreen C Microbiology Reader試験に相当する。図６８の結果は、最高の効力がＡＴ０９４及びＡＴ０９６であり（注意：ＡＴ０９６は例１０に従って形成する。これについては本明細書中で詳細に論じる）、最低の効力がＡＴ０９５であることを示している。さらに、バイオスクリーン試験における結果は、比較を目的とした場合には極めて信頼性の高いものであるが、離れた時点において実施されたバイオスクリーン試験間の結果は、例えば初期細菌濃度が僅かに異なること、細菌の成長段階が僅かに異なること、などに起因して、信頼性の高い比較を可能にしないおそれがある。従って、異なる時点で実施されたバイオスクリーン試験間では、比較は行わなかった。
【０３８２】
例１０
プラズマを形成するためにＡＣ電源を整流するダイオードブリッジ整流器を
使用する銀系ナノ粒子／ナノ粒子溶液ＡＴ０９６の製造
この例は、例１〜５の溶液を形成するために使用されたものと同じ基本装置を利用するが、しかしこの例は、ＤＣ様電源（すなわちダイオードブリッジ整流型電源）によって形成された２つのプラズマ４を使用する。具体的には、電極セット＃１及び電極セット＃４に対して、この例は「１，５」電極構造を使用し、電極１は図３２ｃに示された電源に従ってプラズマ４を形成する。全ての他の電極セット＃２、＃３及び＃５〜＃８は、「５，５’」電極構造を有している。この例はまた、各電極セット内の電極１及び５のそれぞれのために純度９９．９５％の銀電極を利用する。
【０３８３】
表１５は、電極のデザイン、構造、位置、及び動作電圧の部分を要約する。表１５に示すように、ターゲット電圧を、最低値約４００ボルト（電極セット＃４）、及び最高値約１，３００ボルト（電極セット＃３）に設定した。
【０３８４】
さらに、各電極セットにおける各電極毎の実電圧及びターゲット電圧の棒グラフを図６９に示す。従って、表１５並びに図６９に含まれるデータによって、各電極セット内の電極デザイン、並びに製造法のために各電極に印加されるターゲット電圧及び実電圧に関して完全に理解することができる。
【０３８５】
【表１５】
2014097496.tif 000037
【０３８６】
例６に論じられているように、原子吸収分光法（ＡＡＳ）試料を調製し、そして測定値を得た。表１５ａは結果を示している。なお、表１５ａは「電極構造」と題する欄を含む。この欄は文字「１＊」及び「０」を含む。「１＊」は電極セット＃１（すなわち１，５の組み合わせ）に相当する電極構造を表す。電極１は負に偏倚されており、電極５が正に偏倚されている。文字「０」は、５，５’の電極組み合わせを表す。
【０３８７】
【表１５ａ】
2014097496.tif 000038
【０３８８】
表１５ａは、「測定Ａｇ  ＰＰＭ」と題する欄を含む。この欄は、溶液の銀含有率に相当する。表に示すように、測定ｐｐｍは５１．２ｐｐｍであった。この銀含有率は、他の例において利用された他の８つの電極セットによって形成された他の試料よりもかなり高かった。
【０３８９】
E. coli細菌に対する効力を割り出す（本明細書中に詳しく前述した）ために、本明細書中で上述された例９に従って形成された５種のそれぞれに対して、溶液ＡＴ０９６を試験した。具体的には、例９及びＡＴ０９６から生じた５種の溶液の全てを銀に関して正確に同じｐｐｍに希釈することにより、例９において論じたように、正規化された形で、これらの相対的な効力を比較した。図６８は、試料ＡＴ０９２〜ＡＴ０９６のそれぞれから採用された同じｐｐｍの銀で実施されたBioscreen C Microbiology Reader試験に相当する。図６８の結果は、ＡＴ０９６が最良に機能する溶液の１つであったことを示している。さらに、バイオスクリーン試験における結果は、比較を目的とした場合には極めて信頼性の高いものであるが、離れた時点において実施されたバイオスクリーン試験間の結果は、例えば初期細菌濃度が僅かに異なること、細菌の成長段階が僅かに異なること、などに起因して、信頼性の高い比較を可能にしないおそれがある。従って、異なる時点で実施されたバイオスクリーン試験間では、比較は行わなかった。
【０３９０】
ＡＴ０９６のために使用された雰囲気は空気であり、そして空気プラズマの対応スペクトルが図７０ａ，７０ｂ及び７０ｃに示されている。これらのスペクトルは、図６６ａ，６６ｂ及び６６ｃに示されたものと同様である。加えて、図７０ａ，７０ｂ及び７０ｃは、全てＡＴ０９６中のプラズマ４を形成するために使用されたものと一致する設定に従って産出された、窒素、還元性、空気不足、及びヘリウムの雰囲気と関連するスペクトルを示している。これらの雰囲気及びこれらと関連する測定値は、例９における教示内容に従って形成した
【０３９１】
同様に、図７１ａ，７１ｂ及び７１ｃは、この例において前に使用された電極１の極性が逆にされたときに、プラズマ４から収集された同様の一連のスペクトルを示している。これに関しては、空気、窒素、還元性又は空気不足、オゾン及びヘリウムの雰囲気の全てがまた利用されるが、しかしこの場合には、電極１は正に偏倚されており、電極５（すなわち水３の表面２）は負に偏倚されている。
【０３９２】
例１１
関連ナノ粒子溶液の効力及び細胞毒性の試験
この例は例２［ＡＴ０６０］、例３［ＡＴ０３１−ＡＴ０６４］、及び例４［ＢＴ００６−ＢＴ０１２］の教示内容に従って、２種の異なる銀系ナノ粒子／ナノ粒子溶液及び１種の亜鉛系ナノ粒子／ナノ粒子溶液を製造する。加えて、ＢＴ００６及びＢＴ０１２を形成するための本発明の方法に一部基づいて、新しい異なる溶液（すなわちＰＴ００１）も産出した。産出されたら３種の溶液を効力及び細胞毒性に関して試験した。
【０３９３】
具体的には、例２の方法によって形成された溶液（すなわちＡＴ０６０）を、本明細書中で上述したように、マウス肝上皮細胞に対する細胞毒性に関して試験した。結果を図７２ａに示す。同様に、図３に従って産出された溶液（すなわちＡＴ０３１）を「ＡＴ０６４」として形成し、そしてやはり細胞毒性に関して同様に試験した。結果を図７２ｂに示す。さらに、例４（すなわちＢＴ００６）に従って産出された材料を形成し、「ＢＴ０１２」と称し、そしてやはり細胞毒性に関して同様に試験した。結果を図７２ｃに示す。
【０３９４】
溶液ＧＲ５及びＧＲ８に関連して表８に示されているものに従って、ＧＲ５及びＧＲ８を形成するために、次いで材料（すなわちＡＴ０６０，ＡＴ０６４及びＢＴ０１２）の混合物を形成した。具体的には、ＡＴ０６４とＢＴ０１２とを混合することによりＧＲ５を形成し、そしてＡＴ０６０とＢＴ０１２とを混合することによりＧＲ８を形成し、その結果、それぞれの銀及び亜鉛の量を、表８に示されているものと同じにした。
【０３９５】
ＧＲ５及びＧＲ８の溶液が一旦形成されると、それぞれの細胞毒性を測定した。具体的には、図７３ａ及び図７３ｂに示すように、ＧＲ５の細胞毒性を割り出した。これに関して、銀ナノ粒子濃度を基準としたＧＲ５のＬＤ50は、５．０９２であるのに対して、総ナノ粒子濃度（すなわち銀及び亜鉛の両方）を基準としたＬＤ50は、１５．４４であった。
【０３９６】
これと比較して、図７４ａは、銀ナノ粒子濃度を基準としたＬＤ50を示しており、ＧＲ８に対してこれは４．８７４であった。同様に、図７４ｂは、ＧＲ８中の総ナノ粒子濃度（すなわち銀粒子及び亜鉛粒子の合計）に関する１８．０５に等しいＬＤ50を示している。
【０３９７】
この例１１における他の本発明の材料「ＰＴ００１」は、下記方法によって形成した。電極セット＃１は１，５の組み合わせであった。電極セット＃２も１，５の組み合わせであった。位置２〜８には電極セットはなかった。従って、この電極の組み合わせは「１１ＸＸＸＸＸＸ」によって表された。両電極セット＃１及び＃２における各電極１及び５の組成は高純度白金（すなわち９９．９９９％）であった。表１６ａは、ＰＴ００１のための特定の試験条件を示している。
【０３９８】
さらに、各電極セットにおける各電極毎の実電圧及びターゲット電圧の棒グラフを図７５に示す。従って、表１６ａ、並びに図７５に含まれるデータによって、各電極セット内の電極デザイン、並びに製造法のために各電極に印加される実電圧及びターゲット電圧に関して完全に理解することができる。
【０３９９】
【表１６ａ】
2014097496.tif 000039
【０４００】
次いで、溶液ＰＴ００１を、あたかもこれがＢＴ０１２中に存在するものと等価の体積（すなわち２３ｐｐｍの亜鉛）の亜鉛系ナノ粒子を有しているかのように処理した。換言すれば、体積約１５０ｍｌのＰＴ００１を約５０ｍｌのＡＴ０６４に添加することにより、ＧＲ５＊を産出し、そして体積約１７０ｍｌのＰＴ００１を約３３ｍｌのＡＴ０６０に添加することにより、ＧＲ８＊を産出した。一旦混合したら、これらの新しい材料溶液（すなわちＧＲ５＊及びＧＲ８＊）を、細胞毒性の試験を行う前に２４時間にわたって静置しておいた。
【０４０１】
図７６ａは、ＧＲ５＊のＬＤ50が８．７９４であった（すなわち総銀ナノ粒子濃度を基準として）ことを示す。これと比較して、ＡＴ０６４中の銀単独のＬＤ50は７．０５０であり、そしてＧＲ５のＬＤ50（銀濃度だけを基準とする）は５．０９２である。
【０４０２】
同様に、図７６ｂは、銀ナノ粒子濃度の関数としてのＧＲ８＊の細胞毒性を示す。ＧＲ８＊のＬＤ50（すなわち銀ナノ粒子濃度を基準とする）は７．１６５であった。これと直接比較して、ＡＴ０６４のＬＤ50は９．６１０であり、そしてＧＲ８のＬＤ50（銀濃度だけを基準とする）は４．８７４である。
【０４０３】
従って、ＧＲ５＊及びＧＲ８＊のそれぞれのＬＤ50は、それぞれＧＲ５及びＧＲ８の対応するＬＤ50よりも高かった（すなわち混合物ＧＲ５及びＧＲ８のそれぞれにおける銀含有率に関して）。
【０４０４】
ＧＲ５及びＧＲ５＊のそれぞれの、E.coliに対する生物学的効力を次いで比較した。具体的には、図７７ａは、本明細書中で上述した手順に従って試験されたバイオスクリーン反応を示している。このバイオスクリーン反応において、ＧＲ５及びＧＲ５＊の性能がほぼ同一であることが明らかである。
【０４０５】
同様に、E.coliに対する生物学的効力の比較も、ＧＲ８及びＧＲ８＊に関して実施した。この比較を図７７ｂに示す。ＧＲ８及びＧＲ８＊の両方は、実質的に同一の生物学的性能を有した。
【０４０６】
従って、この例は、混合物ＧＲ５及びＧＲ８のそれぞれにおけるＢＴ０１２の代わりに溶液ＰＴ００１を利用することにより、溶液ＧＲ５及びＧＲ８の細胞毒性を低下させ得ることを示している。さらに、このような細胞毒性は、図７７ａ及び７７ｂに示しているように、E.coliに対する生物学的効力を犠牲にすることなしに低下される。
【０４０７】
しかし、言うまでもなく、例えば溶液ＧＲ５及びＧＲ８中のＢＴ０１２に相当する材料の存在によって、生体内の他の利点を得ることができる。
【０４０８】
例１２
可変の亜鉛系ナノ粒子／ナノ粒子溶液を添加することによる
２つの異なる銀系ナノ粒子／ナノ粒子溶液の生物学的性能の比較、
及び関連する老化研究
例１１に開示された材料、つまりＡＴ０６４及びＡＴ０６０と、ＢＴ０１２と等価なもの（すなわちＢＴ０１３）とを、変化する比率で混合することにより、生物学的効力の差異が観察され得るかどうかを割り出した（例えば図４９及び５０に示された研究と類似する）。しかしこの研究においては、溶液混合時と生物学的効力の試験時との間に経過した時間の関数としての生物学的効力を調査した。
【０４０９】
具体的には、図７８ａは、ＡＴ０６４とＢＴ０１３との種々様々な混合物の生物学的効力の結果を示している。ここでは、ＡＴ０６４の量は、添加されたＢＴ０１３の量に対して一定のｐｐｍのままである。従って、その結果、添加される亜鉛は、２ｐｐｍ  Ｚｎ、４ｐｐｍ  Ｚｎ、８ｐｐｍ  Ｚｎ、及び１３ｐｐｍ  Ｚｎの順序で増大する。これらの異なるＺｎ添加量は、図４９及び５０と関連するデータを生成するために用いられたものと同様のアプローチによって達成された。図７８ａが明らかに示すように、ＡＴ０６４の生物学的性能が、ＢＴ０１３を添加することにより高められた。なお、ＡＴ０６４とＢＴ０１３とを混合した直後に、効力試験を開始した。具体的には、図７８ａは、種々の銀−亜鉛混合物の生物学的性能を示している。このような混合物は、バイオスクリーン試験の実行開始にできるかぎり近い時点（Δｔ＝０）に混合された。添加された１３ｐｐｍのＺｎは、他のより低いｐｐｍの亜鉛レベルと同様に、ＡＴ０６４に対して大幅に高められた性能を示す。しかしながら、２ｐｐｍ、４ｐｐｍ及び８ｐｐｍのＺｎ添加量の間に存在する性能の差は、互いに僅かなものに過ぎなかった。これらの相対的な性能は図７８ｂにおいて大幅に高められた。
【０４１０】
具体的には、図７８ｂはΔｔ＝１を示す。これは、バイオスクリーン試験される前のほぼ２４時間にわたって混合された後、原材料ＡＴ０６４及びＢＴ０１３を、攪乱されない状態で静置させておくことに相当する。ＡＴ０６４に添加されるＺｎのｐｐｍの全ての間で、生物学的効力の明らかな区別が見られる。これとともに１３ｐｐｍは０．８日後にまだ陰性対照に等しく機能する。従って、混合後に所定の時間を生物学的効力試験の前に経過させておくことによって、ＢＴ０１３とＡＴ０６４とを混合することによる性能の向上が達成される。
【０４１１】
図７９ａは、図７８ａとは僅かに異なる結果を示す。具体的には、図７９ａは、２ｐｐｍ  Ｚｎ、４ｐｐｍ  Ｚｎ、８ｐｐｍ  Ｚｎ、及び１３ｐｐｍ  Ｚｎと混合されたきの、ＡＴ０６０の生物学的効力の変化を示す。図７８ａとは異なり、ＡＴ０６０に２ｐｐｍ及び４ｐｐｍの亜鉛を添加したときに、混合してすぐに生物学的試験を行った後で生物学的効力の変化を示すことはなかった。従って、この試験においてΔｔ＝０である場合、つまり、ＡＴ０６０とＢＴ０１３とを混合してすぐにバイオスクリーンで試験することに相当する場合、２ｐｐｍ及び４ｐｐｍのＺｎの添加に関しては、効力の向上は観察されなかった。８ｐｐｍ及び１３ｐｐｍのＺｎの場合に、ＡＴ０６０の僅かに高められた性能が観察された。
【０４１２】
しかしながら、生物学的効力の結果は図７９ｂにおいて劇的に異なる。この効力試験において、成分ＡＴ０６０及びＢＴ０１３を、ほぼ２４時間に相当するΔｔ＝１にわたって静置させておいた。材料ＡＴ０６０及びＢＴ０１３をほぼ２４時間にわたって静置させ、次いでバイオスクリーン試験を実施した後、図７８ｂに示されたものと同様の効力の広がりが観察された。具体的には、それぞれ２ｐｐｍ、４ｐｐｍ、８ｐｐｍ、及び１３ｐｐｍのＺｎが添加された各ＡＴ０６０の間に、生物学的効力の明確な区別が存在する。
【０４１３】
付加的な「待機時間」が更なる向上効果を有するかどうかを見極めるために、付加的な生物学的効力試験を行った。具体的には、図７９ｃにおけるデータは、増大するＺｎのｐｐｍ濃度の関数としてのＡＴ０６０の効力変化を試験する前の、Δｔ＝２（すなわちほぼ４８時間）の「待機時間」に相当する。図７９ｃに示された効力変化が、図７９ｂに示された効力変化とほぼ同一であることが判明した。従って、図７９ｂにおいて発生した反応が、２４時間〜４８時間のより大きい範囲で発生するようには見えなかったことは明らかである。
【０４１４】
図７８ａと図７８ｂとの間、そして図７９ａと図７９ｂ及び７９ｃとの間に観察される生物学的効力の差異を明らかにするために、本明細書中で論じた手順に従って、動的光散乱（ＤＬＳ）試験を実施した。
【０４１５】
具体的には２組のＤＬＳ試験を行った。第１試験は、ＡＴ０６４とＢＴ０１３とを、ＧＲ５を産出するための比率で混合した（すなわち約５０ｍｌのＡＴ０６４及び約１５０ｍｌのＢＴ０１３）。第２試験は、ＡＴ０６０とＢＴ０１３とを、ＧＲ８を産出するための比率で混合した（すなわち約３３ｍｌのＡＴ０６０及び約１７０ｍｌのＢＴ０１３）。
【０４１６】
前記の材料を混合したあとの時間の関数としてのＤＬＳの結果を、図８０及び８１に示している。具体的に、図８０ａ〜８０ｆは、６つの異なる時点、つまりｔ＝０；ｔ＝８０分目；ｔ＝５時間目；ｔ＝５．５時間目；ｔ＝６時間目；及びｔ＝２１時間目に求められたＤＬＳサイズ測定値を示している。同様に、図８１ａ〜８１ｅは、５つの異なる時点、つまりｔ＝０；ｔ＝８０分目；ｔ＝４時間目；ｔ＝５時間目；及びｔ＝２１時間目に求められたＤＬＳサイズ測定値を示している。
【０４１７】
ＡＴ０６０とＢＴ０１３との間に発生する１つ又は２つ以上の反応と同様に、ＡＴ０６４とＢＴ０１３との間にも１つ又は２つ以上の反応が発生することが、図８０及び８１に示された結果から明らかである。ＡＴ０６４及びＡＴ０６０の初期粒度は、例えば本明細書中で前述した、図４３のＴＥＭ顕微鏡写真によれば異なることがある一方、Ａｇを含有する溶液及びＺｎを含有する溶液の濃度及び性質が、ＧＲ５及びＧＲ８のそれぞれで異なっている。いずれの場合にも、ＧＲ５及びＧＲ８を含む両混合物のＤＬＳ測定値は、比較的大きい粒度が存在することを示している。おそらく何らかの粒子凝集が生じていると考えられる。しかし５〜６時間後には、ＤＬＳ測定値は、検出された粒度が著しく減少したことを示す。さらに２１時間後、ＤＬＳ測定値は、検出された粒度が著しく等価であったことを示唆する。
【０４１８】
特定の理論又は説明によって縛られたくはないが、粒度及び生物学的性能（例えばE. coliに対する効力）が関係することは明らかである。
【図１ａ】
2014097496.tif 000040
【図１ｂ】
2014097496.tif 000041
【図１ｃ】
2014097496.tif 000042
【図２ａ】
2014097496.tif 000043
【図２ｂ】
2014097496.tif 000044
【図３ａ】
2014097496.tif 000045
【図３ｂ】
2014097496.tif 000046
【図３ｃ】
2014097496.tif 000047
【図３ｄ】
2014097496.tif 000048
【図４ａ】
2014097496.tif 000049
【図４ｂ】
2014097496.tif 000050
【図４ｃ】
2014097496.tif 000051
【図４ｄ】
2014097496.tif 000052
【図５ａ】
2014097496.tif 000053
【図５ｂ】
2014097496.tif 000054
【図５ｃ】
2014097496.tif 000055
【図５ｄ】
2014097496.tif 000056
【図５ｅ】
2014097496.tif 000057
【図６】
2014097496.tif 000058
【図７ａ】
2014097496.tif 000059
【図７ｂ】
2014097496.tif 000060
【図８ａ】
2014097496.tif 000061
【図８ｂ】
2014097496.tif 000062
【図８ｃ】
2014097496.tif 000063
【図８ｄ】
2014097496.tif 000064
【図９ａ】
2014097496.tif 000065
【図９ｂ】
2014097496.tif 000066
【図９ｃ】
2014097496.tif 000067
【図９ｄ】
2014097496.tif 000068
【図１０ａ】
2014097496.tif 000069
【図１０ｂ】
2014097496.tif 000070
【図１０ｃ】
2014097496.tif 000071
【図１０ｄ】
2014097496.tif 000072
【図１０ｅ】
2014097496.tif 000073
【図１１ａ】
2014097496.tif 000074
【図１１ｂ】
2014097496.tif 000075
【図１１ｃ】
2014097496.tif 000076
【図１１ｄ】
2014097496.tif 000077
【図１１ｅ】
2014097496.tif 000078
【図１１ｆ】
2014097496.tif 000079
【図１１ｇ】
2014097496.tif 000080
【図１１ｈ】
2014097496.tif 000081
【図１２ａ】
2014097496.tif 000082
【図１２ｂ】
2014097496.tif 000083
【図１３】
2014097496.tif 000084
【図１４】
2014097496.tif 000085
【図１５ａ】
2014097496.tif 000086
【図１５ｂ】
2014097496.tif 000087
【図１６ａ】
2014097496.tif 000088
【図１６ｂ】
2014097496.tif 000089
【図１６ｃ】
2014097496.tif 000090
【図１７】
2014097496.tif 000091
【図１８】
2014097496.tif 000092
【図１９ａ】
2014097496.tif 000093
【図１９ｂ】
2014097496.tif 000094
【図１９ｃ】
2014097496.tif 000095
【図１９ｄ】
2014097496.tif 000096
【図２０ａ】
2014097496.tif 000097
【図２０ｂ】
2014097496.tif 000098
【図２０ｃ】
2014097496.tif 000099
【図２０ｄ】
2014097496.tif 000100
【図２０ｅ】
2014097496.tif 000101
【図２０ｆ】
2014097496.tif 000102
【図２０ｇ】
2014097496.tif 000103
【図２０ｈ】
2014097496.tif 000104
【図２０ｉ】
2014097496.tif 000105
【図２０ｊ】
2014097496.tif 000106
【図２０ｋ】
2014097496.tif 000107
【図２０ｌ】
2014097496.tif 000108
【図２０ｍ】
2014097496.tif 000109
【図２０ｎ】
2014097496.tif 000110
【図２０ｏ】
2014097496.tif 000111
【図２０ｐ】
2014097496.tif 000112
【図２１ａ】
2014097496.tif 000113
【図２１ｂ】
2014097496.tif 000114
【図２１ｃ】
2014097496.tif 000115
【図２１ｄ】
2014097496.tif 000116
【図２２ａ】
2014097496.tif 000117
【図２２ｂ】
2014097496.tif 000118
【図２２ｃ】
2014097496.tif 000119
【図２２ｄ】
2014097496.tif 000120
【図２３ａ】
2014097496.tif 000121
【図２３ｂ】
2014097496.tif 000122
【図２４ａ】
2014097496.tif 000123
【図２４ｂ】
2014097496.tif 000124
【図２４ｃ】
2014097496.tif 000125
【図２４ｄ】
2014097496.tif 000126
【図２４ｅ】
2014097496.tif 000127
【図２５ａ】
2014097496.tif 000128
【図２５ｂ】
2014097496.tif 000129
【図２５ｃ】
2014097496.tif 000130
【図２５ｄ】
2014097496.tif 000131
【図２５ｅ】
2014097496.tif 000132
【図２６ａ】
2014097496.tif 000133
【図２６ｂ】
2014097496.tif 000134
【図２６ｃ】
2014097496.tif 000135
【図２６ｄ】
2014097496.tif 000136
【図２６ｅ】
2014097496.tif 000137
【図２７】
2014097496.tif 000138
【図２８ａ】
2014097496.tif 000139
【図２８ｂ】
2014097496.tif 000140
【図２８ｃ】
2014097496.tif 000141
【図２８ｄ】
2014097496.tif 000142
【図２８ｅ】
2014097496.tif 000143
【図２８ｆ】
2014097496.tif 000144
【図２８ｇ】
2014097496.tif 000145
【図２８ｈ】
2014097496.tif 000146
【図２８ｉ】
2014097496.tif 000147
【図２８ｊ】
2014097496.tif 000148
【図２８ｋ】
2014097496.tif 000149
【図２８ｌ】
2014097496.tif 000150
【図２９】
2014097496.tif 000151
【図３０】
2014097496.tif 000152
【図３１】
2014097496.tif 000153
【図３２ａ】
2014097496.tif 000154
【図３２ｂ】
2014097496.tif 000155
【図３２ｃ】
2014097496.tif 000156
【図３３ａ】
2014097496.tif 000157
【図３３ｂ】
2014097496.tif 000158
【図３３ｃ】
2014097496.tif 000159
【図３４ａ】
2014097496.tif 000160
【図３４ｂ】
2014097496.tif 000161
【図３４ｃ】
2014097496.tif 000162
【図３５】
2014097496.tif 000163
【図３６ａ】
2014097496.tif 000164
【図３６ｂ】
2014097496.tif 000165
【図３６ｃ】
2014097496.tif 000166
【図３７ａ】
2014097496.tif 000167
【図３７ｂ】
2014097496.tif 000168
【図３７ｃ】
2014097496.tif 000169
【図３７ｄ】
2014097496.tif 000170
【図３７ｅ】
2014097496.tif 000171
【図３７ｆ】
2014097496.tif 000172
【図３７ｇ】
2014097496.tif 000173
【図３７ｈ】
2014097496.tif 000174
【図３７ｉ】
2014097496.tif 000175
【図３８ａ】
2014097496.tif 000176
【図３８ｂ】
2014097496.tif 000177
【図３８ｃ】
2014097496.tif 000178
【図３８ｄ】
2014097496.tif 000179
【図３８ｅ】
2014097496.tif 000180
【図３８ｆ】
2014097496.tif 000181
【図３８ｇ】
2014097496.tif 000182
【図３８ｈ】
2014097496.tif 000183
【図３８ｉ】
2014097496.tif 000184
【図３９ａ】
2014097496.tif 000185
【図３９ｂ】
2014097496.tif 000186
【図３９ｃ】
2014097496.tif 000187
【図３９ｄ】
2014097496.tif 000188
【図３９ｅ】
2014097496.tif 000189
【図３９ｆ】
2014097496.tif 000190
【図３９ｇ】
2014097496.tif 000191
【図３９ｈ】
2014097496.tif 000192
【図３９ｉ】
2014097496.tif 000193
【図４０ａ】
2014097496.tif 000194
【図４０ｂ】
2014097496.tif 000195
【図４０ｃ】
2014097496.tif 000196
【図４０ｄ】
2014097496.tif 000197
【図４０ｅ】
2014097496.tif 000198
【図４０ｆ】
2014097496.tif 000199
【図４０ｇ】
2014097496.tif 000200
【図４０ｈ】
2014097496.tif 000201
【図４０ｉ】
2014097496.tif 000202
【図４１ａ】
2014097496.tif 000203
【図４１ｂ】
2014097496.tif 000204
【図４１ｃ】
2014097496.tif 000205
【図４１ｄ】
2014097496.tif 000206
【図４１ｅ】
2014097496.tif 000207
【図４１ｆ】
2014097496.tif 000208
【図４１ｇ】
2014097496.tif 000209
【図４１ｈ】
2014097496.tif 000210
【図４１ｉ】
2014097496.tif 000211
【図４２ａ】
2014097496.tif 000212
【図４２ｂ】
2014097496.tif 000213
【図４２ｃ】
2014097496.tif 000214
【図４２ｄ】
2014097496.tif 000215
【図４２ｅ】
2014097496.tif 000216
【図４２ｆ】
2014097496.tif 000217
【図４２ｇ】
2014097496.tif 000218
【図４２ｈ】
2014097496.tif 000219
【図４２ｉ】
2014097496.tif 000220
【図４２ｊ】
2014097496.tif 000221
【図４２ｋ】
2014097496.tif 000222
【図４２ｌ】
2014097496.tif 000223
【図４２ｍ】
2014097496.tif 000224
【図４２ｎ】
2014097496.tif 000225
【図４２ｏ】
2014097496.tif 000226
【図４４ａ】
2014097496.tif 000227
【図４４ｂ】
2014097496.tif 000228
【図４４ｃ】
2014097496.tif 000229
【図４４ｄ】
2014097496.tif 000230
【図４４ｅ】
2014097496.tif 000231
【図４５】
2014097496.tif 000232
【図４６】
2014097496.tif 000233
【図４７】
2014097496.tif 000234
【図４８】
2014097496.tif 000235
【図４９】
2014097496.tif 000236
【図５０ａ】
2014097496.tif 000237
【図５０ｂ】
2014097496.tif 000238
【図５０ｃ】
2014097496.tif 000239
【図５０ｄ】
2014097496.tif 000240
【図５１ａ】
2014097496.tif 000241
【図５１ｂ】
2014097496.tif 000242
【図５１ｃ】
2014097496.tif 000243
【図５１ｄ】
2014097496.tif 000244
【図５１ｅ】
2014097496.tif 000245
【図５１ｆ】
2014097496.tif 000246
【図５１ｇ】
2014097496.tif 000247
【図５１ｈ】
2014097496.tif 000248
【図５２ａ】
2014097496.tif 000249
【図５２ｂ】
2014097496.tif 000250
【図５２ｃ】
2014097496.tif 000251
【図５２ｄ】
2014097496.tif 000252
【図５２ｅ】
2014097496.tif 000253
【図５２ｆ】
2014097496.tif 000254
【図５３ａ】
2014097496.tif 000255
【図５３ｂ】
2014097496.tif 000256
【図５３ｃ】
2014097496.tif 000257
【図５３ｄ】
2014097496.tif 000258
【図５３ｅ】
2014097496.tif 000259
【図５３ｆ】
2014097496.tif 000260
【図５３ｇ】
2014097496.tif 000261
【図５３ｈ】
2014097496.tif 000262
【図５４】
2014097496.tif 000263
【図５５ａ】
2014097496.tif 000264
【図５５ｂ】
2014097496.tif 000265
【図５５ｃ】
2014097496.tif 000266
【図５６ａ】
2014097496.tif 000267
【図５６ｂ】
2014097496.tif 000268
【図５６ｃ】
2014097496.tif 000269
【図５６ｄ】
2014097496.tif 000270
【図５６ｅ】
2014097496.tif 000271
【図５６ｆ】
2014097496.tif 000272
【図５６ｇ】
2014097496.tif 000273
【図５６ｈ】
2014097496.tif 000274
【図５７ａ】
2014097496.tif 000275
【図５７ｂ】
2014097496.tif 000276
【図５９ａ】
2014097496.tif 000277
【図５９ｂ】
2014097496.tif 000278
【図５９ｃ】
2014097496.tif 000279
【図６０】
2014097496.tif 000280
【図６１ａ】
2014097496.tif 000281
【図６１ｂ】
2014097496.tif 000282
【図６１ｃ】
2014097496.tif 000283
【図６２ａ】
2014097496.tif 000284
【図６２ｂ】
2014097496.tif 000285
【図６２ｃ】
2014097496.tif 000286
【図６３】
2014097496.tif 000287
【図６４ａ】
2014097496.tif 000288
【図６４ｂ】
2014097496.tif 000289
【図６４ｃ】
2014097496.tif 000290
【図６４ｄ】
2014097496.tif 000291
【図６４ｅ】
2014097496.tif 000292
【図６５ａ】
2014097496.tif 000293
【図６５ｂ】
2014097496.tif 000294
【図６６ａ】
2014097496.tif 000295
【図６６ｂ】
2014097496.tif 000296
【図６６ｃ】
2014097496.tif 000297
【図６６ｄ】
2014097496.tif 000298
【図６６ｅ】
2014097496.tif 000299
【図６７ａ】
2014097496.tif 000300
【図６７ｂ】
2014097496.tif 000301
【図６７ｃ】
2014097496.tif 000302
【図６７ｄ】
2014097496.tif 000303
【図６７ｅ】
2014097496.tif 000304
【図６７ｆ】
2014097496.tif 000305
【図６８】
2014097496.tif 000306
【図６９】
2014097496.tif 000307
【図７０ａ】
2014097496.tif 000308
【図７０ｂ】
2014097496.tif 000309
【図７０ｃ】
2014097496.tif 000310
【図７１ａ】
2014097496.tif 000311
【図７１ｂ】
2014097496.tif 000312
【図７１ｃ】
2014097496.tif 000313
【図７２ａ】
2014097496.tif 000314
【図７２ｂ】
2014097496.tif 000315
【図７２ｃ】
2014097496.tif 000316
【図７３ａ】
2014097496.tif 000317
【図７３ｂ】
2014097496.tif 000318
【図７４ａ】
2014097496.tif 000319
【図７４ｂ】
2014097496.tif 000320
【図７５】
2014097496.tif 000321
【図７６ａ】
2014097496.tif 000322
【図７６ｂ】
2014097496.tif 000323
【図７７ａ】
2014097496.tif 000324
【図７７ｂ】
2014097496.tif 000325
【図７８ａ】
2014097496.tif 000326
【図７８ｂ】
2014097496.tif 000327
【図７９ａ】
2014097496.tif 000328
【図７９ｂ】
2014097496.tif 000329
【図７９ｃ】
2014097496.tif 000330
【図８０ａ】
2014097496.tif 000331
【図８０ｂ】
2014097496.tif 000332
【図８０ｃ】
2014097496.tif 000333
【図８０ｄ】
2014097496.tif 000334
【図８０ｅ】
2014097496.tif 000335
【図８０ｆ】
2014097496.tif 000336
【図８１ａ】
2014097496.tif 000337
【図８１ｂ】
2014097496.tif 000338
【図８１ｃ】
2014097496.tif 000339
【図８１ｄ】
2014097496.tif 000340
【図８１ｅ】
2014097496.tif 000341
【図４３ａ−１】
2014097496.tif 000342
【図４３ａ−２】
2014097496.tif 000343
【図４３ｂ−１】
2014097496.tif 000344
【図４３ｂ−２】
2014097496.tif 000345
【図４３ｃ−１】
2014097496.tif 000346
【図４３ｃ−２】
2014097496.tif 000347
【図４３ｄ−１】
2014097496.tif 000348
【図４３ｄ−２】
2014097496.tif 000349
【図４３ｅ−１】
2014097496.tif 000350
【図４３ｅ−２】
2014097496.tif 000351
【図４３ｆ−１】
2014097496.tif 000352
【図４３ｆ−２】
2014097496.tif 000353
【図４３ｇ−１】
2014097496.tif 000354
【図４３ｇ−２】
2014097496.tif 000355
【図４３ｈ−１】
2014097496.tif 000356
【図４３ｈ−２】
2014097496.tif 000357
【図４３ｉ−１】
2014097496.tif 000358
【図４３ｉ−２】
2014097496.tif 000359
【図４３ｊ−１】
2014097496.tif 000360
【図４３ｊ−２】
2014097496.tif 000361
【図４３ｋ−１】
2014097496.tif 000362
【図４３ｋ−２】
2014097496.tif 000363
【図４３ｌ−１】
2014097496.tif 000364
【図４３ｌ−２】
2014097496.tif 000365
【図４３ｍ−１】
2014097496.tif 000366
【図４３ｍ−２】
2014097496.tif 000367
【図４３ｎ−１】
2014097496.tif 000368
【図４３ｎ−２】
2014097496.tif 000369
【図４３ｏ−１】
2014097496.tif 000370
【図４３ｏ−２】
2014097496.tif 000371
【図４３ｐ】
2014097496.tif 000372
【図４３ｑ】
2014097496.tif 000373
【図４３ｒ】
2014097496.tif 000374
【図４３ｓ】
2014097496.tif 000375
【図４３ｔ−１】
2014097496.tif 000376
【図４３ｔ−２】
2014097496.tif 000377
【図５８ａ】
2014097496.tif 000378
【図５８ｂ】
2014097496.tif 000379
【図５８ｃ】
2014097496.tif 000380
【図５８ｄ】
2014097496.tif 000381
【図５８ｅ】
2014097496.tif 000382
【図５８ｆ】
2014097496.tif 000383
【図５８ｇ】
2014097496.tif 000384
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
少なくとも１種の液体を改質するほぼ連続的な方法であって：
少なくとも１種の液体を、少なくとも１つのトラフ部材を通して流し；
少なくとも１種のプラズマを、前記少なくとも１種の液体の少なくとも一部と接触させ；そして
前記トラフ部材内部で少なくとも１つの電気化学反応を発生させる
ことを含む、少なくとも１種の液体を改質するほぼ連続的な方法。
【外国語明細書】
2014097496000001.pdf